(57)【要約】      （修正有）【課題】履物の物品のためのソール構造を提供する。【解決手段】ソール構造１４は、地上係合面５４と、地上係合面とは反対の側に形成される上面とを有するアウトソール３８を備える。第１の緩衝材は、ソール構造の内側面２２に近接して配置され、アウトソールの上面に付着させられる第１の流体充填室６８と、第１の流体充填室に付着させられ、第１の流体充填室とアッパーとの間に配置される第２の流体充填室７０とを含む。第２の緩衝材は、ソール構造の外側面２４に近接して配置され、アウトソールの上面に付着させられる第３の流体充填室と、第３の流体充填室に付着させられ、第３の流体充填室とアッパーとの間に配置される第４の流体充填室とを含む。第２の緩衝材は第１の緩衝材から流体的に隔離される。【選択図】図１
0003224963.tif 000002
【実用新案登録請求の範囲】
【請求項１】
アッパーを有する履物の物品のためのソール構造であって、
地上係合面、および、前記地上係合面とは反対の側に形成される上面を有するアウトソールと、
上方部分および下方部分を有するミッドソールであって、前記下方部分は、前記アウトソールに付着させられ、前記上方部分の前足領域から前記上方部分の踵領域に向かう方向に延びる第1の区分、および、前記上方部分の前記踵領域から前記上方部分の前記前足領域に向かう方向に延びて前記ミッドソールの長手方向軸に沿って前記第1の区分からある隙間で離間される第2の区分を含む、ミッドソールと、
前記ミッドソールから前記隙間の中へと延びる少なくとも1つの板と、
前記ミッドソールの前記隙間に配置され、前記板に結合される緩衝材と
を備えるソール構造。
【請求項２】
前記板の第1の端が前記ミッドソールの前記第1の区分に結合され、前記板の第2の端が前記ミッドソールの前記第2の区分に結合され、前記板の中間部分が前記隙間を通って前記第1の端から前記第2の端へと延びて前記緩衝材に結合される、請求項1に記載のソール構造。
【請求項３】
前記板の前記第1の端は前記ミッドソールの前記第1の区分の内部に埋め込まれ、前記板の前記第2の端は前記ミッドソールの前記第2の区分の内部に埋め込まれる、請求項2に記載のソール構造。
【請求項４】
前記板の前記第1の端が前記ミッドソールの前記上方部分と前記ミッドソールの前記第1の区分との間に配置され、前記板の前記第2の端が前記ミッドソールの前記上方部分と前記ミッドソールの前記第2の区分との間に配置される、請求項2に記載のソール構造。
【請求項５】
前記板の前記中間部分は前記緩衝材と前記ミッドソールの前記上方部分との間に配置される、請求項2に記載のソール構造。
【請求項６】
前記緩衝材は、前記ソール構造の内側面に近接して配置され、前記板と前記アウトソールとの間に配置される第1の流体充填室を含む第1の緩衝材と、前記ソール構造の外側面に近接して配置され、前記板と前記アウトソールとの間に配置される第2の流体充填室を含む第2の緩衝材とを含み、前記第2の緩衝材は前記第1の緩衝材から流体的に隔離される、請求項5に記載のソール構造。
【請求項７】
前記緩衝材は前記板の前記中間部分と前記ミッドソールの前記上方部分との間に配置される、請求項2に記載のソール構造。
【請求項８】
前記緩衝材は、前記ソール構造の内側面に近接して配置され、前記ミッドソールの前記上方部分と前記板の前記中間部分との間に配置される第1の流体充填室を含む第1の緩衝材と、前記ソール構造の外側面に近接して配置され、前記ミッドソールの前記上方部分と前記板の前記中間部分との間に配置される第2の流体充填室を含む第2の緩衝材とを含み、前記第2の緩衝材は前記第1の緩衝材から流体的に隔離される、請求項7に記載のソール構造。
【請求項９】
前記板は、前記ミッドソールの前記上方部分と前記緩衝材との間に配置される第1の板と、前記ミッドソールの前記下方部分から延びて前記緩衝材と前記アウトソールとの間に配置される第2の板とを含む、請求項1に記載のソール構造。
【請求項１０】
前記第1の板および前記第2の板の少なくとも一方は炭素繊維から形成される、請求項9に記載のソール構造。
【考案の詳細な説明】
【技術分野】
【０００１】
関連出願への相互参照
本出願は、2017年2月1日に出願された米国仮特許出願第62/453,406号、2017年6月8日に出願された米国仮特許出願第62/517,129号、2017年8月10日に出願された米国仮特許出願第62/543,780号、および2018年2月1日に出願された米国非仮特許出願第15/886,571号への35 U.S.C.  §119(e)の下での優先権を主張する。これらの先行出願の開示は、本出願の開示の一部と見なされ、本明細書により参照によってそれらの全体において組み込まれている。
【０００２】
本開示は、概して履物の物品に関し、より詳細には、履物の物品のためのソール構造に関する。
【背景技術】
【０００３】
この区域は、必ずしも先行技術ではない本開示に関する背景情報を提供する。
【０００４】
履物の物品は、アッパー構造とソール構造とを従来から含む。アッパーは、足をソール構造において受け入れ、固定、および支持するために任意の適切な材料から形成され得る。アッパーは、足の周りでのアッパーのフィットを調整するために、紐、ストラップ、または他の留め具と協働できる。足の底面に近接するアッパーの底部分は、ソール構造に付着する。
【０００５】
ソール構造は、地上面とアッパーとの間で延びる層構成を概して含む。ソール構造の1つの層は、地上面との摩擦抵抗およびトラクションを提供するアウトソールを含む。アウトソールは、耐久性および耐摩耗性を付与すると共に、地上面とのトラクションを高めるゴムまたは他の材料から形成され得る。ソール構造の別の層は、アウトソールとアッパーとの間に配置されるミッドソールを含む。ミッドソールは、足のための緩衝を提供し、概して、地面反力を弱めることで足への衝撃を和らげるために、加えられた荷重の下で弾性的に圧縮するポリマ発泡材料から少なくとも部分的に形成される。ミッドソールは、一方の側において、アウトソールに相対する底面を定め、反対側において、足の底面の輪郭に一致するように形成され得るフットベッドを定め得る。ソール構造は、アッパーの底部分に近接する空所の内部に位置付けられる快適性を高めるインソールおよび/または中敷を含んでもよい。
【０００６】
ポリマ発泡材料を使用するミッドソールは、歩行または走行の移動の間など、加えられた荷重の下で弾性的に圧縮する単一の平板として概して構成されている。概して、単一の平板のポリマ発泡材は、平板が勾配のある荷重の下で圧縮するときの柔軟性および応答性に関する緩衝特性を調和させることを強調して設計される。柔らかすぎる緩衝を提供するポリマ発泡材は、繰り返しの圧縮の後、地面反力を弱めるためのミッドソールの圧縮性および能力を低減させることになる。反対に、硬すぎるため、非常に反応性が高く、柔軟性を犠牲にしているポリマ発泡材は、それによって快適性に損失をもたらすことになる。ポリマ発泡材の平板の異なる領域が、平板の柔軟性および応答性を全体として調和させるために、密度、硬度、エネルギーの戻り、および材料の選択において異なってもよいが、柔軟性から応答性へと勾配のある手法で荷重を掛けるポリマ発泡材の単一の平板を作り出すことは、達成するのが難しい。
【先行技術文献】
【特許文献】
【０００７】
【特許文献１】米国特許出願第15/248,051号
【特許文献２】米国特許出願第15/248,059号
【考案の概要】
【０００８】
本明細書において描写されている図面は、選択された実施形態の例示の目的だけのためであり、可能なすべての実施ではなく、本開示の範囲を限定するように意図されていない。
【図面の簡単な説明】
【０００９】
【図１】本開示の原理によるソール構造を組み込んでいる履物の物品の斜視図である。
【図２】図1の履物の物品の分解図である。
【図３】図1の線3-3に沿って切り取られた図1の履物の物品の断面図である。
【図４】緩衝材の代替の構造を示す、図1の線3-3に沿って切り取られた図1の履物の物品の断面図である。
【図５】緩衝材の代替の構造を示す、図1の線3-3に沿って切り取られた図1の履物の物品の断面図である。
【図６】緩衝材の代替の構造を示す、図1の線3-3に沿って切り取られた図1の履物の物品の断面図である。
【図７】図1の履物の物品の底面図である。
【図８】本開示の原理によるソール構造を組み込んでいる履物の物品の斜視図である。
【図９】図8の履物の物品の分解図である。
【図１０】図8の線10-10に沿って切り取られた図8の履物の物品の断面図である。
【図１１】緩衝材の代替の構造を示す、図8の線10-10に沿って切り取られた図8の履物の物品の断面図である。
【図１２】緩衝材の代替の構造を示す、図8の線10-10に沿って切り取られた図8の履物の物品の断面図である。
【図１３】緩衝材の代替の構造を示す、図8の線10-10に沿って切り取られた図8の履物の物品の断面図である。
【図１４】図8の履物の物品の底面図である。
【図１５】本開示の原理によるソール構造を組み込んでいる履物の物品の側面図である。
【図１６】図15の履物の物品の分解図である。
【図１７】図22の線17-17に沿って切り取られた図15の履物の物品の断面図である。
【図１８】緩衝材の代替の構造を示す、図22の線17-17に沿って切り取られた図15の履物の物品の断面図である。
【図１９】緩衝材の代替の構造を示す、図22の線17-17に沿って切り取られた図15の履物の物品の断面図である。
【図２０】緩衝材の代替の構造を示す、図22の線17-17に沿って切り取られた図15の履物の物品の断面図である。
【図２１】本開示の原理による代替のソール構造を組み込んでいる図15の履物の物品の側面図である。
【図２２】図15の履物の物品の底面図である。
【図２３】本開示の原理によるソール構造を組み込んでいる履物の物品の斜視図である。
【図２４】図23のソール構造の一部の斜視図である。
【図２５】図23の履物の物品の一部の底面図である。
【図２６】本開示の原理によるソール構造を組み込んでいる履物の物品の斜視図である。
【図２７】図26の履物の物品の分解図である。
【図２８】図26の線28-28に沿って切り取られた図26の履物の物品の断面図である。
【図２９】図26の履物の物品の底面図である。
【図３０】本開示の原理によるソール構造を組み込んでいる履物の物品の斜視図である。
【図３１】図30の履物の物品の分解図である。
【図３２】図30の線32-32に沿って切り取られた図30の履物の物品の断面図である。
【図３３】図30の履物の物品の底面図である。
【図３４】本開示の原理によるソール構造を組み込んでいる履物の物品の斜視図である。
【図３５】図34の履物の物品の分解図である。
【図３６】図34の線36-36に沿って切り取られた図34の履物の物品の断面図である。
【図３７】図34の履物の物品の底面図である。
【図３８】本開示の原理によるソール構造を組み込んでいる履物の物品の斜視図である。
【図３９】図38の履物の物品の分解図である。
【図４０】図38の線40-40に沿って切り取られた図38の履物の物品の断面図である。
【図４１】図38の履物の物品の底面図である。
【図４２】本開示の原理によるソール構造を組み込んでいる履物の物品の斜視図である。
【図４３】図42の履物の物品の分解図である。
【図４４】図42の線44-44に沿って切り取られた図42の履物の物品の断面図である。
【図４５】図42の履物の物品の底面図である。
【図４６】本開示の原理によるソール構造を組み込んでいる履物の物品の斜視図である。
【図４７】図46の履物の物品の分解図である。
【図４８】図46の線48-48に沿って切り取られた図46の履物の物品の断面図である。
【図４９】図46の履物の物品の底面図である。
【図５０】本開示の原理によるソール構造を組み込んでいる履物の物品の斜視図である。
【図５１】図50の履物の物品の分解図である。
【図５２】図50の履物の物品の底面図である。
【図５３Ａ】図52の線53A-53Aに沿って切り取られた図50の履物の物品の断面図である。
【図５３Ｂ】図52の線53B-53Bに沿って切り取られた図50の履物の物品の断面図である。
【図５４】本開示の原理によるソール構造を組み込んでいる履物の物品の斜視図である。
【図５５】図54の履物の物品の分解図である。
【図５６】図54の履物の物品の底面図である。
【図５７Ａ】図56の線57A-57Aに沿って切り取られた図54の履物の物品の断面図である。
【図５７Ｂ】図56の線57B-57Bに沿って切り取られた図54の履物の物品の断面図である。
【図５８】本開示の原理によるソール構造を組み込んでいる履物の物品の斜視図である。
【図５９】図58の履物の物品の分解図である。
【図６０】図58の履物の物品の底面図である。
【図６１Ａ】図60の線61A-61Aに沿って切り取られた図58の履物の物品の断面図である。
【図６１Ｂ】図60の線61B-61Bに沿って切り取られた図58の履物の物品の断面図である。
【考案を実施するための形態】
【００１０】
対応する符号は、図面のいくつかの図を通じて対応する部品を指示している。
【００１１】
ここでは、例の実施形態は、添付の図面を参照してより完全に記載されている。例の実施形態は、この開示が徹底的となり、その範囲を当業者に十分に伝えるように提供されている。特定の構成要素、デバイス、および方法の例など、数多くの明確な詳細が、本開示の実施形態の完全な理解を提供するために記述されている。具体的な詳細が用いられる必要がないことと、例の実施形態が多くの異なる形態で具現化できることと、いずれも開示の範囲を限定するように解釈されるべきではないこととは、当業者には明らかである。一部の例の実施形態では、よく知られている過程、よく知られているデバイス構造、および、よく知られている技術は、詳細に記載されていない。
【００１２】
本明細書において使用されている専門用語は、具体的な例の実施形態を記載する目的のためだけであり、限定するように意図されていない。本明細書で用いられているように、単数の形態「1つ」および「その」は、文脈が明確に指示していない場合、複数の形態を同じく含むように意図されている。「備える」、「備えている」、「含む」、および「有する」という用語は包括的であり、そのため、特徴、整数、ステップ、動作、要素、および/または構成要素の存在を明示するが、1つまたは複数の他の特徴、整数、ステップ、動作、要素、構成要素、および/またはそれらの群の存在または追加を排除しない。本明細書に記載した方法のステップ、処理、および動作は、実施の順番として明示的に特定されていない場合、検討または図示した具体的な順番でのそれらの実施を必ず要求するとして解釈されるものではない。追加または代替のステップが採用され得ることも理解されるものである。
【００１３】
要素または層が別の要素または層に「ある」、「係合される」、「連結される」、または「結合される」と言うとき、その要素または層は別の要素または層に、直接的にある、直接的に係合される、直接的に連結される、もしくは直接的に結合されてもよく、または、介在する要素または層が存在してもよい。対照的に、要素が別の要素または層に「直接的にある」、「直接的に係合される」、「直接的に連結される」、または「直接的に結合される」と言うとき、介在する要素または層が存在しない可能性がある。要素同士の間の関係を記載するために使用される他の語は、同様の形で解釈されるべきである(例えば、「〜の間」と「〜の間で直接的に」、「隣接して」と「直接的に隣接して」など)。本明細書で用いられているように、「および/または」という用語は、関連する列記した項目のうちの1つまたは複数の任意のすべての組合せを含む。
【００１４】
第1、第2、第3などの用語が様々な要素、構成要素、領域、層、および/または区域を記載するために本明細書において使用され得るが、これらの要素、構成要素、領域、層、および/または区域は、これらの用語によって限定されるべきではない。これらの用語は、1つの要素、構成要素、領域、層、または区域を別の領域、層、または区域から区別するために使用されるだけであり得る。本明細書で使用されるときの「第1」、「第2」などの用語および他の数詞の用語は、文脈によって明確に指示されていない場合、順序または順番の意味を含んでいない。したがって、後で検討されている第1の要素、構成要素、領域、層、または区域は、例の実施形態の教示から逸脱することなく、第2の要素、構成要素、領域、層、または区域と称することができる。
【００１５】
「内側」、「外側」、「〜の下」、「〜の下方」、「下方」、「〜の上方」、「上方」などの空間的に相対的な用語が、図において示されているように、ある要素または特徴部の別の要素または特徴部に対する関係を記載するために、記載の容易性のために本明細書では使用される可能性がある。空間的に相対的な用語は、図において描写されている配向に加えて、使用中または動作中におけるデバイスの他の配向を包含するように意図されてもよい。例えば、図におけるデバイスがひっくり返される場合、他の要素または特徴部の「〜の下方」または「〜の下」として記載されていた要素は、他の要素または特徴部の「〜の上方」に配向されることになる。したがって、「〜の下方」という例の用語は、上方の配向と下方の配向との両方を包含できる。デバイスは、他で配向されてもよく(90度または他の配向で回転させられる)、本明細書で使用される空間的に相対的な記載は、それに応じて解釈される。
【００１６】
図を参照すると。アッパーを有する履物の物品のためのソール構造が提供されている。ソール構造は、地上係合面と、地上係合面とは反対の側に形成される上面とを有するアウトソールを備える。ミッドソールが提供され、上方部分と下方部分とを備える。下方部分は、アウトソールに付着させられ、上方部分の前足領域から上方部分の踵領域に向かう方向において延びる第1の区分と、上方部分の踵領域から上方部分の前足領域に向かう方向において延び、ミッドソールの長手方向軸に沿って第1の区分からある隙間で離間される第2の区分とを含む。少なくとも1つの板はミッドソールから隙間へと延び、緩衝材はミッドソールの隙間に配置され、板に結合される。
【００１７】
本開示の実施は、以下の任意選択の特徴のうちの複数のうちの1つを含み得る。一部の実施では、板の第1の端がミッドソールの第1の区分に結合され、板の第2の端がミッドソールの第2の区分に結合され、板の中間部分が隙間を通じて第1の端から第2の端へと延び、緩衝材に結合される。
【００１８】
板の第1の端はミッドソールの第1の区分の内部に埋め込むことができ、板の第2の端はミッドソールの第2の区分の内部に埋め込むことができる。一部の例では、板の第1の端がミッドソールの上方部分とミッドソールの第1の区分との間に配置され、第1の板の第2の端がミッドソールの上方部分とミッドソールの第2の区分との間に配置される。
【００１９】
一部の実施では、板の中間部分は緩衝材とミッドソールの上方部分との間に配置される。ここで、緩衝材は、板とアウトソールとの間に配置される第1の流体充填室を有するソール構造の内側面に近接して配置される第1の緩衝材と、板とアウトソールとの間に配置される第2の流体充填室を有するソール構造の外側面に近接して配置される第2の緩衝材とを含み得る。第2の緩衝材は第1の緩衝材から流体的に隔離され得る。
【００２０】
他の実施では、緩衝材は板の中間部分とミッドソールの上方部分との間に配置され得る。ここで、緩衝材は、ソール構造の内側面に近接して配置され、ミッドソールの上方部分と板の中間部分との間に配置される第1の流体充填室を含む第1の緩衝材と、ソール構造の外側面に近接して配置され、ミッドソールの上方部分と板の中間部分との間に配置される第2の流体充填室を含む第2の緩衝材とを備え、第2の緩衝材は第1の緩衝材から流体的に隔離される。
【００２１】
板は、ミッドソールの上方部分と緩衝材との間に配置される第1の板と、ミッドソールの下方部分から延び、緩衝材とアウトソールとの間に配置される第2の板とを含み得る。任意選択で、第1の板および第2の板の少なくとも一方は炭素繊維から形成される。
【００２２】
本開示の一態様では、アッパーを有する履物の物品のためのソール構造が提供される。ソール構造は、地上係合面と、アウトソールの反対の側に形成される、地上係合面より上の面とを有するアウトソールを備える。ソール構造は、上方部分と下方部分とを有するミッドソールをさらに含む。下方部分は、アウトソールに付着させられ、上方部分の前足領域から上方部分の踵領域に向かう方向において延びる第1の区分と、上方部分の踵領域から上方部分の前足領域に向かう方向において延び、ミッドソールの長手方向軸に沿って第1の区分からある隙間で離間される第2の区分とを含む。緩衝材は、ミッドソールの隙間に配置され、ソール構造の内側面に近接して配置される第1の緩衝材と、ソール構造の外側面に近接して配置される第2の緩衝材とを含む。第2の緩衝材は第1の緩衝材から隔離される。第1の板が、ミッドソールの第1の区分、ミッドソールの第2の区分、および緩衝材の各々に結合される。
【００２３】
本開示の実施は、以下の任意選択の特徴のうちの複数のうちの1つを含み得る。一部の実施では、緩衝材は、第1の板とアウトソールとの間に配置される第1の流体充填室を含む第1の緩衝材を備え、ソール構造の外側面に近接して配置される第2の緩衝材は、第1の板とアウトソールとの間に配置される第2の流体充填室を含む。第2の緩衝材は第1の緩衝材から流体的に隔離される。一部の例では、第1の流体充填室および第2の流体充填室の少なくとも一方がそれに配置された引張部材を含む。
【００２４】
一部の実施では、第1の流体充填室および第2の流体充填室の少なくとも一方がそれに配置された引張部材を含む。第1の流体充填室は、ソール構造の内側面から外側面へと延びる方向において第2の流体充填室と並べられ得る。
【００２５】
一部の構成では、ソール構造は、第1の板から離間され、ミッドソールの第1の区分に結合される第1の端と、ミッドソールの第2の区分に結合される第2の端と、緩衝材に結合される中間部分とを有する第2の板を含み、そのため緩衝材は第1の板と第2の板との間に配置される。任意選択で、第2の板は炭素繊維から形成される。ここで、緩衝材は、第1の板と第2の板との間に配置される第1の流体充填室、および、第2の板とアウトソールとの間に配置される第2の流体充填室を含む第1の緩衝材と、第1の板と第2の板との間に配置される第3の流体充填室、および、第2の板とアウトソールとの間に配置される第4の流体充填室を含む第2の緩衝材とを備え、そのため第2の緩衝材は第1の緩衝材から流体的に隔離される。
【００２６】
任意選択で、ソール構造は、緩衝材とアウトソールとの間に配置される第3の板をさらに備える。第3の板は、ミッドソールの第1の区分および緩衝材の各々に結合される。第2の板および第3の板の少なくとも一方は、第1の区分と緩衝材との間に形成される切欠きを含み得る。
【００２７】
一部の例では、第2の板の第1の端は、タブの第1の対を定める第1の切込みを含み、第2の板の第2の端は、タブの第2の対を定める第2の切込みを含み、タブの第1の対はミッドソールの下方部分の第1の区分に埋め込まれ、タブの第2の対はミッドソールの下方部分の第2の区分に埋め込まれる。
【００２８】
本開示の一態様では、アッパーを有する履物の物品のためのソール構造が提供される。ソール構造は、地上係合面と、地上係合面とは反対の側に形成される上面とを有するアウトソールを備える。第1の緩衝材は、ソール構造の内側面に近接して配置され、アウトソールの上面に付着させられる第1の流体充填室と、第1の流体充填室に付着させられ、第1の流体充填室とアッパーとの間に配置される第2の流体充填室とを含む。第2の緩衝材は、ソール構造の外側面に近接して配置され、アウトソールの上面に付着させられる第3の流体充填室と、第3の流体充填室に付着させられ、第3の流体充填室とアッパーとの間に配置される第4の流体充填室とを含む。第2の緩衝材は第1の緩衝材から流体的に隔離される。
【００２９】
本開示の実施は、以下の任意選択の特徴のうちの複数のうちの1つを含み得る。一部の実施では、第1の区分は第1の側面に沿って形成され、第2の区分は地上係合面の第1の領域において形成され、第3の区分は第2の側面に沿って形成される。
【００３０】
一構成では、第1の流体充填室は第2の流体充填室から流体的に隔離されてもよく、第3の流体充填室は第4の流体充填室から流体的に隔離されてもよい。さらに、第1の緩衝材は第2の緩衝材から離間および分離されてもよい。
【００３１】
第1の緩衝材は第2の緩衝材よりソール構造の前方端の近くに配置され得る。第3の緩衝材は第2の緩衝材とソール構造の後方端との間に配置され得る。第3の緩衝材は、アウトソールの上面に付着させられる第5の流体充填室と、第5の流体充填室に付着させられ、第5の流体充填室とアッパーとの間に配置される第6の流体充填室とを含み得る。
【００３２】
アウトソールは、上面を形成するアウトソール板部材と、地上係合面においてアウトソール板部材から延びる一連のトラクション要素とを含み得る。一構成では、トラクション要素は弾性材料から形成される。別の構成では、トラクション要素は圧縮性材料から形成される。なおも別の構成では、トラクション要素は剛性材料から形成される。トラクション要素の構造に拘わらず、アウトソール板部材は剛性材料から形成され得る。
【００３３】
板部材はソール構造の前方端から後方端に向けて延び得る。第1の緩衝材および第2の緩衝材は板部材とアウトソールの上面との間に配置され得る。
【００３４】
一構成では、第1の流体充填室、第2の流体充填室、第3の流体充填室、および第4の流体充填室の少なくとも1つは、それに配置される引張部材を含む。
【００３５】
第1の緩衝材は地上係合面において第1の膨出部を形成し、第2の緩衝材は地上係合面において第2の膨出部を形成してもよい。第1の膨出部は、ソール構造の長手方向軸と実質的に平行に延びる方向において第2の膨出部からずれてもよい。
【００３６】
一構成では、第1の流体充填室は第2の流体充填室と並べられてもよい。さらに、第3の流体充填室は第4の流体充填室と並べられてもよい。
【００３７】
アウトソールは第2の緩衝材からソール構造の前方端へと延びてもよい。緩衝要素がアウトソールの上面とアッパーとの間に配置されてもよい。緩衝要素はソール構造の前方端と第1の緩衝材との間に配置され得る。一構成では、緩衝要素は発泡材から形成される。さらに、緩衝要素はソール構造の前方端に向かう方向において先細りであり得る。
【００３８】
別の構成では、アッパーを有する履物の物品のためのソール構造が提供される。ソール構造は、地上係合面と、地上係合面とは反対の側に形成される上面とを有するアウトソールを備える。第1の緩衝材は、ソール構造の内側面に近接して配置され、アウトソールの上面に付着させられる第1の流体充填室と、第1の流体充填室に付着させられ、第1の流体充填室とアッパーとの間に配置される第2の流体充填室とを含む。第2の緩衝材は、ソール構造の外側面に近接して配置され、アウトソールの上面に付着させられる第3の流体充填室と、第3の流体充填室に付着させられ、第3の流体充填室とアッパーとの間に配置される第4の流体充填室とを含む。第2の緩衝材は、ソール構造の長手方向軸と実質的に平行に延びる方向において第1の緩衝材からずれる。
【００３９】
一構成では、第1の流体充填室は第2の流体充填室から流体的に隔離されてもよく、第3の流体充填室は第4の流体充填室から流体的に隔離されてもよい。さらに、第1の緩衝材は第2の緩衝材から離間および分離されてもよい。
【００４０】
第1の緩衝材は第2の緩衝材よりソール構造の前方端の近くに配置され得る。第3の緩衝材は第2の緩衝材とソール構造の後方端との間に配置され得る。第3の緩衝材は、アウトソールの上面に付着させられる第5の流体充填室と、第5の流体充填室に付着させられ、第5の流体充填室とアッパーとの間に配置される第6の流体充填室とを含み得る。
【００４１】
アウトソールは、上面を形成するアウトソール板部材と、地上係合面においてアウトソール板部材から延びる一連のトラクション要素とを含み得る。一構成では、トラクション要素は弾性材料から形成される。別の構成では、トラクション要素は圧縮性材料から形成される。なおも別の構成では、トラクション要素は剛性材料から形成される。トラクション要素の構造に拘わらず、アウトソール板部材は剛性材料から形成され得る。
【００４２】
板部材はソール構造の前方端から後方端に向けて延び得る。第1の緩衝材および第2の緩衝材は板部材とアウトソールの上面との間に配置され得る。
【００４３】
一構成では、第1の流体充填室、第2の流体充填室、第3の流体充填室、および第4の流体充填室の少なくとも1つは、それに配置される引張部材を含む。
【００４４】
第1の緩衝材は地上係合面において第1の膨出部を形成し、第2の緩衝材は地上係合面において第2の膨出部を形成してもよい。
【００４５】
一構成では、第1の流体充填室は第2の流体充填室と並べられてもよい。さらに、第3の流体充填室は第4の流体充填室と並べられてもよい。
【００４６】
アウトソールは第2の緩衝材からソール構造の前方端へと延びてもよい。緩衝要素がアウトソールの上面とアッパーとの間に配置されてもよい。緩衝要素はソール構造の前方端と第1の緩衝材との間に配置され得る。一構成では、緩衝要素は発泡材から形成される。さらに、緩衝要素はソール構造の前方端に向かう方向において先細りであり得る。
【００４７】
本開示の別の態様では、アッパーを有する履物の物品のためのソール構造が、地上係合面、および、前記地上係合面とは反対の側に形成される上面を有するアウトソールを備える。ソール構造のミッドソールがアウトソールに付着させられ、隙間を定める上方部分と下方部分とを含む。下方部分は、上方部分の前足領域から延びる第1の区分と、上方部分の踵領域から延びる第2の区分とを含む。緩衝材がミッドソールの隙間に配置され、第1の板が緩衝材とミッドソールの上方部分との間に配置され、第2の板がミッドソールの第1の区分と緩衝材とに結合される。
【００４８】
一部の例では、緩衝材は、ソール構造の内側面に近接して配置され、第1の板と第2の板との間に配置される第1の流体充填室、および、第2の板とアウトソールとの間に配置される第2の流体充填室を含む第1の緩衝材と、ソール構造の外側面に近接して配置され、第1の板と第2の板との間に配置される第3の流体充填室、および、第2の板とアウトソールとの間に配置される第4の流体充填室を含む第2の緩衝材とを備え、第2の緩衝材は第1の緩衝材から流体的に隔離される。
【００４９】
第2の板の第1の端はミッドソールの第1の区分に結合でき、第2の板の第2の端はミッドソールの第2の区分に結合できる。一部の例では、第2の板の第1の端はミッドソールの第1の区分の内部に埋め込まれる。一部の例では、第2の板の第2の端はミッドソールの第2の区分の内部に埋め込まれる。他の例では、第2の板の第2の端は第2の区分の前足に向かい合う側壁に結合される。
【００５０】
第1の板の第1の端がミッドソールの上方部分とミッドソールの第1の区分との間に配置でき、第1の板の第2の端がミッドソールの上方部分とミッドソールの第1の区分との間に配置できる。
【００５１】
一部の例では、第2の板は、ソール構造の最前方の点から中足指節の点まで一定の曲率半閉を有する凹んだ中間部分を含む。
【００５２】
代替で、緩衝材は、ソール構造の内側面に近接して配置され、第1の板に付着させられる第1の流体充填室と、第1の流体充填室に付着させられ、第1の流体充填室と第2の板との間に配置される第2の流体充填室とを含む第1の緩衝材を備え得る。緩衝材は、ソール構造の外側面に近接して配置され、第1の板に付着させられる第3の流体充填室と、第3の流体充填室に付着させられ、第3の流体充填室と第2の板との間に配置される第4の流体充填室とを含む第2の緩衝材をさらに備えてもよく、第2の緩衝材は第1の緩衝材から流体的に隔離される。
【００５３】
第2の板はミッドソールの第1の区分からミッドソールの第2の区分へと延び得る。第2の板の第1の端は第1の区分の前方端に結合されてもよく、第2の板の第2の端はミッドソールの第2の区分の内部に埋め込まれてもよい。
【００５４】
第2の板の中間部分は上向きに湾曲され、緩衝材とミッドソールの第2の区分との中間に配置されるダンパを含み得る。ダンパは、中間部分から第2の区分への捩じり力の伝達を最小限にするように構成される。
【００５５】
ミッドソールは、第1の区分と第2の区分との間で延び、緩衝材を横方向で分割するリブをさらに含んでもよい。
【００５６】
図1〜図7を参照すると、履物10の物品が提供されており、アッパー12と、アッパー12に付着させられたソール構造14とを備えている。履物10の物品は1つまたは複数の領域へと分割できる。それら領域は、前足領域16と、中足領域18と、踵領域20とを含み得る。前足領域16は、つま先と、中足骨を足の指骨と連結する関節とに対応できる。中足領域18は足の土踏まずの領域に対応でき、踵領域20は、踵骨を含む足の後部分に対応できる。履物10の物品は、履物10の物品の反対の側に対応し、領域16、18、20を通じて延びる履物10の物品の内側面22および外側面24を追加的に含み得る。
【００５７】
アッパー12は、ソール構造14における支持のために足を受け入れて固定する内部空所26を定める内部面を含む。踵領域20における足首開口部28が内部空所26へのアクセスを提供できる。例えば、足首開口部28は、足を空所26内で固定するために足を受け入れることができ、内部空所26への足の進入と、内部空所26からの足の抜き出しとを容易にすることができる。一部の例では、1つまたは複数の留め具30が、足の周りでの内部空所26の適合を調整する一方で、同時に足の進入および抜き出しの便宜を図るために、アッパー12に沿って延びる。アッパー12は、留め具30を受け入れる、織物または網目の環体などの小穴および/または他の係合特徴部など、開口32を含み得る。留め具30には、紐、ストラップ、コード、面ファスナ、または任意の他の適切な種類の留め具があり得る。
【００５８】
アッパー12は、内部空所26と留め具30との間で延びる舌部分34を追加的に含み得る。アッパー12は、内部空所26を形成するために一体に縫い付けまたは接着結合される1つまたは複数の材料から形成され得る。アッパー12の適切な材料には、織物、発泡材、皮革、および合成皮革があり得る。材料は、耐久性、通気性、耐摩耗性、柔軟性、および、内部空所26の内部に配置される間の足への快適性の特徴を付与するように選択および位置付けされ得る。
【００５９】
ソール構造14はアッパー12に付着させられ、使用の間に履物10の物品に支持および緩衝を提供する。つまり、ソール構造14は、履物10の物品が使用の間に地面を打ちつけることによって引き起こされる地面反力を弱める。したがって、後で記述しているように、ソール構造14は、履物10の物品を着用しているときに使用者によって経験される衝撃をソール構造14が最小限とすることができるように、エネルギー吸収特性を有する1つまたは複数の材料を組み込むことができる。
【００６０】
ソール構造14は、ミッドソール36と、アウトソール38と、ミッドソール36とアウトソール38との間に概して配置される1つまたは複数の緩衝材または緩衝構成40とを含み得る。また、ソール構造14は、履物10の物品の前方端44から後方端46に向かって延びる板42を含み得る。1つの構成において、板42はアッパー12に直接的に付着させられる。別の構成では、板42は、図2〜図6に示しているように、シュトローベル48を介してアッパー12に付着させられる。板42は、アッパー12に直接的に付着させられ得る、または、シュトローベル48を介してアッパー12に直接的に付着させられ得る一方で、板42は、以後において、シュトローベル48を介してアッパー12に付着させられているとして記載および図示されている。
【００６１】
引き続き図2〜図7を参照すると、ミッドソール36は、履物10の物品の前方端44から後方端46へと延びているとして示されている。ミッドソール36は、例えばポリマ発泡材などのエネルギー吸収材料から形成され得る。一構成では、ミッドソール36は、板42がミッドソール36とシュトローベル48との間で延びるようにアッパー12のシュトローベル48に相対する。ミッドソール36は、アッパー12とシュトローベル48との接合部を覆うように、アッパー12(図3)の上面50へと少なくとも部分的に延びてもよい。
【００６２】
ポリマ発泡材などのエネルギー吸収材料からミッドソール36を形成するによって、ミッドソール36は、使用の間に地上の上での履物10の物品の移動によって引き起こされる地面反力を弱めることができる。履物10の物品の使用と関連付けられる力を吸収することに加えて、ミッドソール36は、シュトローベル48を介して板42をアッパー12に付着させるように作用できる。適切な接着剤(図示せず)が、板42をミッドソール36とシュトローベル48との一報または両方に付着させるために使用されてもよい。代替で、板42は、ミッドソール36の材料を板42に型成形することでミッドソール36に付着させられてもよい。例えば、板42は、ミッドソール36を形成するために型(図示せず)の空洞の内部に配置されてもよい。したがって、ミッドソール36が形成されるとき(つまり、ポリマ材料を形成することによって)、ミッドソール36の材料は板42の材料に結合され、それによってミッドソール36と板42との両方を有する単一の構造を形成する。
【００６３】
板42がアッパー12とミッドソール36との間に配置されるとして記載および図示されているが、板42は、代替でミッドソール36の材料の内部に埋め込まれてもよい。例えば、板42は、ミッドソール36の一部分が板42とアッパー12との間で延び、ミッドソール36の別の一部分が板42とアウトソール38との間で延びるように、ミッドソール36によって封入されてもよい。なおもさらには、板42はミッドソール36の内部に配置され得るが、完全に封入されてなくてもよい。例えば、板42はミッドソール36の周辺の周りで視認可能であり得るが、ミッドソール36の一部分が板42とアッパー12との間で延び、ミッドソール36の別の一部分が板42とアウトソール38との間で延びる。
【００６４】
ミッドソール36に対する板42の具体的な場所に拘わらず、板42は比較的剛性の材料から形成され得る。例えば、板42は、非発泡性のポリマ材料から、または代替で、炭素繊維などの繊維を含有する複合材料から、形成され得る。板42を比較的剛性の材料から形成することで、板42は、後でより詳細に記載しているように、履物10の物品が地上面を打ちつけるときに物品の履物10の使用に関連する力を分散することができる。
【００６５】
板42を形成するために使用される材料に拘わらず、板42は、前方端44から後方端46へと延びるいわゆる「全体の長さの板」であり得る。板42を前方端44から後方端46へと延ばすことによって、板42を前足領域16から中足領域18を通って踵領域20へと延ばせる。板42は前足領域16から踵領域20へと延びる全体の長さの板であり得るが、板42は、代替でソール構造14の一部分だけを通じて延びてもよい。例えば、板42は、中足領域18を完全に通じて踵領域20へと延びることなく、履物10の物品の前方端44から中足領域18へと延びてもよい。
【００６６】
図1に示しているように、アウトソール38は、空洞52をそれらの間に定めるためにミッドソール36から離間される。アウトソール38は、地上係合面54と、地上係合面54とは反対のアウトソール38の側に形成される上面56とを含み得る。アウトソール38は、例えば、履物10の物品に、トラクションおよび耐久性を提供する地上係合面54を提供するゴムなど、弾性材料から形成され得る。地上係合面54は、使用の間に履物10の物品に増加したトラクションを提供するために、地上係合面54から延びる1つまたは複数のトラクション要素55(図7)を含み得る。
【００６７】
アウトソール38は、上面56に付着させられるアウトソール板58を追加的に含んでもよい。板42と同様に、アウトソール板58は、例えば、非発泡性のポリマ、または、炭素繊維などの繊維を含有する複合材料など、比較的剛性の材料から形成され得る。アウトソール板58は、ミッドソール36に相対し、空洞52の少なくとも一部分を定める表面60を含み得る。アウトソール38は、図1に示しているように、前方端44においてアッパー12に付着または結合されるタブ62において、アッパー12に付着させられ得る。
【００６８】
図1〜図3を具体的に参照すると、緩衝構成40が、内側の緩衝材または緩衝構成64と外側の緩衝材または緩衝構成66とを含むように示されている。内側緩衝構成64はソール構造14の内側面22に近接して配置されるが、外側緩衝構成66はソール構造14の外側面24に近接して配置される。図3に示しているように、内側緩衝構成64は第1の流体充填室68と第2の流体充填室70とを含む。引き続き図3を参照すると、外側緩衝構成66は同じく第3の流体充填室72と第4の流体充填室74とを含む。
【００６９】
第1の流体充填室68はアッパー12と第2の流体充填室70との間に概して配置されるが、第2の流体充填室70はアウトソール板58と第1の流体充填室68との間に配置される。明確には、第1の流体充填室68は、第1の側においてミッドソール36に付着させられ、第2の側において第2の流体充填室70に付着させられる。第2の流体充填室70は、第1の側においてアウトソール板58の表面60に付着させられ、第2の側において第1の流体充填室68に付着させられる。流体充填室68、70は、適切な接着剤を介して、互いに付着させられてもよく、および、ミッドソール36およびアウトソール板58にそれぞれ付着させられてもよい。追加または代替で、第1の流体充填室68は、第1の流体充填室68の材料と第2の流体充填室70の材料とを第1の流体充填室68と第2の流体充填室70との接合部において融合させることで、第2の流体充填室70に付着させられてもよい。
【００７０】
第1の流体充填室68および第2の流体充填室70は第1の障壁要素76と第2の障壁要素78とを含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図3に示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は内部空所80を封止し、それによって第1の流体充填室68および第2の流体充填室70の容積を定める。
【００７１】
第1の障壁要素76および第2の障壁要素78の内部空所80はそこに引張要素84を受け入れることができる。各々の引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、第1の流体充填室68および第2の流体充填室70が加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室68の所望の形と第2の流体充填室70の所望の形とを保持する。
【００７２】
引き続き図3を参照すると、外側緩衝構成66は同じく第3の流体充填室72と第4の流体充填室74とを含む。内側緩衝構成64に関して、第3の流体充填室72はアッパー12と第4の流体充填室74との間に配置され、第4の流体充填室74はアウトソール板58と第3の流体充填室72との間に配置される。第3の流体充填室72は、第1の側においてミッドソール36に付着させられ、第1の側と反対の第3の流体充填室72の側に位置付けられる第2の側において第4の流体充填室74に付着させられる。第4の流体充填室74は、第1の側においてアウトソール板58の表面60に付着させられ、第1の側と反対の第4の流体充填室74の側に位置付けられる第2の側において第3の流体充填室72に付着させられる。第3の流体充填室72および第4の流体充填室74は第1の流体充填室68および第2の流体充填室70と同一であり得る。したがって、第3の流体充填室72および第4の流体充填室74は、第1の障壁要素76、第2の障壁要素78、内部空所80、周囲の継目82、および、内部空所80の内部に配置された引張要素84を各々含み得る。
【００７３】
前述したように、内側緩衝構成64および外側緩衝構成66は、アッパー12とアウトソール38との間で受け入れられる流体充填室68、70、72、74の対を各々含む。一構成では、第1の流体充填室68は第2の流体充填室70から流体的に隔離され、第3の流体充填室72は第4の流体充填室74から流体的に隔離される。なおもさらには、内側緩衝構成64(つまり、第1の流体充填室68および第2の流体充填室70)は、外側緩衝構成66(つまり、第3の流体充填室72および第4の流体充填室74)から流体的に隔離される。
【００７４】
内側緩衝構成64および外側緩衝構成66は、積み重ねられた流体充填室の対を含むとして記載および図示されているが、代替で他の緩衝要素を含む可能性もある。例えば、図4を参照すると、内側緩衝構成64および外側緩衝構成66は、第2の流体充填室70および第4の流体充填室74をそれぞれ置き換える発泡材ブロック92を各々含み得る。発泡材ブロック92は、第1の障壁要素76および第2の障壁要素78によって定められた内部空所80の内部に受け入れられ得る。第1の障壁要素76および第2の障壁要素78によって定められた内部空所80の内部に発泡材ブロック92を位置決めすることによって、障壁要素76、78は、所定の荷重に曝されるとき、発泡材ブロック92の所定の量を越えての膨張を制限することができる。したがって、全体の形、延いては発泡材ブロック92の性能は、発泡材ブロック92を荷重の掛かる間に障壁要素76、78と相互作用させることで制御できる。発泡材ブロック92は障壁要素76、78の内部空所80の内部に受け入れられるとして記載および図示されているが、発泡材ブロック92は、障壁要素76、78の存在しない空洞52の内部に代替で位置決めされてもよい。このような構成において、発泡材ブロック92は、アウトソール板58の表面60と、第1の流体充填室68および第3の流体充填室72の第2の障壁要素78とにそれぞれ直接的に付着させられる。
【００７５】
第2の流体充填室70および第4の流体充填室74は、発泡材ブロック92と置き換えられるとして記載および図示されているが、第1の流体充填室68および第3の流体充填室72は、図4に示した発泡材ブロック92などの別の緩衝要素と代替で置き換えられてもよい。発泡材ブロック92での第1の流体充填室68の置き換えと、発泡材ブロック92での第3の流体充填室72の置き換えとは、図5に示されている。
【００７６】
最後に、第1の流体充填室68、第2の流体充填室70、第3の流体充填室72、および第4の流体充填室74は、図6に示しているように、発泡材ブロック92で置き換えられてもよい。内側緩衝構成64および外側緩衝構成66の具体的な構成(つまり、発泡材ブロック、流体充填室、またはそれらの組合せの使用)は、内側面22および外側面24において要求される緩衝の大きさによって決定付けられ得る。
【００７７】
内側緩衝構成64および外側緩衝構成66の具体的な構造に拘わらず、内側緩衝構成64は、図7に示しているように、ソール構造14の長手方向軸(L)に沿って延びる方向において、外側緩衝構成66の前方に位置決めされ得る。つまり、内側緩衝構成64は、外側緩衝構成66よりソール構造14の前方端44の近くに配置される。内側緩衝構成64は外側緩衝構成66より前方端44の近くに配置されるが、内側緩衝構成64は、内側緩衝構成64がソール構造14の内側面22と外側面24との間で延びる方向において外側緩衝構成66と少なくとも一部相対するように、外側緩衝構成66と重なる。
【００７８】
前述したように、内側緩衝構成64および外側緩衝構成66は、ソール構造14における離散した場所に配置される積み重ねられた緩衝要素の対を各々提供する。一構成では、内側緩衝構成64および外側緩衝構成66は、内側面22および外側面24において緩衝をそれぞれ提供するように協働する積み重ねられた流体充填室(つまり、符号68、70、72、74)の対を各々提供する。個別の流体充填室68、70、72、74は同じ容積を含んでもよく、さらに、同じ圧力にあってもよい。例えば、個別の流体充填室68、70、72、74は、1インチあたり15〜30ポンド(psi)の範囲内の圧力であり得、好ましくは、20〜25psiの範囲内の圧力であり得る。代替で、様々な流体充填室68、70、72、74の圧力は、緩衝構成64、66の間で、および/または、各々の緩衝構成64、66の内部で、異なってもよい。例えば、第1の流体充填室68は第2の流体充填室70と同じ圧力を含んでもよく、または代替で、第1の流体充填室68は第2の流体充填室70と異なる圧力を含んでもよい。同様に、第3の流体充填室72は第4の流体充填室74と同じまたは異なる圧力を含んでもよく、第1の流体充填室68および/または第2の流体充填室70と異なる圧力を含んでもよい。
【００７９】
動作の間、地上係合面54が地上と接触するとき、力がアウトソール板58を介して内側緩衝構成64および外側緩衝構成66へと伝達される。つまり、力は、第1の流体充填室68、第2の流体充填室70、第3の流体充填室72、および第4の流体充填室74へと伝達される。加えられた力は個別の流体充填室68、70、72、74を圧縮させ、それによって地上と接触するアウトソール38に関連する力を吸収する。力はミッドソール36および板42へと伝達されるが、点状または局所的な荷重として使用者によって経験されることはない。つまり、前述したように、板42は剛性材料から形成されているとして記載されている。したがって、内側緩衝構成64および外側緩衝構成66がソール構造14に沿う離散した場所に位置付けられているが、内側緩衝構成64および外側緩衝構成66によって板42に発揮された力は、加えられた力が個別の離散した場所において使用者の足に加えられないように、板42の長さにわたって散らされる。むしろ、内側緩衝構成64および外側緩衝構成66の場所において加えられた力は、板42の剛性のため、板42の長さに沿って散らされ、このようにして、足が内部空所26の内部に配置されたインソール94と接触しているとき、点状の荷重が使用者の足によって経験されることはない。
【００８０】
図8〜図14を具体的に参照すると、履物10aの物品が提供されており、アッパー12と、アッパー12に付着させられたソール構造14aとを備えている。履物10aの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【００８１】
図9〜図13を具体的に参照すると、ソール構造14aは、ミッドソール36aと、アウトソール38aと、ミッドソール36aとアウトソール38aとの間に配置された緩衝構成40と、板42とを含むように示されている。図10に示しているように、板42は、ミッドソール36aと、アッパー12と関連付けられるシュトローベル48との間に配置される。前述した物品の履物10と同様に、板42はアッパー12に直接的に付着させられ、それによってシュトローベル48についての必要性を取り除いている。シュトローベル48は除去でき、板42はアッパー12に直接的に付着できるが、ソール構造14aは、アッパー12と板42との間に配置されるシュトローベル48を含むとして以後では記載および図示されている。また、板42はミッドソール36aとシュトローベル48との間に配置されるとして記載および図示されているが、板42は、ミッドソール36aの一部分がシュトローベル48と板42との間で延びるように、ミッドソール36aの材料の内部に少なくとも一部埋め込まれてもよい。
【００８２】
ミッドソール36aは、前述した履物10の物品と関連するミッドソール36と同様の様態で、発泡性ポリマ材料から形成され得る。しかしながら、ミッドソール36aは、ミッドソール36aがミッドソール36と比較してソール構造14aの踵領域20の部分においてより厚い点において、履物10の物品のミッドソール36と異なる形を備え得る。明確には、ミッドソール36aは、前足領域16から踵領域20へと延びる実質的に連続する表面96をミッドソール36aに提供する厚さを踵領域20および中足領域18において含み得る。
【００８３】
ミッドソール36aは実質的に連続する表面96を含むが、連続する表面96は内側凹部98と外側凹部100とにおいて途切れさせられてもよい。図9に示しているように、内側凹部98はソール構造14aの内側面22に配置されてもよく、外側凹部100はソール構造14aの外側面24に配置されてもよい。一構成では、内側凹部98および外側凹部100は、内側凹部98および外側凹部100の少なくとも一方がミッドソール36aの側壁102を通じて延びるように、ミッドソール36aの材料へと形成される。内側凹部98および外側凹部100がミッドソール36aの側壁102を通じて延びるとして以後において図示および記載されているが、内側凹部98および/または外側凹部100は、内側凹部98および/または外側凹部100が視界から隠されるように側壁102から代替で離間されてもよい。このような構成では、側壁102は、前足領域16から踵領域20へと延びる実質的に一定の外面を含むことになる。
【００８４】
図10〜図13を具体的に参照すると、内側凹部98および外側凹部100は、それらにおいて緩衝構成40のそれぞれの一部分を受け入れる。つまり、内側凹部98は内側緩衝構成64を受け入れ、外側凹部100は外側緩衝構成66を受け入れる。内側緩衝構成64および外側緩衝構成66は、前述した履物10の物品のソール構造14に組み込まれるものと同一である。したがって、内側緩衝構成64は、図14に示しているように、外側緩衝構成66よりソール構造14aの前方端44の近くに配置される。
【００８５】
引き続き図10〜図13を参照すると、内側緩衝構成64および外側緩衝構成66は、内側凹部98および外側凹部100の内部にそれぞれ配置されているとして示されており、側壁102において露出されている。さらに、内側緩衝構成64および外側緩衝構成66は、ミッドソール36aの実質的に連続する表面96から突出するとして示されている。このようにして、内側緩衝構成64および外側緩衝構成66はミッドソール36aの内側凹部98および外側凹部100の内部にそれぞれ受け入れられ、アウトソール38aは実質的に連続する表面96に付着させられ、一対の膨出部104は、図14に示しているように、アウトソール38aにおいて内側緩衝構成64および外側緩衝構成66の場所で視認可能である。膨出部104は、内側緩衝構成64および外側緩衝構成66が存在しないアウトソール38aの他の領域において、アウトソール38aによって定められる名目上の平面から盛り上がっている。
【００８６】
内側緩衝構成64および外側緩衝構成66は、ソール構造14に関して前述した流体充填室68、70、72、74を含んでもよい。さらに、内側緩衝構成64および外側緩衝構成66は、流体充填室68、70、72、74のいずれかかまたは全部の代わりに、発泡材ブロック92を代替で含んでもよい。例えば、図11〜図13に示しているように、ソール構造14aは、内側緩衝構成64および外側緩衝構成66とそれぞれ関連付けられる発泡材ブロック92の対と共に、第1の流体充填室68および第3の流体充填室72を含んでもよい。代替で、発泡材ブロック92は、第1の流体充填室68および第3の流体充填室72を置き換えてもよく(図12)、または代替で、発泡材ブロック92は流体充填室68、70、72、74の各々を置き換えてもよい(図13)。内側緩衝構成64および外側緩衝構成66の具体的な構成に拘わらず、内側緩衝構成64および外側緩衝構成66は、膨出部104が内側緩衝構成64および外側緩衝構成66の場所においてアウトソール38aに形成されるように、アウトソール38aによって定められた通常の平面から突出する。
【００８７】
ミッドソール36aの実質的に連続する表面96から内側緩衝構成64および外側緩衝構成66を延ばすことと、延いては、内側緩衝構成64および外側緩衝構成66の場所においてアウトソール38aに膨出部104を形成することとによって、ソール構造14aは、履物10aの物品の使用の間にある度合いの緩衝および保護を提供する。つまり、履物10aの物品が使用の間に地上面と接触するとき、地上面と接触することに関連する力は、内側緩衝構成64および外側緩衝構成66によって吸収され、それによって使用者の足を保護および支持する。
【００８８】
内側緩衝構成64および外側緩衝構成66に加えて、ミッドソール36は、前足領域16から踵領域20へと延びるミッドソール36aの実質的に連続する表面96のため、履物10aの物品の使用の間、ある度合いの保護および緩衝を使用者の足に提供する。さらに、ミッドソール36aの材料は、図10〜図13に示しているように、内側緩衝構成64と外側緩衝構成66との間で延びる。内側緩衝構成64と外側緩衝構成66との間に配置されるミッドソール36aのこの部分は、実質的に連続する表面96まで延び、したがって、履物10aの物品の使用の間、地上面と接触する履物10aの物品の関連付けられる衝撃力を同様に吸収する。
【００８９】
内側緩衝構成64と外側緩衝構成66との間に配置されるミッドソール36aの部分は、力が流体充填室68、70、72、74に加えられるときに流体充填室68、70、72、74の形を維持するようにも作用する。例えば、力が流体充填室68、70、72、74に加えられるとき、加えられた力は、流体充填室68、70、72、74を加えられた力に対して概して垂直の方向に膨張させる。内側緩衝構成64と外側緩衝構成66との間の領域にミッドソール36aの材料を提供することで、流体充填室68、70、72、74のこのような移動は制限され、したがって、流体充填室68、70、72、74の所望の形が維持される。
【００９０】
図15〜図22を具体的に参照すると、履物10bの物品が提供されている。履物10bの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【００９１】
履物10bの物品は、アッパー12と、アッパー12に付着させられたソール構造14bとを備える。ソール構造14bは、アッパー12と、アウトソール38bと、板42とアウトソール38bとの間に概して配置される緩衝構成40bとを含む。板42は、前方端44から後方端46へと延び、履物10bの物品で前足領域16から踵領域20へと広がる。板42は、例えば、非発泡性のポリマ、または、炭素繊維などの繊維を含有する複合材料など、比較的剛性の材料から形成される。
【００９２】
図17〜図20に示しているように、板42は、板42の周辺において、アッパー12に直接的に付着させられる。このようにして、履物10bの物品は、シュトローベルを含むとして図示および記載されていない。履物10bの物品がシュトローベルを含むとして図示または記載されていないが、履物10bの物品は、前述した履物10、10aの物品と同様の様態でシュトローベルを含んでもよい。このようなシュトローベルはアッパー12と板42との間に配置され得る、または代替で、板42は、シュトローベルが板42とアウトソール38bとの間に配置されるように内部空所26の内部に配置されてもよい。履物10bの物品にシュトローベルが提供させられてもよいが、履物10bの物品は、アッパー12に直接的に付着させられる板42を含むとして以後において記載されている。
【００９３】
アウトソール38bは、ソール構造14bの内側面22に沿って延びる内側脚部106と、ソール構造14bの外側面24に沿って延びる外側脚部108とを有する、実質的にJ字形であってもよい(図22)。アウトソール38bは、前方端44に沿って延びると共に内側脚部106と外側脚部108とを連結する前足部分110を追加的に含んでもよい。
【００９４】
アウトソール38bは、例えば、非発泡性のポリマ材料、または、炭素繊維などの繊維を含有する複合材料など、比較的剛性の材料から形成され得る。アウトソール38bの具体的な構成に拘わらず、アウトソール38bは、緩衝材または緩衝構成40bが配置されるアウトソール38bと板42との間で延びる空洞112を定めるために、板42と協働する。
【００９５】
図15〜図20において最もよく示されているように、空洞112は、アウトソール38bの長さに沿っての異なる場所において異なる高さを含み得る。例えば、空洞112は、外側脚部108において第1の高さ(H1)を含むことができ、内側脚部106において第2の高さ(H2)を含むことができ、それによって第2の高さ(H2)は第1の高さ(H1)より小さい。また、外側脚部108は、第2の高さ(H2)に等しい距離で板42から離して配置される第1の部分を含むことができ、第1の高さ(H1)と実質的に等しい距離で板42から離して配置される第2の部分を含むことができる。外側脚部108が板42から異なる距離に配置される第1の部分および第2の部分を含むため、外側脚部108は、第2の高さ(H2)における第1の部分と第1の高さ(H1)における第2の部分とを結合する実質的に弓状の部分114を含む。後でより詳細に記載されているように、内側脚部106および外側脚部108の高さ(H1、H2)における違いは、空洞112の内部でアウトソール38bと板42との間に配置される緩衝構成40bの異なる厚さを受け入れる。
【００９６】
アウトソール38bは、前方端116においてアッパー12および/または板42に付着させられてもよい。緩衝構成40bは、前方端116の後方で、U字形のアウトソール38bの後方端118の前方に位置付けられ得る。図15、図16、および図21において最もよく示されているように、アウトソール38bの後方端118は、アウトソール38bの内側脚部106の末端と外側脚部108の末端とによって概して定められる。図22において最もよく示されているように、アウトソール38bのそれら後方端118は、ソール構造14bの長手方向軸(L)と実質的に平行に延びる方向において、内側脚部106および外側脚部108において前方端116から異なる距離に位置決めされる。図示しているように、外側脚部108は、外側脚部108の後方端118が内側脚部106の後方端118より前方端116から大きい距離に配置されるように、内側脚部106より大きい長さを備えている。図15、図16、および図21において最もよく示されているように、アウトソール38bは、前方端116と後方端118との間の領域においてアウトソール38bから延びる一連のトラクション要素120を含んでもよい。トラクション要素120によって、履物10bの物品の使用の間、ソール構造14bは地上面をより良好に掴むことができる。
【００９７】
緩衝構成40bは、アウトソール38bと板42との間に配置され、第1の流体充填室122と、第2の流体充填室124と、第3の流体充填室126と、第4の流体充填室128とを含む。第1の流体充填室122は内側脚部106と板42との間に配置される。同様に、第2の流体充填室124は外側脚部108の第2の部分と板42との間に配置される。第3の流体充填室126と第4の流体充填室128とは、互いの上に積み重ねられ、外側脚部108の第1の部分と板42との間に配置される。明確には、第3の流体充填室126は、板42に付着させられる第1の側と、第1の側とは反対の第3の流体充填室126の側に配置される第2の側とを含み、第4の流体充填室128に付着させられる。第4の流体充填室128は、第3の流体充填室126に付着させられる第1の側と、第1の側とは反対の第4の流体充填室128の側に配置される第2の側とを含み、外側脚部108に付着させられる。したがって、第3の流体充填室126は、第4の流体充填室128と板42との間に配置され、第4の流体充填室128は、第3の流体充填室126とアウトソール38bの外側脚部108との間に配置される。
【００９８】
第1の流体充填室122および第2の流体充填室124は個別の流体充填室であるとして記載されているが、これらの室122、124は、第3の流体充填室126および第4の流体充填室128と同様の様態で、互いから流体的に隔離された個別の流体充填室の積み重ねられた対で各々置き換えられてもよい。このような構成は、流体充填室の各々の積み重ねられた配置がそれぞれ第1の流体充填室122および第2の流体充填室124と実質的に等しい厚さを含むように、各々が同じ厚さを有するが、寸法(H2)に等しい組合せでの厚さを有する流体充填室を含むことになる。
【００９９】
図22を参照すると、第1の流体充填室122は、第2の流体充填室124よりソール構造14bの前方端44の近くに配置されるとして示されている。同様に、積み重ねられた第3の流体充填室126および第4の流体充填室128は、第1の流体充填室122または第2の流体充填室124のいずれかよりソール構造14bの後方端46の近くに配置されるとして示されている。最後に、第1の流体充填室122は、ソール構造14bの内側面22と外側面24との間で延びる方向において第2の流体充填室124に相対するように、第2の流体充填室124と重なるように示されている。
【０１００】
第1の流体充填室122、第2の流体充填室124、第3の流体充填室126、および第4の流体充填室128の各々は、履物10の物品および履物10aの物品の緩衝構成40に関して前述したように、その中に配置される引張要素84を含み得る。各々の引張要素84は、図17〜図20に示しているように、上方引張シート88と下方引張シート90との間で延びる一連の引張ストランド86を含み得る。履物10、10aの物品の緩衝構成40と同様に、流体充填室122、124、126、128が加圧されるときに、流体充填室122、124、126、128とそれぞれ関連付けられる引張要素84が各々の室122、124、126、128の所望の形を維持するように、上方引張シート88は第1の障壁要素76に付着させることができ、下方引張シート90は第2の障壁要素78に付着させることができる。
【０１０１】
図15に示しているように、第1の流体充填室122および第2の流体充填室124は、各々の室122、124の厚さが、内側脚部106と板42との間と、外側脚部108の第2の部分と板42との間とで延びる寸法(H2)と実質的に等しくなるように、実質的に同じ厚さを含み得る。同様に、積み重ねられた第3の流体充填室126および第4の流体充填室128の組み合わせられた高さは、外側脚部108の第1の部分と板42との間で延びる寸法(H1)と実質的に等しくなり得る。
【０１０２】
第1の流体充填室122と第2の流体充填室124とは実質的に同じ圧力を含み得る。代替で、第1の流体充填室122と第2の流体充填室124とは異なる圧力を含み得る。流体充填室122、124は、15〜30psiの範囲内の圧力であり得、好ましくは、20〜25psiの範囲内の圧力であり得る。第1の流体充填室122および第2の流体充填室124の内部に含有される圧力に拘わらず、第1の流体充填室122は第2の流体充填室124から流体的に隔離され得る。同様に、第3の流体充填室126は、第4の流体充填室128と同じ圧力または異なる圧力を含んでもよく、同様に、第4の流体充填室128から流体的に隔離されてもよい。要するに、第1の流体充填室122、第2の流体充填室124、第3の流体充填室126、および第4の流体充填室128の各々は、同じ圧力または異なる圧力を含んでもよく、互いから流体的に隔離されてもよい。
【０１０３】
緩衝構成40bが一連の流体充填室122、124、126、128を含むとして記載されているが、室122、124、126、128のうちの1つまたは複数は、履物10、10aの物品に関して前述したのと同様の様態で、引張要素84および加圧流体の代わりに発泡材ブロック92を備えてもよい。例えば、第1の流体充填室122および第4の流体充填室128は、第1の障壁要素76および第2の障壁要素78によって作り出された内部空所80の内部に配置された発泡材ブロック92で置き換えられ得る。代替で、第1の流体充填室122および第4の流体充填室128は、第1の障壁要素76および第2の障壁要素78によって定められた内部空所80の内部に発泡材ブロック92を位置付けることなく、発泡材ブロック92によって置き換えられ得る。流体充填室122、128は、障壁要素76、78によって定められた内部空所80の内部に発泡材ブロック92を位置決めすることなく発泡材ブロック92で置き換えられ得るが、発泡材ブロック92は、障壁要素76、78によって定められた内部空所80の内部に受け入れられるとして図18に示されている。
【０１０４】
図18に示した構成に加えて、第3の流体充填室126は、独立した発泡材ブロック92として、または、第1の障壁要素76および第2の障壁要素78によって定められた内部空所80の内部に配置された発泡材ブロックによってのいずれかで、発泡材ブロック92と置き換えられ得る。このような構成は図19に示されている。最後に、第1の流体充填室122、第2の流体充填室124、第3の流体充填室126、および第4の流体充填室128の各々が、独立した発泡材ブロック92、または、図20に示しているように、第1の障壁要素76と第2の障壁要素78とによって定められた内部空所80の内部に配置された発泡材ブロック92のいずれかとして、発泡材ブロック92で置き換えられ得る。
【０１０５】
具体的に図21を参照すると、ソール構造14bは、ソール構造14bの前方端44に近接して配置された追加の緩衝要素130を含むとして示されている。追加の緩衝要素130は、発泡材料から形成されてもよく、前足領域16の領域においてアウトソール38bと板42との間に空洞112を実質的に充填してもよい。つまり、緩衝要素130は、第1の流体充填室122および第2の流体充填室124の前方の領域においてアウトソール38bと板42との間に位置決めされ得る。緩衝要素130は、ソール構造14が地上面と接触するとき、使用の間に使用者の足に追加の度合いの緩衝を提供する。
【０１０６】
動作の間、ソール構造14bがアウトソール38bにおいて地上面に接触するとき、力がアウトソール38bに伝達される。アウトソール38bは、流体充填室122、124、126、128によって支持され、一部の構成では、板42に対して緩衝要素130によって支持される比較的剛性の材料から形成されるため、アウトソール38bにおいて加えれた力は、アウトソール38bを板42に向かう方向で移動させる。そのようにするとき、流体充填室122、124、126、128と緩衝要素130とは圧縮され、それによって、地上面に接触するソール構造14bによって引き起こされる力を弱める。このようにして、力は流体充填室122、124、126、128によって吸収され、存在する場合、緩衝要素130によって追加的に吸収される。このようにして、緩衝構成40bは、履物10bの物品の使用の間、使用者にある度合いの快適性と保護とを提供するように作用する。
【０１０７】
図23〜図25を参照すると、履物10cの物品が提供されている。履物10cの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１０８】
履物10cの物品は、足首開口部28cを介してアクセス可能である内部空所26cを定めるアッパー12cを含むとして示されている。追加で、アッパー12cは、履物10、10a、10bの物品に関して前述されているのと同様の様態で、一連の開口または小穴32を介してアッパー12cに付着させられ得る締め紐など、一連の留め具30cを含むとして示されている。
【０１０９】
アッパー12cは、ミッドソール36cと、アウトソール38cと、緩衝材または緩衝構成40cとを有するソール構造14cに付着させられる。図23に示しているように、ミッドソール36cは、ソール構造14cの反対の端に位置付けられた前方端44cと後方端46cとの間で概して延びる。
【０１１０】
ミッドソール36cは、緩衝構成40cの一部分をそれぞれ受け入れる一対の凹部132を含み得る。例えば、緩衝構成40cは、前方の緩衝材または緩衝構成134と、後方の緩衝材または緩衝構成136とを含み得る。前方の緩衝構成134は後方の緩衝構成136よりソール構造14cの前方端44cの近くに配置され、後方の緩衝構成136は前方の緩衝構成134より後方端46cの近くに配置される。
【０１１１】
前方の緩衝構成134および後方の緩衝構成136は、履物10、10a、10bの物品と同様の様態で積み重ねられた流体充填室の対を同様の様態で各々含み得る。つまり、前方の緩衝構成134は第1の流体充填室138と第2の流体充填室140とを含み得る。同様に、後方の緩衝構成136は第3の流体充填室142と第4の流体充填室144とを含み得る。流体充填室138、140、142、144の各々は、第1の障壁要素76および第2の障壁要素78によって定められた内部空所80の内部に配置された引張要素84を含み得る。第1の流体充填室138は、第2の流体充填室140と同じ圧力または異なる圧力を含み得る。同様に、第3の流体充填室142は、第4の流体充填室144と同じ圧力または異なる圧力を含み得る。流体充填室138、140、142、144は、15〜30psiの範囲内の圧力であり得、好ましくは、20〜25psiの範囲内の圧力であり得る。流体充填室138、140、142、144の圧力に拘わらず、流体充填室138、140、142、144は、互いから流体的に隔離されてもよく、15〜30psiの範囲内の圧力を含んでもよく、好ましくは20〜25psiの範囲内の圧力にあり得る。
【０１１２】
図23に示しているように、第1の流体充填室138は、第2の流体充填室140が第1の流体充填室138とアウトソール38cとの間に配置されるように、第2の流体充填室140よりアッパー12cの近くに配置されてもよい。同様に、第3の流体充填室142は、第4の流体充填室144が第3の流体充填室142とアウトソール38cとの間に配置されるように、第4の流体充填室144よりアッパー12cの近くに配置されてもよい。
【０１１３】
具体的には図24および図25を参照すると、前方の緩衝構成134および後方の緩衝構成136はアウトソール38cにおいて膨出部104cの対を付与できる。つまり、アウトソール38cは、前方の緩衝構成134および後方の緩衝構成136の領域において膨出部104cを含んでもよく、それによって、膨出部104cはアウトソール38cによって定められた名目上の平面から盛り上がる。このようにして、履物10cの物品が使用中であるとき、膨出部104cはアウトソール38cの他の部分の前に地上面に接触でき、それによって、前方の緩衝構成134および後方の緩衝構成136にアウトソール38cと地上面との接触によって引き起こされる力を吸収させることができる。
【０１１４】
図26〜図29を具体的に参照すると、履物10dの物品が提供されており、アッパー12と、アッパー12に付着させられたソール構造14dとを備えている。履物10dの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１１５】
図26〜図29を参照すると、ソール構造14dは、ミッドソール36dと、アウトソール38dと、ミッドソール36dとアウトソール38dとの間に配置された緩衝材または緩衝構成40dと、板42dとを含むように示されている。板42dは、例えば、非発泡性のポリマ、または、炭素繊維などの繊維を含有する複合材料など、比較的剛性の材料から形成される。
【０１１６】
図26および図27に示しているように、ミッドソール36dは、ソール構造14dの反対の端に位置付けられた前方端44と後方端46との間で概して延びる。ミッドソール36dは、例えばポリマ発泡材などのエネルギー吸収材料から形成され得る。一構成では、ミッドソール36dはアッパー12のシュトローベル48に相対する。ミッドソール36dは、アッパー12とシュトローベル48との接合部を覆うように、アッパー12の上面50へと少なくとも部分的に延びてもよい。
【０１１７】
ミッドソール36dは、通路150を間に定める上方部分146および下方部分148を含む。図27および図29に示しているように、下方部分148は、踵領域20に向かう方向において前足領域16から延びる第1の区分152と、踵領域20から前足領域16に向かう方向において延びる第2の区分154とを含む。第1の区分152は、隙間156を間に定めるために、第2の区分154から離間されている。後でさらに詳細に記載しているように、板42dは、ミッドソール36dへと組み立てられると、隙間156において視認可能であり得る。
【０１１８】
図26に示しているように、板42dは、ミッドソール36dの上方部分146が板42dとアッパー12との間で延び、ミッドソール36dの下方部分148が板42dとアウトソール38dとの間で延びるように、ミッドソール36dの材料の内部に埋め込まれる。図示しているように、板42dの地上を向く表面158は、第1の区分152と第2の区分154との間で定められた隙間156において視認可能であり得る。さらに、板42dの外側周辺縁160は、ソール構造14dの内側面22および/またはソール構造14dの外側面24において視認可能であってもよい。
【０１１９】
板42dは、前足領域16の中間部分から踵領域20の中間部分へと延びる、いわゆる「一部の長さの板」であり得る。したがって、板42dは、中足領域18を通じて踵領域20へと完全に延びることなく、履物10dの物品の前足領域16から中足領域18へと延びてもよい。板42dが前足領域16の中間部分から踵領域20の中間部分へと延びる一部の長さの板であり得るが、板42dは、代替で、履物10の物品に関して前述したように、全体の長さの板であり得る。
【０１２０】
板42dの具体的な大きさおよび構成に拘わらず、板42dは比較的剛性の材料から形成され得る。例えば、板42dは、非発泡性のポリマ材料から、または代替で、炭素繊維などの繊維を含有する複合材料から、形成され得る。
【０１２１】
図26〜図29を具体的に参照すると、緩衝構成40dは、内側の緩衝材または緩衝構成64dと外側の緩衝材または緩衝構成66dとを含むように示されている。内側緩衝構成64dはソール構造14dの内側面22に近接して配置されるが、外側緩衝構成66dはソール構造14dの外側面24に近接して配置される。
【０１２２】
図28に示しているように、内側緩衝構成64dは、板42dとアウトソール38dとの間に概して配置された第1の流体充填室162を含む。明確には、第1の流体充填室162は、第1の側において板42dの露出面158に近接して板42dに付着させられ、第2の側においてアウトソール38dに付着させられている。
【０１２３】
第1の流体充填室162は、適切な接着剤を介して板42dとアウトソール38dとにそれぞれ付着させられてもよい。追加または代替で、第1の流体充填室162は、第1の流体充填室162の材料とアウトソール38dの材料とを第1の流体充填室162とアウトソール38dとの接合部において融合させることで、アウトソール38dに付着させられてもよい。
【０１２４】
第1の流体充填室162は第1の障壁要素76と第2の障壁要素78とを含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図28に示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は内部空所80を封止し、それによって第1の流体充填室162の容積を定める。
【０１２５】
第1の流体充填室162の内部空所80はそこに引張要素84を受け入れることができる。引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、第1の流体充填室162が加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室162の所望の形を保持する。
【０１２６】
引き続き図26を参照すると、外側緩衝構成66dは第2の流体充填室164を同様に含む。内側緩衝構成64dと同様に、第2の流体充填室164は板42dとアウトソール38dとの間に配置される。第2の流体充填室164は第1の流体充填室162と同一であり得る。したがって、第2の流体充填室164は、第1の障壁要素76、第2の障壁要素78、内部空所80、周囲の継目82、および、内部空所80の内部に配置された引張要素84を含み得る。
【０１２７】
一構成では、内側緩衝構成64d(つまり、第1の流体充填室162)は、外側緩衝構成66d(つまり、第2の流体充填室164)から流体的に隔離される。このようにして、内側緩衝構成64dは外側緩衝構成66dから距離166で離間および分離されている(図29)。内側緩衝構成64dが外側緩衝構成66dから離間されているとして記載および図示されているが、緩衝構成64d、66dは、代替で、互いと接触している一方でなおも流体的に隔離されていてもよい。
【０１２８】
内側緩衝構成64dおよび外側緩衝構成66dは流体充填室162、164を含むとして記載および図示されているが、内側緩衝構成64dおよび/または外側緩衝構成66dは代替または追加の緩衝要素を代わりに含んでもよい。例えば、内側緩衝構成64dおよび/または外側緩衝構成66dは、流体充填室162、164の一方または両方を置き換える発泡材ブロック(図示せず)を各々含み得る。発泡材ブロックは、第1の障壁要素76および第2の障壁要素78によって定められた内部空所80の内部に受け入れられ得る。第1の障壁要素76および第2の障壁要素78によって定められた内部空所80の内部に発泡材ブロックを位置決めすることによって、障壁要素76、78は、所定の荷重に曝されるとき、発泡材ブロックの所定の量を越えての膨張を制限することができる。したがって、全体の形、延いては発泡材ブロックの性能は、発泡材ブロックを荷重の掛かる間に障壁要素76、78と相互作用させることで制御できる。
【０１２９】
内側緩衝構成64dおよび外側緩衝構成66の具体的な構造に拘わらず、内側緩衝構成64dは、図29に示しているように、ソール構造14dの長手方向軸(L)に沿って延びる方向において、外側緩衝構成66dと並べられ得る。追加または代替で、図29に示しているように、両方の緩衝構成64d、66dが、ソール構造14dの前方端44から、および/または、ソール構造14dの後方端46から、おおよそ等しく離間されるように、内側緩衝構成64dは、内側面22から外側面24へと延びる方向において外側緩衝構成66dと並べられてもよい。代替で、内側緩衝構成64dは、長手方向軸(L)に沿って延びる方向において、外側緩衝構成66dからずらされてもよい。つまり、内側緩衝構成64dは、図14に示した例と同様に、外側緩衝構成66dより、ソール構造14dの前方端44の近くに、または、前方端44から遠くに配置され得る。
【０１３０】
図29に示しているように、緩衝構成64d、66dは実質的に楕円の形を含み得る。このようにして、ミッドソール36dの包囲する区分152、154は、ミッドソール36dの材料が各々の緩衝構成64d、66dの外側周辺から実質的に均一に離間されるように、相補的な形を含み得る。このようにして、緩衝構成64d、66dに相対するミッドソール36dの部分152、154は、緩衝構成64d、66dの外側周辺の形を模倣する弓形の表面168を含み得る。表面168は、緩衝構成64d、66dの長さに沿ってそれらの外側周辺から実質的に均一に離間されるように、緩衝構成64d、66dの形を模倣するとして記載されているが、表面168は異なる形を含んでもよく、それによって、表面168のうちの1つまたは複数と緩衝構成64d、66dの外側周辺と間の距離を変化させる。
【０１３１】
表面168が緩衝構成64d、66dから均一に離間されているかどうかに拘わらず、ミッドソール36dの表面168と緩衝構成64d、66dとの間に隙間を設けることは、荷重に曝されるときに緩衝構成64d、66dを外向きに拡張させる。つまり、緩衝構成64d、66dは、荷重に曝されるとき、緩衝構成64d、66dと表面168との間に配置される隙間へと延びるように許容されている。この隙間の幅は、緩衝構成64d、66dが荷重に曝されるときに膨張するように許容される度合いを制御するように設計されてもよい。例えば、隙間がより大きくなると、緩衝構成64d、66dは、あったとしても表面168と接触する前に、より大きく膨張しなければならない。反対に、表面168が緩衝構成64d、66dに近接して配置される場合、緩衝構成64d、66dがミッドソール36dの表面168に接触する前に緩衝構成64d、66dの最小の膨張が許容されることになり、それによって、ミッドソール36dに緩衝構成64d、66dが所定の大きさを超えて膨張するのを制限させることができる。
【０１３２】
前述したように、内側緩衝構成64dおよび外側緩衝構成66dは、ソール構造14dにおける離散した場所に配置された緩衝要素を各々提供する。一構成では、内側緩衝構成64dおよび外側緩衝構成66dは、内側面22および外側面24において緩衝をそれぞれ提供するように協働する流体充填室(つまり、要素162、164)を各々提供する。個別の離散した流体充填室162、164は同じ容積を含んでもよく、さらに、同じ圧力にあってもよい。代替で、様々な流体充填室162、164の圧力は緩衝構成64d、66dの間で異なってもよい。例えば、第1の流体充填室162は第2の流体充填室164と同じ圧力を含んでもよく、または代替で、第1の流体充填室162は第2の流体充填室164と異なる圧力を含んでもよい。流体充填室162、164は、15〜30psiの範囲内の圧力であり得、好ましくは、20〜25psiの範囲内の圧力であり得る。
【０１３３】
図26に示しているように、アウトソール38dはミッドソール36dと緩衝構成40dとに結合される。より明確には、アウトソール38dは多くの断片から成り、それによってアウトソール38dの一部分は互いから分離して形成され、ミッドソール36d、第1の流体充填室162、および第2の流体充填室164の各々に結合される。
【０１３４】
アウトソール38dは、例えば、履物10dの物品に、トラクションおよび耐久性を提供する地上係合面54を提供するゴムなど、弾性材料から形成され得る。前述したように、地上係合面54は、ソール構造14dの地上面との係合を高めるためにトラクション要素55を含み得る。
【０１３５】
動作の間、ソール構造14dが地上と接触するとき、力が内側緩衝構成64dおよび外側緩衝構成66dへと伝達される。つまり、力が第1の流体充填室162および第2の流体充填室164へと伝達される。加えられた力は個別の流体充填室162、164を圧縮させ、それによって地上と接触するアウトソール38dに関連する力を吸収する。力はミッドソールの板42dおよびミッドソール36dへと伝達されるが、点状または局所的な荷重として使用者によって経験されることはない。つまり、前述したように、板42dは剛性材料から形成されている。したがって、内側緩衝構成64dおよび外側緩衝構成66dがソール構造14dに沿う離散した場所に位置付けられているが、内側緩衝構成64dおよび外側緩衝構成66dによって板42dに発揮された力は、加えられた力が個別の離散した場所において使用者の足に加えられないように、板42dの長さにわたって散らされる。むしろ、内側緩衝構成64dおよび外側緩衝構成66dの場所において加えられた力は、板42dの剛性のため、板42dの長さに沿って散らされ、このようにして、足が内部空所26の内部に配置されたインソール94と接触しているとき、点状の荷重が使用者の足によって経験されることはない。
【０１３６】
図30〜図33を参照すると、履物10eの物品が提供されており、アッパー12と、アッパー12に付着させられたソール構造14eとを備えている。履物10eの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１３７】
ソール構造14eはアッパー12に付着させられ、使用の間に履物10eの物品に支持および緩衝を提供する。つまり、ソール構造14eは、履物10eの物品が使用の間に地面を打ちつけることによって引き起こされる地面反力を弱める。したがって、後で記述しているように、ソール構造14eは、履物10eの物品を着用しているときに使用者によって経験される衝撃をソール構造14eが減少させることができるように、エネルギー吸収特性を有する1つまたは複数の材料を組み込むことができる。
【０１３８】
ソール構造14eは、ミッドソール36eと、アウトソール38eと、ミッドソール36eとアウトソール38eとの間に概して配置される緩衝材または緩衝構成40eとを含み得る。また、ソール構造14eは、履物10eの物品の前足領域16から後方端46に向かって延びる第1の板170および第2の板172を含み得る。図30に示しているように、第1の板170がミッドソール36eと緩衝構成40eとの中間に配置される一方で、第2の板172はミッドソール36eの内部に配置され、緩衝構成40eを上方部分と下方部分とに分離する。
【０１３９】
引き続き図31を参照すると、ミッドソール36eは、連続的に形成された上方部分146eと、分割された下方部分148eとを含み得る。上方部分146eは、履物10eの物品の前方端44から後方端46へと延びているとして示されている。一構成では、上方部分146eはアッパー12のシュトローベル48と相対し、ソール構造14eをアッパー12に結合する。ミッドソール36eの上方部分146eは、ミッドソール36eがアッパー12とシュトローベル48との接合部を覆うように、アッパー12の上面50へと少なくとも部分的に延びてもよい(図32)。
【０１４０】
ミッドソール36eの下方部分148eは、上方部分146eの前足領域16から下向きに延びる第1の区分152eと、上方部分146eの踵領域20から下向きに延びる第2の区分154eとを含み得る。第1の区分152eの踵を向く側壁174は、第1の区分152eと第2の区分154eとの間に隙間156eを定めるために、第2の区分154eの前足を向く側壁176から離間されている。第2の区分154eの前足を向く側壁176は、図31に示しているように、先細りとされてもよい。前足を向く側壁176は、踵領域20から前足領域16への方向において互いと合流する上面178および下面180を含み得る。さらに、前足を向く側壁176の上面178は上方部分146eから分岐し、それによってそれらの間に空間(符号なし)を形成してもよい。
【０１４１】
ミッドソール36eは、例えばポリマ発泡材などのエネルギー吸収材料から形成され得る。ポリマ発泡材などのエネルギー吸収材料からミッドソール36eを形成するによって、ミッドソール36eは、使用の間に地上の上での履物10eの物品の移動によって引き起こされる地面反力を弱めることができる。
【０１４２】
第1の板170は、ミッドソール36eの上方部分146eが第1の板170とアッパー12との間で延びるようにミッドソール36eの内部に配置されてもよい。図示しているように、第1の板170は、上方部分146eと下方部分148eとの間に配置されてもよい。より具体的には、第1の板170の第1の端が上方部分146eと第1の区分152eとの間でミッドソール36eの内部に埋め込まれ、第1の板170の第2の端が上方部分146eと第2の区分154eとの間でミッドソール36eの内部に埋め込まれる。第1の板170の中間部分は上方部分146eと緩衝構成40eとの間に配置され、それによって、第1の板170の地上を向く表面158eが、第1の区分152eと第2の区分154eとの中間に形成された隙間156e内で露出される。
【０１４３】
第1の板170は、ソール構造14eの内側面22および/またはソール構造14eの外側面24において視認可能であってもよい。代替で、第1の板170は、ミッドソール36eの上方部分146eの内部に封入されてもよい。一部の例では、第1の板170はアッパー12とミッドソール36eとの間に配置されてもよく、それによって第1の板170はシュトローベル48および/またはアッパー12に直接的に付着させられる。
【０１４４】
図示しているように、第2の板172は、第1の板170から離間されており、第1の板170とアウトソール38eとの間に概して配置される。第2の板172の第1の端182がミッドソール36eの下方部分148eの第1の区分152eに結合される一方で、反対の第2の端184がミッドソール36eの下方部分148eの第2の区分154eに結合される。図示した例では、第2の板172の第1の端182は第1の区分152eの内部に埋め込まれ、第2の端184は第2の区分154eの前足を向く側壁176の上面178に結合される。代替で、第2の板172の第2の端184は、第2の区分154eの内部に埋め込まれてもよい、または、前足を向く側壁176の下面180に結合されてもよい。第2の板172の中間部分186が、後でより詳細に検討されているように、第1の区分152eと第2の区分154eとの間に形成された隙間156eで広がり、緩衝構成40eを上方部分と下方部分へと分離する。
【０１４５】
板170、172の一方または両方のいずれかは、ソール構造14eの一部分だけに沿って延びる、いわゆる「一部の長さ」であり得る。したがって、板170、172の一方または両方は、前足領域16の中間部分から踵領域20の中間部分へと延び得る。板170、172は一部の長さの板であり得るが、第1の板170および/または第2の板172は、前述したように、代替でソール構造14eの前方端44から後方端46へと延びる全体の長さの板であり得る。
【０１４６】
第1の板170および第2の板172の具体的な大きさおよび場所に拘わらず、第1の板170および/または第2の板172は比較的剛性の材料から形成され得る。例えば、第1の板170および/または第2の板172は、非発泡性のポリマ材料から、または代替で、炭素繊維などの繊維を含有する複合材料から、形成され得る。第1の板170および第2の板172を比較的剛性の材料から形成することで、第1の板170および第2の板172は、後でより詳細に記載しているように、履物10eの物品が地上面を打ちつけるときに物品の履物10eの使用に関連する力を分散することができる。
【０１４７】
図30〜図33をなおも参照すると、緩衝構成40eは、ミッドソール36eの隙間156eの内部に配置され、内側の緩衝材または緩衝構成64eと外側の緩衝材または緩衝構成66eとを含むように示されている。内側緩衝構成64eはソール構造14eの内側面22に近接して配置されるが、外側緩衝構成66eはソール構造14eの外側面24に近接して配置される。
【０１４８】
図31および図32に示しているように、内側緩衝構成64eは第1の流体充填室188eと第2の流体充填室190eとを含む。同様に、外側緩衝構成66eは第3の流体充填室192eと第4の流体充填室194eとを含む。第1の流体充填室188eおよび第3の流体充填室192eは第1の板170と第2の板172との間に概して配置され、一方、第2の流体充填室190eおよび第4の流体充填室194eは第2の板172とアウトソール38eとの間に配置される。明確には、第1の流体充填室188eおよび第3の流体充填室192eは、それぞれの第1の側において第1の板170に付着させられ、それぞれの第2の側において第2の板172に付着させられる。同様に、第2の流体充填室190eおよび第4の流体充填室194eは、それぞれの第1の側において第2の板172に付着させられ、それぞれの第2の側においてアウトソール38eに付着させられる。
【０１４９】
図30および図32を参照すると、第2の板172の中間部分186が緩衝構成40eを通じて延びている。より明確には、第2の板172の中間部分186は、内側緩衝構成64eの第1の流体充填室188eと第2の流体充填室190eとの間と、外側緩衝構成66eの第3の流体充填室192eと第4の流体充填室194eとの間に配置される。別の言い方をすれば、第1の流体充填室188eおよび第3の流体充填室192eは、第2の板172の上方(つまり、第2の板172とアッパー12との間)に配置され、一方、第2の流体充填室190eおよび第4の流体充填室194eは第2の板172とアウトソール38eとの間に配置される。
【０１５０】
流体充填室188e、190e、192e、194eは、適切な接着剤を介して、アウトソール38e、第1の板170、および/または第2の板172にそれぞれ付着させられ得る。追加または代替で、流体充填室188e、190e、192e、194eは、流体充填室188e、190e、192e、194e、アウトソール38e、第1の板170、および第2の板172のうちの少なくとも1つの材料を融合させることで、アウトソール38e、第1の板170、および第2の板172のうちのいずれかの1つまたは複数に結合されてもよい。
【０１５１】
流体充填室188e、190e、192e、194eは第1の障壁要素76と第2の障壁要素78とを各々含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図3に示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は内部空所80を封止し、それによって第1の流体充填室188eおよび第2の流体充填室190eの容積を定める。
【０１５２】
第1の障壁要素76および第2の障壁要素78の内部空所80はそこに引張要素84を受け入れることができる。各々の引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、流体充填室188e、190e、192e、194eが加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室188e、第2の流体充填室190e、第3の流体充填室192e、および第4の流体充填室194eの各々の所望の形をそれぞれ保持する。
【０１５３】
前述したように、内側緩衝構成64eおよび外側緩衝構成66eは、アッパー12とアウトソール38eとの間で概して受け入れられる流体充填室188e、190e、192e、194eの対を各々含む。一構成では、第1の流体充填室188eおよび第3の流体充填室192eは、第2の板172によって、第2の流体充填室および第4の流体充填室194eからそれぞれ流体的に隔離される。
【０１５４】
一部の構成では、内側緩衝構成64e(つまり、第1の流体充填室188eおよび第2の流体充填室190e)は、外側緩衝構成66e(つまり、第3の流体充填室192eおよび第4の流体充填室194e)から流体的に隔離される。内側緩衝構成64eが外側緩衝構成66eから離間されているとして記載および図示されているが、緩衝構成64e、66eは、代替で、互いと接触している一方でなおも流体的に隔離されていてもよい。
【０１５５】
内側緩衝構成64eおよび外側緩衝構成66eは、積み重ねられた流体充填室の対を含むとして記載および図示されているが、代替で他の緩衝要素を含む可能性もある。例えば、内側緩衝構成64eおよび外側緩衝構成66eは、流体充填室188e、190e、192e、194eのうちのいずれか1つまたは複数を置き換える発泡材ブロック(例えば、図4〜図6における符号92を参照)を各々含み得る。発泡材ブロックは、第1の障壁要素76および第2の障壁要素78によって定められた内部空所80の内部に受け入れられ得る。第1の障壁要素76および第2の障壁要素78によって定められた内部空所80の内部に発泡材ブロックを位置決めすることによって、障壁要素76、78は、所定の荷重に曝されるとき、発泡材ブロックの所定の量を越えての膨張を制限することができる。したがって、全体の形、延いては発泡材ブロックの性能は、発泡材ブロックを荷重の掛かる間に障壁要素76、78と相互作用させることで制御できる。発泡材ブロックは障壁要素76、78の内部空所80の内部に受け入れられるとして記載されているが、発泡材ブロックは、障壁要素76、78の存在しない緩衝構成40eの内部に代替で位置決めされてもよい。このような構成では、発泡材ブロックは、アウトソール38e、第1の板170、第2の板172、および/または流体充填室188e、190e、192e、194eのうちのいずれかの1つまたは複数にそれぞれ直接的に付着させられる。内側緩衝構成64eおよび外側緩衝構成66eの具体的な構成(つまり、発泡材ブロック、流体充填室、またはそれらの組合せの使用)は、内側面22および外側面24において要求される緩衝の大きさによって決定付けられ得る。
【０１５６】
内側緩衝構成64eおよび外側緩衝構成66eの具体的な構成に拘わらず、内側緩衝構成64eおよび外側緩衝構成66eは、ソール構造14eの内側面22と外側面24との間で延びる方向に沿って互いと実質的に並べられてもよい。代替で、内側緩衝構成64eおよび外側緩衝構成66eは互いからずらされてもよい。
【０１５７】
前述したように、内側緩衝構成64eおよび外側緩衝構成66eは、ソール構造14eにおける離散した場所に配置される積み重ねられた緩衝要素の対を各々提供する。一構成では、内側緩衝構成64eおよび外側緩衝構成66eは、内側面22および外側面24において緩衝をそれぞれ提供するように協働する積み重ねられた流体充填室(つまり、要素188e、190e、192e、194e)の対を各々提供する。個別の流体充填室188e、190e、192e、194eは同じ容積を含んでもよく、さらに、同じ圧力にあってもよい。代替で、様々な流体充填室188e、190e、192e、194eの容積および圧力は、緩衝構成64e、66eの間で、および/または、各々の緩衝構成64e、66eの内部で、異なってもよい。例えば、第1の流体充填室188eは第2の流体充填室190eと同じ圧力を含んでもよく、または代替で、第1の流体充填室188eは第2の流体充填室190eと異なる圧力を含んでもよい。同様に、第3の流体充填室192eは第4の流体充填室194eと同じまたは異なる圧力を含んでもよく、第1の流体充填室188eおよび/または第2の流体充填室190eと異なる圧力を含んでもよい。流体充填室188e、190e、192e、194eは、15〜30psiの範囲内の圧力であり得、好ましくは、20〜25psiの範囲内の圧力であり得る。
【０１５８】
図30に示しているように、アウトソール38eはミッドソール36eと緩衝構成40eとに結合される。より明確には、アウトソール38eは多くの断片から成り、それによってアウトソール38eの第1の部分はミッドソール36eの第1の区分152eと緩衝構成40eとに結合され、アウトソール38eの別に形成された第2の部分はミッドソール36eの第2の区分154eに結合される。代替で、アウトソール38eは連続的に形成されてもよく、前方端44から後方端46へと延びてもよい。
【０１５９】
アウトソール38eは、例えば、履物10eの物品に、トラクションおよび耐久性を提供する地上係合面54を提供するゴムなど、弾性材料から形成され得る。前述したように、地上係合面54は、ソール構造14eの地上面との係合を高めるためにトラクション要素120を含み得る。
【０１６０】
動作の間、地上係合面54が地上と接触するとき、力がアウトソール38eを介して内側緩衝構成64eおよび外側緩衝構成66eへと伝達される。つまり、力が、第2の流体充填室190eおよび第4の流体充填室194eを通じて第2の板172へと伝達され、第2の板172を通じて第1の流体充填室188eおよび第3の流体充填室192eへと伝達され、第1の流体充填室188eおよび第3の流体充填室192eを通じて第1の板170へと伝達される。加えられた力は個別の流体充填室188e、190e、192e、194eを圧縮させ、それによって地上と接触するアウトソール38eに関連する力を吸収する。力は第1の板170および第2の板172を介してミッドソール36eへと伝達されるが、点状または局所的な荷重として使用者によって経験されることはない。つまり、前述したように、第1の板170および第2の板172は剛性材料から形成されているとして記載される。したがって、内側緩衝構成64eおよび外側緩衝構成66eがソール構造14eに沿う離散した場所に位置付けられているが、内側緩衝構成64eおよび外側緩衝構成66eによって第1の板170および第2の板172に発揮された力は、加えられた力が個別の離散した場所において使用者の足に加えられないように、ミッドソール36eの長さにわたって散らされる。むしろ、内側緩衝構成64eおよび外側緩衝構成66eの場所において加えられた力は、第1の板170および第2の板172の剛性のため、板170、172の長さに沿って散らされ、このようにして、足が内部空所26の内部に配置されたインソール94と接触しているとき、点状の荷重が使用者の足によって経験されることはない。さらに、第2の板172を内側緩衝構成64eの第1の流体充填室188eと第2の流体充填室190eとの間で延ばし、外側緩衝構成66eの第3の流体充填室192eと第4の流体充填室194eとの間で延ばすことで、追加的な安定性が、加えられた力を緩衝構成64e、66eと、第1の区分152eと、第2の区分154eとの間で分散することによって緩衝構成40eに提供される。
【０１６１】
図34〜図37を具体的に参照すると、履物10fの物品が提供されており、アッパー12と、アッパー12に付着させられたソール構造14fとを備えている。履物10fの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１６２】
図34〜図37を参照すると、ソール構造14fは、ミッドソール36fと、アウトソール38fと、ミッドソール36fとアウトソール38fとの間に配置された緩衝材または緩衝構成40fとを含むように示されている。また、ソール構造14fは、履物10fの物品の前足領域16から後方端46に向かって延びる第1の板196および第2の板198を含み得る。図34に示しているように、第1の板196がミッドソール36fと緩衝構成40fとの中間に配置される一方で、第2の板198はミッドソール36fの内部に配置され、緩衝構成40fを上方部分と下方部分とに分離する。
【０１６３】
ミッドソール36fは、ミッドソール36fが連続して形成された上方部分146fと、分割された下方部分148fとを含む点において、先の履物10eの物品と関連するミッドソール36eと同様の手法で形成できる。しかしながら、図34〜図37のミッドソール36fの分割された下方部分148fは、異なる構成を含み得る。図34に示しているように、ミッドソール36fの下方部分148fは、上方部分146fの前足領域16から下向きに延びる第1の区分152fと、上方部分146fの踵領域20から下向きに延びる第2の区分154fとを含む。第1の区分152fの踵を向く側壁174fは、緩衝構成40fが受け入れられ得る隙間156fを第1の区分152fと第2の区分154fとの間に定めるために、第2の区分154fの前足を向く側壁176fから離間されている。さらに、側壁174f、176fは、緩衝構成40fに隣接でき、緩衝構成40fから均一に離間される。側壁174f、176fの少なくとも一方は、緩衝構成40fの外側周辺に相補的な形を含み得る(図37)。
【０１６４】
ミッドソール36fは、第1の区分152fおよび第2の区分154fと一体に形成された上方部分146fを有するとして図示および記載されているが、第1の区分152fおよび第2の区分154fの一方または両方は上方部分146fから分離して形成され得る。例えば、上方部分146fは、第2の板198によって第1の区分152fおよび第2の区分154fから離間および分離されるように、第1の区分152fと第2の区分154fとの両方と別々で明確であり得る。この構成では、上方部分146fは、第1の区分152fと第2の区分154fとの両方と反対の第2の板198の側に配置され、区分152f、154fのいずれかと接触することはない。
【０１６５】
履物10の物品に関して前述したミッドソール36と同様に、ミッドソール36fは、例えばポリマ発泡材などのエネルギー吸収材料から形成され得る。
【０１６６】
第1の板196は、上方部分146fと、下方部分148fおよび緩衝構成40fの各々との間に配置される。より明確には、第1の板196の第1の端が上方部分146fと第1の区分152fとの間に配置され、第1の板196の反対の第2の端が上方部分146fと第2の区分154fとの間に配置される。中間部分は上方部分146fと緩衝構成40fとの間に配置され、それによって、第1の板196の地上を向く表面158fが、第1の区分152fと第2の区分154fとの中間に形成された隙間156f内で露出される。
【０１６７】
第1の板196は、ソール構造14fの内側面22および/またはソール構造14fの外側面24において視認可能であってもよい。第1の板196はミッドソール36fの材料の内部に埋め込まれるとして記載および図示されているが、第1の板196はアッパー12とミッドソール36fとの間に配置されてもよく、それによって第1の板196はシュトローベル48および/またはアッパー12に直接的に付着させられる。第1の板196は、履物10の物品に関して先に検討されているように、一部の長さの板または全体の長さの板であり得る。
【０１６８】
図示しているように、第2の板198は、第1の板196から離間されており、第1の板196とアウトソール38fとの間に配置される。第2の板198は、第1の区分152fおよび第2の区分154fの各々に結合され、緩衝構成40fを通じて延びる。より明確には、第2の板198の第1の端200は第1の区分152fの内部に埋め込まれ、反対の第2の端202は第2の区分154fの内部に埋め込まれる。したがって、第2の板198の中間部分204が、後でさらに詳細に検討されているように、第1の区分152fと第2の区分154fとの間に形成された隙間156fで広がり、緩衝構成40fを上方部分と下方部分へと分離する。
【０１６９】
第2の板198の第1の端200の最前方の点がソール構造14fの前足領域16に配置され、一方、第2の端202の最後方の点が最前方の点よりソール構造14fの踵領域20の近くに配置される。中間部分204は、最前方の点と最後方の点との間で延びる凹部205を備える。凹部205は、最前方の点から、使用の間に足のMTP関節に相対するソール構造14fの中足指節(MTP)点へと、一定の曲率半径を含む。第2の板198の一例が、米国特許出願第15/248,051号と米国特許出願第15/248,059号とに提供されており、それらは本明細書により参照によってその全体において組み込まれている。
【０１７０】
第1の板196および第2の板198は、非発泡性のポリマ材料から、または代替で、炭素繊維などの繊維を含有する複合材料から、形成され得る。第1の板196および第2の板198を比較的剛性の材料から形成することで、第1の板196は、後でより詳細に記載しているように、履物10fの物品が地上面を打ちつけるときに物品の履物10fの使用に関連する力を分散することができる。
【０１７１】
図34〜図37を引き続き参照すると、履物10fの物品の緩衝構成40fは、履物10eの物品に関して前述した緩衝構成40eと同じである。したがって、緩衝構成40fは、第1の流体充填室188fおよび第2の流体充填室190fを積み重ねられた配置で備える内側緩衝構成64fと、第3の流体充填室192fおよび第4の流体充填室194fを積み重ねられた配置で備える外側緩衝構成66fとを含み得る。
【０１７２】
先に詳解されているように、第2の板198の中間部分204は、履物10eの物品に関して先に検討した第2の板172の中間部分186と同様に、緩衝構成40fを通じて延び、緩衝構成40fを分離している。
【０１７３】
図34に示しているように、アウトソール38fはミッドソール36fと緩衝構成40fとに結合される。より明確には、アウトソール38fは多くの断片から成り、それによってアウトソール38fの一部分は互いから分離して形成され、第1の区分152f、第2の区分154f、内側緩衝構成64f、および外側緩衝構成66fの各々に結合される。
【０１７４】
動作の間、地上係合面54が地上と接触するとき、力がアウトソール38fを介して内側緩衝構成64fおよび外側緩衝構成66fへと伝達される。つまり、力が、第2の流体充填室190fおよび第4の流体充填室194fを通じて第2の板198へと伝達され、第2の板198を通じて第1の流体充填室188fおよび第3の流体充填室192fへと伝達され、第1の流体充填室188fおよび第3の流体充填室192fを通じて第1の板196へと伝達される。加えられた力は個別の流体充填室188f、190f、192f、194fを圧縮させ、それによって地上と接触するアウトソール38fに関連する力を吸収する。力は第1の板196および第2の板198を介してミッドソール36fへと伝達されるが、点状または局所的な荷重として使用者によって経験されることはない。つまり、前述したように、第1の板196および第2の板198は剛性材料から形成されているとして記載される。したがって、内側緩衝構成64fおよび外側緩衝構成66fがソール構造14fに沿う離散した場所に位置付けられているが、内側緩衝構成64fおよび外側緩衝構成66fによって第1の板196および第2の板198に発揮された力は、加えられた力が個別の離散した場所において使用者の足に加えられないように、ミッドソール36fの長さにわたって散らされる。むしろ、内側緩衝構成64fおよび外側緩衝構成66fの場所において加えられた力は、第1の板196および第2の板198の剛性のため、板196、198の長さに沿って散らされ、このようにして、足が内部空所26の内部に配置されたインソール94と接触しているとき、点状の荷重が使用者の足によって経験されることはない。さらに、第2の板196を内側緩衝構成64fの第1の流体充填室188fと第2の流体充填室190fとの間で延ばし、外側緩衝構成66fの第3の流体充填室192fと第4の流体充填室194fとの間で延ばすことで、追加的な安定性が、加えられた力を緩衝構成64f、66fと、第1の区分152fと、第2の区分154fとの間で分散することによって緩衝構成40fに提供される。
【０１７５】
図38〜図41を具体的に参照すると、履物10gの物品が提供されており、アッパー12と、アッパー12に付着させられたソール構造14gとを備えている。履物10gの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１７６】
図38〜図41を参照すると、ソール構造14gは、ミッドソール36gと、アウトソール38gと、ミッドソール36gとアウトソール38gとの間に配置された緩衝材または緩衝構成40gと、ミッドソール36gと緩衝構成40gとの間に配置された第1の板206と、緩衝構成40gとアウトソール38gとの間に配置された第2の板208とを含むように示されている。
【０１７７】
ミッドソール36gは、ミッドソール36gが連続して形成された上方部分146gと、分割された下方部分148gとを含む点において、先の履物10eの物品と関連するミッドソール36eと同様の手法で形成できる。ミッドソール36gの下方部分148gは、上方部分146gの前足領域16から下向きに延びる第1の区分152gと、上方部分146gの踵領域20から下向きに延びる第2の区分154gとを含み得る。第1の区分152gの踵を向く側壁174gは、第1の区分152gと第2の区分154gとの間に隙間156gを定めるために、第2の区分154gの前足を向く側壁176gから離間されている。第2の区分154gの厚さは先細りとされてもよく、それによって、前足を向く側壁176gは、踵領域20から前足領域16への方向において、上方部分146gと合流する。
【０１７８】
第1の板206は、上方部分146gと、下方部分148gおよび緩衝構成40gの各々との間に配置される。より明確には、第1の板206の第1の端が上方部分146gと第1の区分152gとの間に配置され、第1の板206の反対の第2の端が上方部分146gと第2の区分154gとの間に配置され、中間部分が上方部分146gと緩衝構成40gとの間に配置され、それによって、第1の板206の地上を向く表面158gが、第1の区分152gと第2の区分154gとの中間に形成された隙間156gの内部で露出される。代替で、第1の板206は、ミッドソール36gの上方部分146gの内部に少なくとも部分的に封入されてもよい。さらに、第1の板206は、ソール構造14gの内側面22および/またはソール構造14gの外側面24において視認可能であってもよい。第1の板206はミッドソール36gの材料の内部に一部埋め込まれるとして記載および図示されているが、第1の板206はアッパー12とミッドソール36gとの間に配置されてもよく、それによって第1の板206はシュトローベル48および/またはアッパー12に直接的に付着させられる。第1の板206は、履物10の物品に関して先に検討されているように、一部の長さの板または全体の長さの板であり得る。
【０１７９】
第2の板208は、第1の板206から離間され、第1の区分152gから第2の区分154gへと延びる。具体的には、第2の板208は、ミッドソール36gの前方端44に結合される第1の端210と、第2の区分154gの前足を向く側壁176gに結合される反対の第2の端212とを含む。第2の端212は第2の区分154gの内部に埋め込まれてもよい。第2の板208の中間部分214が、第1の区分152gと第2の区分154gとの間に形成された隙間156gで広がり、緩衝構成40gとアウトソール38gとの間に配置される。さらに、第2の板208の中間部分214は上向きに湾曲され、より明確には、中間部分214の地上を向く表面が凸状である。したがって、第2の板208の中間部分214は、後でより詳細に検討されているように、履物10gの物品が使用されるとき、緩衝構成40gと地上との間に配置される。
【０１８０】
図38〜図41を引き続き参照すると、履物10gの物品の緩衝構成40gは、履物10eの物品に関して前述した緩衝構成40eと同じである。したがって、緩衝構成40gは、第1の流体充填室188gおよび第2の流体充填室190gを積み重ねられた配置で備える内側緩衝構成64gと、第3の流体充填室192gおよび第4の流体充填室194gを積み重ねられた配置で備える外側緩衝構成66gとを含み得る。
【０１８１】
図38〜図41をなおも参照すると、緩衝構成40gは第1の板206と第2の板208との間に配置されている。第1の流体充填室188gおよび第3の流体充填室192gは、それぞれの第1の側において第1の板206に付着させられ、それぞれの第2の側において第2の流体充填室190gおよび第4の流体充填室194gにそれぞれ付着させられる。同様に、第2の流体充填室190gおよび第4の流体充填室194gは、それぞれの第1の側において第1の流体充填室188gおよび第3の流体充填室192gにそれぞれ付着させられ、それぞれの第2の側において第2の板208に付着させられる。
【０１８２】
図38に示しているように、アウトソール38gはミッドソール36gの第2の区分154gと第2の板208とに結合される。より明確には、アウトソール38gは多くの断片から成り、それによってアウトソール38gの一部分は互いから分離して形成され、第2の区分154gおよび第2の板208の各々に結合される。
【０１８３】
動作の間、地上係合面54が地上に接触するとき、第1の曲げ力がアウトソール38gを介して第2の板208へと伝達される。第2の板208の第1の端210および第2の端212がミッドソール36gの第1の区分152gおよび第2の区分154gにそれぞれ固定された状態で、第1の曲げ力は、第2の板208の長さに沿って第1の区分152gおよび第2の区分154gの各々へと軸方向で一部伝えられる。第1の曲げ力は内側緩衝構成64gおよび外側緩衝構成66gへとさらに伝達され、これは、圧縮力を第2の曲げ力として第1の板196へとさらに伝達する。圧縮力は個別の流体充填室188g、190g、192g、194gを圧縮させ、それによって地上と接触するアウトソール38gに関連する第1の曲げ力を吸収する。そのため、圧縮力は緩衝構成40gから第1の板206へと伝達される。したがって、第1の曲げ力は第1の板206、第2の板208、および緩衝構成40gによってミッドソール36gへと伝達されるが、点状または局所的な荷重として使用者によって経験されることはない。つまり、前述したように、第1の板206および第2の板208は剛性材料から形成されているとして記載される。したがって、内側緩衝構成64gおよび外側緩衝構成66gがソール構造14gに沿う離散した場所に位置付けられているが、内側緩衝構成64gおよび外側緩衝構成66gによって第1の板206に発揮された力は、圧縮力が個別の離散した場所において使用者の足に加えられないように、ミッドソール36gの長さにわたって散らされる。むしろ、内側緩衝構成64gおよび外側緩衝構成66gの場所において加えられた力が、第1の板206および第2の板208の剛性のため、板206、208の長さに沿って散らされ、このようにして、足が内部空所26の内部に配置されたインソール94と接触しているとき、点状の荷重が使用者の足によって経験されることはない。
【０１８４】
図42〜図45を引き続き具体的に参照すると、履物10hの物品が提供されており、アッパー12と、アッパー12に付着させられたソール構造14hとを備えている。履物10hの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含む含有する同様の符号が、変形されている構成要素を特定するために使用されている。
【０１８５】
図42〜図45を参照すると、ソール構造14hは、ミッドソール36hと、アウトソール38hと、ミッドソール36hとアウトソール38hとの間に配置された緩衝材または緩衝構成40hと、ミッドソール36hと緩衝構成40hとの間に配置された第1の板206と、緩衝構成40hとアウトソール38hとの間に配置された第2の板216とを含むように示されている。
【０１８６】
ミッドソール36h、アウトソール38h、緩衝構成40h、および第1の板206は、前述した履物10gの物品のそれぞれのミッドソール36g、アウトソール38g、緩衝構成40g、および第1の板206と同様に構築および配置されている。
【０１８７】
第2の板216は、第1の板206から離間され、第1の区分152hから第2の区分154hへと延びる。具体的には、第2の板216は、ミッドソール36hの前方端44に結合される第1の端218と、第2の区分154hの前足を向く側壁176hに結合される反対の第2の端220とを含む。第2の端220は第2の区分154hの内部に埋め込まれてもよい。第2の板216の中間部分222が、第1の区分152hと第2の区分154hとの間に形成された隙間156hで広がり、緩衝構成40gとアウトソール38gとの間に配置される。したがって、第2の板216の中間部分222は、後でより詳細に検討されているように、履物10hの物品が使用されるとき、緩衝構成40hと地上との間に配置される。
【０１８８】
第2の板216の中間部分222は上向きに湾曲され、より明確には、中間部分222の地上を向く表面が凸状である。さらに、中間部分222は、一体に形成されたダンパ224を含む。図示しているように、ダンパ224は、緩衝構成40hと第2の区分154hとの間で中間部分222において形成されている。ダンパ224は、中間部分222から第2の区分154hへの捩じり力の伝達を最小限にする一方で、中間部分222から第2の区分154hへの軸方向の力の伝達を容易にするように構成されている。一部の例では、ダンパ224は、例えば長方形など、一体的に形成された千鳥状の形として配置された複数の側壁によって定められる。一部の例では、ダンパ224は、捩じり力の伝達を最小限とするように構成された蜂の巣状パターン、波状パターン、または他の形を有してもよい。
【０１８９】
動作の間、地上係合面54が地上に接触するとき、第1の曲げ力がアウトソール38hを介して第2の板216へと伝達される。第2の板216の第1の端218および第2の端220がミッドソール36hの第1の区分152hおよび第2の区分154hにそれぞれ固定された状態で、第1の曲げ力は、軸方向の力として、第2の板216を通じて第1の区分152hおよび第2の区分154hの各々へと一部分散させられる。先に提供されているように、第2の板216のダンパ224は、第2の区分154hへの捩じり力の伝達を最小限にする一方で、軸方向の力の伝達を容易にする。第1の曲げ力は内側の緩衝材または緩衝構成64hおよび外側の緩衝材または緩衝構成66hへとさらに伝達され、これは、圧縮力を第2の曲げ力として第1の板196へとさらに伝える。圧縮力は個別の流体充填室188h、190h、192h、194hを圧縮させ、それによって地上と接触するアウトソール38hに関連する第1の曲げ力を吸収する。そのため、圧縮力は緩衝構成40hから第1の板206へと伝達される。したがって、第1の曲げ力は第1の板206、第2の板216、および緩衝構成40hによってミッドソール36hへと伝達されるが、点状または局所的な荷重として使用者によって経験されることはない。つまり、前述したように、第1の板206および第2の板216は剛性材料から形成されているとして記載される。したがって、内側緩衝構成64hおよび外側緩衝構成66hがソール構造14hに沿う離散した場所に位置付けられているが、内側緩衝構成64hおよび外側緩衝構成66hによって第1の板206に発揮された力は、圧縮力が個別の離散した場所において使用者の足に加えられないように、ミッドソール36hの長さにわたって散らされる。むしろ、内側緩衝構成64hおよび外側緩衝構成66hの場所において加えられた力は、第1の板206および第2の板216の剛性のため、板206、216の長さに沿って散らされ、このようにして、足が内部空所26の内部に配置されたインソール94と接触しているとき、点状の荷重が使用者の足によって経験されることはない。
【０１９０】
図46〜図49を具体的に参照すると、履物10iの物品が提供されており、アッパー12と、アッパー12に付着させられたソール構造14iとを備えている。履物10iの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０１９１】
図46〜図49を参照すると、ソール構造14iは、ミッドソール36iと、アウトソール38iと、ミッドソール36iとアウトソール38iとの間に配置された緩衝材または緩衝構成40iと、ミッドソール36iと緩衝構成40iとの間に概して配置された第1の板226と、緩衝構成40iとアウトソール38iとの間に概して配置された第2の板228とを含むように示されている。
【０１９２】
ミッドソール36iは上方部分146iと下方部分148iとを含む。図示しているように、上方部分146iは連続的に形成されており、アッパー12に結合されている。ミッドソール36iの下方部分148iは、上方部分146iの前足領域16から下向きに延びる第1の区分152iと、上方部分146iの踵領域20から下向きに延びる第2の区分154iと、第1の区分152iと第2の区分154iとの間で延びるリブ230とを含む。第1の区分152iの踵を向く側壁174iは、第1の区分152iと第2の区分154iとの間に隙間156iを定めるために、第2の区分154iの前足を向く側壁176iから離間されている。したがって、リブ230は、第1の区分152iと第2の区分154iとの間の隙間156iで広がり、緩衝構成40iを横方向で分割する。
【０１９３】
第1の板226は、上方部分146iと、下方部分148iおよび緩衝構成40iの各々との間に配置される。より明確には、第1の板226の第1の端が上方部分146iと第1の区分152iとの間に配置され、第1の板226の反対の第2の端が上方部分146iと第2の区分154iとの間に配置され、中間部分が一方の側における上方部分146iと反対側における緩衝構成40iおよびリブ230との間に配置される。代替で、第1の板226は、ミッドソール36iの上方部分146iの内部に少なくとも部分的に封入されてもよい。さらに、第1の板226は、ソール構造14iの内側面22および/またはソール構造14iの外側面24において視認可能であってもよい。第1の板226はミッドソール36iの材料の内部に埋め込まれるとして記載および図示されているが、第1の板226はアッパー12とミッドソール36iとの間に配置されてもよく、それによって第1の板226はシュトローベル48および/またはアッパー12に直接的に付着させられる。第1の板226は、履物10の物品に関して先に検討されているように、一部の長さの板または全体の長さの板であり得る。
【０１９４】
第2の板228は、第1の板226から離間され、第1の区分152iから緩衝構成40iへと延びる。具体的には、第2の板228は、ミッドソール36iの前方端44に結合される第1の端232と、緩衝構成40iに結合される反対の第2の端234とを含む。
【０１９５】
図46〜図49を引き続き参照すると、履物10iの物品の緩衝構成40iは、履物10eの物品に関して前述した緩衝構成40eと同じである。したがって、緩衝構成40iは、第1の流体充填室188iおよび第2の流体充填室190iを積み重ねられた配置で備える内側の緩衝材または緩衝構成64iと、第3の流体充填室192iおよび第4の流体充填室194iを積み重ねられた配置で備える外側の緩衝材または緩衝構成66iとを含み得る。
【０１９６】
図46〜図49をなおも参照すると、緩衝構成40iは第1の板226と第2の板228との間に配置されている。第1の流体充填室188iおよび第3の流体充填室192iは、それぞれの第1の側において第1の板226に付着させられ、それぞれの第2の側において第2の流体充填室190iおよび第4の流体充填室194iにそれぞれ付着させられる。同様に、第2の流体充填室190iおよび第4の流体充填室194iは、それぞれの第1の側において第1の流体充填室188iおよび第3の流体充填室192iにそれぞれ付着させられ、それぞれの第2の側において第2の板228に付着させられる。
【０１９７】
図46に示しているように、アウトソール38iはミッドソール36iの第2の区分154iと第2の板228とに結合される。より明確には、アウトソール38iは多くの断片から成り、それによってアウトソール38iの一部分は互いから分離して形成され、第2の区分154iおよび第2の板228の各々に結合される。
【０１９８】
動作の間、地上係合面54が地上と接触するとき、力が第2の板228を介して内側緩衝構成64iおよび外側緩衝構成66iへと伝達される。つまり、力は、第1の流体充填室188i、第2の流体充填室190i、第3の流体充填室192i、および第4の流体充填室194iへと伝達される。加えられた力は個別の流体充填室188i、190i、192i、194iを圧縮させ、それによって地上と接触するアウトソール38iに関連する力を吸収する。力はミッドソール36iおよび第1の板226へと伝達されるが、点状または局所的な荷重として使用者によって経験されることはない。つまり、前述したように、第1の板226は剛性材料から形成されているとして記載されている。したがって、内側緩衝構成64iおよび外側緩衝構成66iがソール構造14iに沿う離散した場所に位置付けられているが、内側緩衝構成64iおよび外側緩衝構成66iによって第1の板226に発揮された力は、加えられた力が個別の離散した場所において使用者の足に加えられないように、第1の板226の長さにわたって散らされる。むしろ、内側緩衝構成64iおよび外側緩衝構成66iの場所において加えられた力は、第1の板226の剛性のため、第1の板226の長さに沿って散らされ、このようにして、足が内部空所26の内部に配置されたインソール94と接触しているとき、点状の荷重が使用者の足によって経験されることはない。
【０１９９】
図50〜図53Bを参照すると、履物10jの物品が提供されており、アッパー12と、アッパー12に付着させられたソール構造14jとを備えている。履物10jの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０２００】
ソール構造14jはアッパー12に付着させられ、使用の間に履物10jの物品に支持および緩衝を提供する。つまり、ソール構造14jは、履物10jの物品が使用の間に地面を打ちつけることによって引き起こされる地面反力を弱める。したがって、後で記述しているように、ソール構造14jは、履物10jの物品を着用しているときに使用者によって経験される衝撃をソール構造14jが減少させることができるように、エネルギー吸収特性を有する1つまたは複数の材料を組み込むことができる。
【０２０１】
ソール構造14jは、ミッドソール36jと、アウトソール38jと、ミッドソール36jとアウトソール38jとの間に概して配置される緩衝材または緩衝構成40jとを含み得る。また、ソール構造14jは、履物10jの物品の前足領域16から後方端46に向かって延びる第1の板236、第2の板238、および第3の板240を含み得る。図50および53Bに示しているように、第1の板236がミッドソール36jと緩衝構成40jとの中間に配置される一方で、第2の板238はミッドソール36jの内部に配置され、緩衝構成40jを上方部分と下方部分とに分離する。第3の板240は緩衝構成40jとアウトソール38jとの間に配置される。
【０２０２】
図50、51、および53Bを参照すると、ミッドソール36jは、連続的に形成された上方部分146jと、分割された下方部分148jとを含み得る。上方部分146jは、履物10jの物品の前方端44から後方端46へと延びているとして示されている。一構成では、上方部分146jはアッパー12のシュトローベル48と相対し、ソール構造14jをアッパー12に結合する。ミッドソール36jの上方部分146jは、図53Aに示しているように、ミッドソール36jがアッパー12とシュトローベル48との接合部を覆うように、アッパー12の上面50へと少なくとも部分的に延びてもよい。
【０２０３】
ミッドソール36jの下方部分148jは、上方部分146jの前足領域16から下向きに延びる第1の区分152jと、上方部分146jの踵領域20から下向きに延びる第2の区分154jとを含み得る。第1の区分152jの踵を向く側壁174jは、第1の区分152jと第2の区分154jとの間に隙間156jを定めるために、第2の区分154jの前足を向く側壁176jから離間されている。第2の区分154jの前足を向く側壁176jは、図51および図53Bに示しているように、先細りとされてもよい。概して、隙間156jは、使用の間に緩衝構成40jの制約のない膨張および収縮のための十分な間隔を提供するために定められている。例えば、地上面との初期の衝撃において、緩衝構成40jが鉛直方向に圧縮されるため、緩衝構成40jの幅は横方向に膨張できる。隙間156jを提供することで、緩衝構成40jの衝撃吸収能力は最大化される。
【０２０４】
図50〜図52を参照すると、ミッドソール36jの第2の区分154jは、前足を向く側壁176jから後方端46へと連続的延びる通路157jを含み得る。図示しているように、通路157jの幅は前足を向く側壁176jから中間部分へと広がり、中間部分から、ソール構造14jの後方端46に隣接する第2の頂点へと先細りとなることができる。一部の例では、通路157jは第2の区分154jの前足を向く側壁176jを通じて延びる。
【０２０５】
ミッドソール36jは、例えばポリマ発泡材などのエネルギー吸収材料から形成され得る。ポリマ発泡材などのエネルギー吸収材料からミッドソール36jを形成するによって、ミッドソール36jは、使用の間に地上の上での履物10jの物品の移動によって引き起こされる地面反力を弱めることができる。一部の例では、上方部分146jは第1の材料から形成でき、下方部分148jは第2の材料から形成できる。図5に示されているように、追加または代替で、区分152j、154jの一方または両方は、複合的に形成されてもよく、第1の発泡材料から形成された上方部分152j1、154j1と、第2の発泡材料から形成された下方部分152j2、154j2とを含んでもよい。
【０２０６】
先に提供されているように、ソール構造14jは、ミッドソール36jと緩衝構成40jとの間に剛体または半剛体の境界面を提供するように構成された複数の板236、238、240を含み、それによって、緩衝構成40jに増加した安定性を提供し、ソール構造14jを通じて荷重を分散する。第1の板236は、ミッドソール36jの上方部分146jが第1の板236とアッパー12との間で延びるようにミッドソール36jの内部に配置されてもよい。図示しているように、第1の板236は、上方部分146jと下方部分148jとの間に配置されてもよい。より具体的には、第1の板236の第1の端が上方部分146jと下方部分148jの第1の区分152jとの間でミッドソール36jの内部に埋め込まれ、第1の板236の反対の第2の端が上方部分146jと下方部分148jの第2の区分154jとの間でミッドソール36jの内部に埋め込まれる。第1の板236の中間部分が隙間156jを横断し、それによって第1の板236の地上を向く表面158jが、隙間156jの内部で露出され、緩衝構成40jの近位端に結合される。
【０２０７】
第1の板236は、ソール構造14jの内側面22および/またはソール構造14jの外側面24において視認可能であってもよい。代替で、第1の板236は、ミッドソール36jの上方部分146jの内部に封入されてもよい。一部の例では、第1の板236はアッパー12とミッドソール36jとの間に配置されてもよく、それによって第1の板236はシュトローベル48および/またはアッパー12に直接的に付着させられる。
【０２０８】
図示しているように、第2の板238は、第1の板236から離間されており、第1の板236とアウトソール38jとの間に概して配置される。第2の板238の第1の端242がミッドソール36jの下方部分148jの第1の区分152jに結合される一方で、反対の第2の端244がミッドソール36jの下方部分148jの第2の区分154jに結合される。図示した例では、第2の板238の第1の端242は第1の区分152jの内部に埋め込まれ、第2の端244は第2の区分154jの内部に埋め込まれる。第2の板238の中間部分246が、後でより詳細に検討されているように、第1の区分152jと第2の区分154jとの間に形成された隙間156jで広がり、緩衝構成40jを上方部分と下方部分へと分離する。
【０２０９】
図51を参照すると、第2の板238は、反対の端242、244に形成された一対の切欠き252、254を含む。図示した例では、第1の切欠きは、第1の端242に形成された第1の切込み252であり、第2の切欠きは、第2の端244に形成された第2の切込み254である。図示しているように、切込み252、254の各々は、第2の板238の厚さを通じて形成されており、第2の板238の中間部分246に配置された頂点に向けて幅が先細りである。したがって、切込み252、254の各々は、第2の板238の各々の端242、244において一対のタブ256を効果的に定めている。第1の端242のタブ256は、踵を向く側壁174jを通じてミッドソール36jの第1の区分152jへと延びており、第2の端244のタブ256は、前足を向く側壁176jを通じてミッドソール36jの第2の区分154jへと延びている。
【０２１０】
タブ256は、履物10jの使用の間、第2の板238の第1の端242および第2の端244の各々において、屈曲部として作用するように構成されている。例えば、第1の切込み252は、前足領域の内部での第2の板238の剛性を最小限にするように大きさおよび位置が定められ得る。同様に、タブ256を設けることで、第2の切込み254は、第2の板238の第2の端244を中足領域18の内部で捩じらせるおよび/または曲げさせる。一部の例では、切欠きのうちの1つまたは複数は、第2の板238の中間部分246の内部に形成された開口であってもよい。
【０２１１】
第3の板240は、第2の板238から離間されており、緩衝構成40jとアウトソール38jとの間に配置される。図示しているように、第3の板240は、ミッドソール36jの第1の区分152jに付着させられる第1の端248から、緩衝構成40jに付着させられる第2の端250まで延びる。より明確には、第3の板240の第1の端248は第1の区分152jの遠位端とアウトソール38jとの間に配置され、一方、第3の板の第2の端250は、緩衝構成40jに結合され、第2の区分154jへと延びない。したがって、第3の板240の第2の端250は緩衝構成40jと共に自由に移動する。後でより詳細に検討されているように、アウトソール38jの少なくとも一部分は、第3の板240に付着され、またはそれと一体に形成され得る。
【０２１２】
図51および図53Bを参照すると、第1の板236は全体の長さの板であり、ソール構造14jの全長に沿って前足領域16から踵領域20へと実質的に延びている。第2の板238および第3の板240は、ソール構造14jの一部分だけに沿って延びる、いわゆる「一部の長さ」であり得る。図示した例では、第2の板238は前足領域16から中足領域18へと延びており、一方、第3の板240は前足領域16の内部に実質的に配置されている。一部の例では、板236、238、240のうちのいずれか1つまたは複数は、前足領域16の中間部分から踵領域20の中間部分へと延び得る。追加または代替で、板236、238、240のうちのいずれか1つまたは複数は、前述したように、前方端44からソール構造14jの後方端46まで延びる全体の長さの板であり得る。
【０２１３】
追加で、板236、238、240の各々は、緩衝構成40jを受け入れるように構成された1つまたは複数のソケット257を備えてもよい。図51に示しているように、ソケット257は、それぞれの板236、238、240の各々の1つまたは複数の表面に形成され、緩衝構成40jと接合するように構成されたリブ、凸部、または凹部によって定められてもよい。したがって、ソケット257は、各々の板236、238、240に対する緩衝構成40jの位置を固定するために、緩衝構成40jのそれぞれの端を受け入れる。
【０２１４】
具体的な大きさ、場所、および特徴に拘わらず、板236、238、240のうちの1つまたは複数は、比較的剛性の材料から形成され得る。例えば、板236、238、240のうちの1つまたは複数は、非発泡性のポリマ材料から、または代替で、炭素繊維などの繊維を含有する複合材料から、形成され得る。例えば、炭素繊維の板は、ポリマ材料と比較して比較的軽量で望ましい力の分散特性のため、最大限の性能を提供することが見出されている。しかしながら、ポリマ板は、ソール構造の他の実施では、適切な重量および力の分散特性を提供できる。板236、238、240を比較的剛性の材料から形成することは、後でより詳細に検討されているように、履物10jの物品が地上面を打ちつけるときに物品の履物10jの使用と関連する力を、ソール構造14j全体を通じて分散させることができる。
【０２１５】
図50〜図53Bをなおも参照すると、緩衝構成40jは、ミッドソール36jの隙間156jの内部に配置され、内側の緩衝材または緩衝構成64jと外側の緩衝材または緩衝構成66jとを含むように示されている。内側緩衝構成64jはソール構造14jの内側面22に近接して配置されるが、外側緩衝構成66jはソール構造14jの外側面24に近接して配置される。
【０２１６】
図52および図53Aに示しているように、内側緩衝構成64jは第1の流体充填室188jと第2の流体充填室190jとを含む。同様に、外側緩衝構成66jは第3の流体充填室192jと第4の流体充填室194jとを含む。第1の流体充填室188jおよび第3の流体充填室192jは第1の板236と第2の板238との間に概して配置され、一方、第2の流体充填室190jおよび第4の流体充填室194jは第2の板238と第3の板240との間に配置される。明確には、第1の流体充填室188jおよび第3の流体充填室192jは、それぞれの第1の側において第1の板236に付着させられ、それぞれの第2の側において第2の板238に付着させられる。同様に、第2の流体充填室190jおよび第4の流体充填室194jは、それぞれの第1の側において第2の板238に付着させられ、それぞれの第2の側において第3の板240に付着させられる。
【０２１７】
図50および図53Bを参照すると、第2の板238の中間部分246が緩衝構成40jと交差している。より明確には、第2の板238の中間部分246は、内側緩衝構成64jの第1の流体充填室188jと第2の流体充填室190jとの間と、外側緩衝構成66jの第3の流体充填室192jと第4の流体充填室194jとの間に配置される。別の言い方をすれば、第1の流体充填室188jおよび第3の流体充填室192jは、第2の板238の上方(つまり、第2の板238とアッパー12との間)に配置され、一方、第2の流体充填室190jおよび第4の流体充填室194jは第2の板238の下方(つまり、第2の板238とアウトソール38jとの間)に配置される。
【０２１８】
流体充填室188j、190j、192j、194jは、適切な接着剤を介して、第1の板236、第2の板238、および/または第3の板240にそれぞれ付着させられ得る。追加または代替で、流体充填室188j、190j、192j、194jは、流体充填室188j、190j、192j、194j、第1の板236、第2の板238、および/または第3の板240のうちの少なくとも1つの材料を融合させることで、板236、238、240のうちのいずれかの1つまたは複数に結合されてもよい。先に検討しているように、流体充填室188j、190j、192j、194jの各々の反対の端は、板236、238、240の各々の内部または表面に形成されたそれぞれのソケット257において受け入れられてもよく、それによって流体充填室188j、190j、192j、194jのうちの1つまたは複数の位置を機械的に固定する。
【０２１９】
図53Aを参照すると、流体充填室188j、190j、192j、194jは第1の障壁要素76と第2の障壁要素78とを各々含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図53Aに示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は内部空所80を封止し、それによって流体充填室188j、190j、192j、194jの各々の容積を定める。
【０２２０】
流体充填室188j、190j、192j、194jの内部空所80はそこに引張要素84を受け入れることができる。各々の引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、流体充填室188j、190j、192j、194jが加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室188j、第2の流体充填室190j、第3の流体充填室192j、および第4の流体充填室194jの各々の所望の形をそれぞれ保持する。
【０２２１】
前述したように、内側緩衝構成64jおよび外側緩衝構成66jは、アッパー12とアウトソール38jとの間で概して受け入れられる流体充填室188j、190j、192j、194jの対を各々含む。一構成では、第1の流体充填室188jおよび第3の流体充填室192jは、第2の板238によって、第2の流体充填室190jおよび第4の流体充填室194jからそれぞれ流体的に隔離される。
【０２２２】
一部の構成では、内側緩衝構成64j(つまり、第1の流体充填室188jおよび第2の流体充填室190j)は、外側緩衝構成66j(つまり、第3の流体充填室192jおよび第4の流体充填室194j)から流体的に隔離される。内側緩衝構成64jが外側緩衝構成66jから離間されているとして記載および図示されているが、緩衝構成64j、66jは、代替で、互いと接触している一方でなおも流体的に隔離されていてもよい。
【０２２３】
内側緩衝構成64jおよび外側緩衝構成66jは、積み重ねられた流体充填室の対を含むとして記載および図示されているが、代替で他の緩衝要素を含む可能性もある。例えば、内側緩衝構成64jおよび外側緩衝構成66jは、流体充填室188j、190j、192j、194jのうちのいずれか1つまたは複数を置き換える発泡材ブロック(例えば、図4〜図6における符号92を参照)を各々含み得る。発泡材ブロックは、第1の障壁要素76および第2の障壁要素78によって定められた内部空所80の内部に受け入れられ得る。第1の障壁要素76および第2の障壁要素78によって定められた内部空所80の内部に発泡材ブロックを位置決めすることによって、障壁要素76、78は、所定の荷重に曝されるとき、発泡材ブロックの所定の量を越えての膨張を制限することができる。したがって、全体の形、延いては発泡材ブロックの性能は、発泡材ブロックを荷重の掛かる間に障壁要素76、78と相互作用させることで制御できる。発泡材ブロックは障壁要素76、78の内部空所80の内部に受け入れられるとして記載されているが、発泡材ブロックは、障壁要素76、78の存在しない緩衝構成40jの内部に代替で位置決めされてもよい。このような構成では、発泡材ブロックは、第1の板236、第2の板238、第3の板240のうちのいずれかの1つまたは複数、および/または、流体充填室188j、190j、192j、194jのうちの1つにそれぞれ直接的に付着させられる。内側緩衝構成64jおよび外側緩衝構成66jの具体的な構成(つまり、発泡材ブロック、流体充填室、またはそれらの組合せの使用)は、内側面22および外側面24において要求される緩衝の大きさによって決定付けられ得る。
【０２２４】
内側緩衝構成64jおよび外側緩衝構成66jの具体的な構成に拘わらず、内側緩衝構成64jおよび外側緩衝構成66jは、ソール構造14jの内側面22と外側面24との間で延びる方向に沿って互いと実質的に並べられてもよい。代替で、内側緩衝構成64jおよび外側緩衝構成66jは互いからずらされてもよい。
【０２２５】
前述したように、内側緩衝構成64jおよび外側緩衝構成66jは、ソール構造14jにおける離散した場所に配置される積み重ねられた緩衝要素の対を各々提供する。一構成では、内側緩衝構成64jおよび外側緩衝構成66jは、内側面22および外側面24において緩衝をそれぞれ提供するように協働する積み重ねられた流体充填室(つまり、要素188j、190j、192j、194j)の対を各々提供する。個別の流体充填室188j、190j、192j、194jは同じ容積を含んでもよく、さらに、同じ圧力にあってもよい。代替で、様々な流体充填室188j、190j、192j、194jの容積および圧力は、緩衝構成64j、66jの間で、および/または、各々の緩衝構成64j、66jの内部で、異なってもよい。例えば、第1の流体充填室188jは第2の流体充填室190jと同じ圧力を含んでもよく、または代替で、第1の流体充填室188jは第2の流体充填室190jと異なる圧力を含んでもよい。同様に、第3の流体充填室192jは第4の流体充填室194jと同じまたは異なる圧力を含んでもよく、第1の流体充填室188jおよび/または第2の流体充填室190jと異なる圧力を含んでもよい。流体充填室188j、190j、192j、194jは、15〜30psiの範囲内の圧力であり得、好ましくは、20〜25psiの範囲内の圧力であり得る。
【０２２６】
図50および図53Bに示しているように、アウトソール38jはミッドソール36jと第3の板240とに結合される。より明確には、アウトソール38jは多くの断片から成り、それによってアウトソール38jの前足区分258がミッドソール36jの第1の区分152jと第3の板240とに結合され、アウトソール38jの1つまたは複数の踵区分260がミッドソール36jの第2の区分154jに結合される。代替で、アウトソール38jは連続的に形成されてもよく、前方端44から後方端46へと延びてもよい。アウトソール38jは、例えば、履物10jの物品に、トラクションおよび耐久性を提供する地上係合面54を提供するゴムなど、弾性材料から形成され得る。
【０２２７】
図示しているように、第3の板240は、切欠き262を定めるためにアウトソール38jの前足区分258と協働する。切欠き262は、第3の板240および前足区分258の各々を通じて延び、内側緩衝構成64jと外側緩衝構成66jとの間に配置された頂点へと長手方向軸Lに沿って幅が先細りになっている。同様に、第3の板240の外側周辺とアウトソール38jの前足区分258の外側周辺とは、緩衝構成40jの輪郭に対応してもよく、内側緩衝構成64jと外側緩衝構成66jとの間に延びる切欠き264と、反対の切欠き262とを定めるために協働してもよい。
【０２２８】
動作の間、地上係合面54が地上と接触するとき、力が第3の板240によって第1の区分152jおよび緩衝構成40jへと分散させられる。第3の板240を通じて緩衝構成40jによって受けた力は、第2の流体充填室190jおよび第4の流体充填室194jを通じて第2の板238へと伝達され、第2の板238を通じて第1の流体充填室188jおよび第3の流体充填室192jへと伝達され、第1の流体充填室188jおよび第3の流体充填室192jを通じて第1の板236へと伝達される。加えられた力は個別の流体充填室188j、190j、192j、194jを圧縮させ、それによって地上と接触するアウトソール38jに関連する力を吸収する。力は、第1の板236、第2の板238、および第3の板240を介してミッドソール36jへと伝達されるが、点状または局所的な荷重として使用者によって経験されることはない。前述したように、第1の板236、第2の板238、および第3の板240の1つまたは複数は、剛性の材料から形成される。したがって、内側緩衝構成64jおよび外側緩衝構成66jがソール構造14jに沿う離散した場所に位置付けられているが、内側緩衝構成64jおよび外側緩衝構成66jによって第1の板236および第2の板238に発揮された力は、加えられた力が個別の離散した場所において使用者の足に加えられないように、ミッドソール36jの長さにわたって散らされる。むしろ、内側緩衝構成64jおよび外側緩衝構成66jの場所において加えられた力は、第1の板236および第2の板238の剛性のため、板236、238の長さに沿って散らされ、このようにして、足が内部空所26の内部に配置されたインソール94と接触しているとき、点状の荷重が使用者の足によって経験されることはない。さらに、第3の板240を内側緩衝構成64jおよび外側緩衝構成66jの各々の遠位端に付着させ、第2の板238を内側緩衝構成64jの第1の流体充填室188jと第2の流体充填室190jとの間で延ばし、外側緩衝構成66jの第3の流体充填室192jと第4の流体充填室194jとの間で延ばすことで、追加的な安定性が、加えられた力を緩衝構成64j、66jと、第1の区分152jと、第2の区分154jとの間で分散することによって緩衝構成40jに提供される。
【０２２９】
図54〜図57Bを参照すると、履物10kの物品が提供されており、アッパー12と、アッパー12に付着させられたソール構造14kとを備えている。履物10kの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０２３０】
ソール構造14kはアッパー12に付着させられ、使用の間に履物10kの物品に支持および緩衝を提供する。つまり、ソール構造14kは、履物10kの物品が使用の間に地面を打ちつけることによって引き起こされる地面反力を弱める。したがって、後で記述しているように、ソール構造14kは、履物10kの物品を着用しているときに使用者によって経験される衝撃をソール構造14kが減少させることができるように、エネルギー吸収特性を有する1つまたは複数の材料を組み込むことができる。
【０２３１】
ソール構造14kは、ミッドソール36kと、アウトソール38kと、ミッドソール36kとアウトソール38kとの間に概して配置される緩衝材または緩衝構成40kとを含み得る。また、ソール構造14kは、履物10kの物品の前足領域16から後方端46に向かって延びる第1の板266、第2の板268、および第3の板270を含み得る。図54および57Bに示しているように、第1の板266がミッドソール36kと緩衝構成40kとの中間に配置される一方で、第2の板268はミッドソール36kの内部に配置され、緩衝構成40kを上方部分と下方部分とに分離する。第3の板270は緩衝構成40kとアウトソール38kとの間に配置される。
【０２３２】
図55および図57Bを参照すると、ミッドソール36kは、連続的に形成された上方部分146kと、分割された下方部分148kとを含み得る。上方部分146kは、履物10kの物品の前方端44から後方端46へと延びているとして示されている。一構成では、上方部分146kはアッパー12のシュトローベル48と相対し、ソール構造14kをアッパー12に結合する。ミッドソール36kの上方部分146kは、図57Aに示しているように、ミッドソール36kがアッパー12とシュトローベル48との接合部を覆うように、アッパー12の上面50へと少なくとも部分的に延びてもよい。
【０２３３】
ミッドソール36kの下方部分148kは、上方部分146kの前足領域16から下向きに延びる第1の区分152kと、上方部分146kの踵領域20から下向きに延びる第2の区分154kとを含み得る。第1の区分152kの踵を向く側壁174kは、第1の区分152kと第2の区分154kとの間に隙間156kを定めるために、第2の区分154jの前足を向く側壁176kから離間されている。第2の区分154kの前足を向く側壁176kは、図55および図57Bに示しているように、先細りとされてもよい。概して、隙間156kは、使用の間に緩衝構成40kの制約のない膨張および収縮のための十分な間隔を提供するために定められている。例えば、地上面との初期の衝撃において、緩衝構成40kが圧縮されるため、緩衝構成40kの幅は膨張できる。隙間156kを提供することで、緩衝構成40kの衝撃吸収能力は最大化される。
【０２３４】
図54および図56を参照すると、ミッドソール36kの第2の区分154kは、前足を向く側壁176kから後方端46へと連続的延びる通路157kを含み得る。図示しているように、通路157kの幅は前足を向く側壁176kから中間部分へと広がり、中間部分から、ソール構造14kの後方端46に隣接する第2の頂点へと先細りとなることができる。
【０２３５】
ミッドソール36kは、例えばポリマ発泡材などのエネルギー吸収材料から形成され得る。ポリマ発泡材などのエネルギー吸収材料からミッドソール36kを形成するによって、ミッドソール36kは、使用の間に地上の上での履物10kの物品の移動によって引き起こされる地面反力を弱めることができる。
【０２３６】
先に提供されているように、ソール構造14kは、ミッドソール36kと緩衝構成40kとの間に剛体または半剛体の境界面を提供するように構成された複数の板266、268、270を含み、それによって、緩衝構成40kに増加した安定性を提供し、ソール構造14kを通じて荷重を分散する。第1の板266は、ミッドソール36kの上方部分146kが第1の板266とアッパー12との間で延びるようにミッドソール36kの内部に配置されてもよい。図示しているように、第1の板266は、上方部分146kと下方部分148kとの間に配置されてもよい。より具体的には、第1の板266の第1の端が上方部分146kと第1の区分152kとの間でミッドソール36kの内部に埋め込まれ、第1の板266の第2の端が上方部分146kと第2の区分154kとの間でミッドソール36kの内部に埋め込まれる。第1の板266の中間部分が隙間156kを横断し、それによって第1の板266の地上を向く表面158kが、隙間156kの内部で露出され、緩衝構成40kの近位端に結合される。
【０２３７】
第1の板266は、ソール構造14kの内側面22および/またはソール構造14kの外側面24において視認可能であってもよい。代替で、第1の板266は、ミッドソール36kの上方部分146kの内部に封入されてもよい。一部の例では、第1の板266はアッパー12とミッドソール36kとの間に配置されてもよく、それによって第1の板266はシュトローベル48および/またはアッパー12に直接的に付着させられる。
【０２３８】
図示しているように、第2の板268は、第1の板266から離間されており、第1の板266とアウトソール38kとの間に概して配置される。第2の板268の第1の端272がミッドソール36kの下方部分148kの第1の区分152kに結合される一方で、反対の第2の端274がミッドソール36kの下方部分148kの第2の区分154kに結合される。図示した例では、第2の板268の第1の端272は第1の区分152kの内部に埋め込まれ、第2の端274は第2の区分154kの内部に埋め込まれる。第2の板268の中間部分276が、後でより詳細に検討されているように、第1の区分152kと第2の区分154kとの間に形成された隙間156kで広がり、緩衝構成40kを上方部分と下方部分へと分離する。
【０２３９】
図55を参照すると、第2の板268は、柔軟性および安定性の特性を制御するために形成された切欠き282、284を含んでいる。図示しているように、切欠き282、284は、第2の板268の第1の端272から延びる第1の切込み282と、第2の板268の第2の端274から延びる第2の切込み284とを含む。第1の切込み282および第2の切込み284の各々は、緩衝構成40kの反対の側同士に隣接するそれぞれの頂点へと延びている。図示しているように、切込み282、284は、後で検討しているように、緩衝構成40kの一部分同士の間で部分的に延び得る。したがって、切込み282、284の各々は、第2の板268の各々の端272、274において一対のタブ286を効果的に定めている。第1の端272のタブ286は、踵を向く側壁174kを通じてミッドソール36kの第1の区分152kへと延びており、第2の端274のタブ286は、前足を向く側壁176kを通じてミッドソール36kの第2の区分154kへと延びている。
【０２４０】
タブ286は、履物10kの使用の間、第2の板268の第1の端272および第2の端274の各々において、屈曲部として作用するように構成されている。例えば、第1の切込み282は、緩衝構成40kに隣接する前足領域16の内部での第2の板268の剛性を最小限にするように大きさおよび位置が定められ得る。同様に、タブ286を形成することで、第2の切込み284は、第2の板268の第2の端274を中足領域18の内部で捩じらせて曲げさせる。切込み282、284の大きさおよび位置は、柔軟性および安定性の所望の特性に依存して変えられてもよい。
【０２４１】
第3の板270は、第2の板268から離間されており、緩衝構成40kとアウトソール38kとの間に配置される。図示しているように、第3の板270は、ミッドソール36kの第1の区分152kに付着させられる第1の端278から、緩衝構成40kに付着させられる第2の端280まで延びる。より明確には、第3の板270の第1の端278は第1の区分152kの遠位端とアウトソール38kとの間に配置され、一方、第3の板270の第2の端280は、第2の区分154kの遠位端とアウトソール38kとの間で受け入れられる。したがって、アウトソール38kの少なくとも一部分は、後でより詳細に記載しているように、第3の板270に付着させられ得る、または、第3の板270と一体に形成され得る。
【０２４２】
第2の板268と同様に、第3の板270は、それを貫いて形成された複数の切欠き288、289、290を含む。図示した例では、第1の切欠きは、第1の端278に形成された第1の切込み288であり、第2の切欠きは、第2の端280に形成された第2の切込み290である。図示しているように、切込み288、290の各々は、第3の板270の厚さを通じて形成されており、第3の板270の中間部分に配置された頂点に向けて幅が先細りである。したがって、切込み288、290の各々は、第3の板270の各々の端278、280において一対のタブ291を効果的に定めている。第1の端278のタブ291は第1の区分152kとアウトソール38kとの間で受け入れられ、第2の端280のタブ291は第2の区分154kとアウトソール38kとの間に受け入れられる。第3の板270は、第1の切込み288とは反対の緩衝構成40kの側において中間部分を貫いて形成された開口289をさらに含む。第2の板268のタブ286と同様に、第3の板270のタブ291は、所望の柔軟性および安定性を提供するように構成されてもよい。
【０２４３】
図55および図57Bを参照すると、第1の板266は全体の長さの板であり、ソール構造14kの全長に沿って前足領域16から踵領域20へと実質的に延びている。第2の板268および第3の板270は、ソール構造14kの一部分だけに沿って延びる、いわゆる「一部の長さ」板であり得る。図示した例では、第2の板268および第3の板は前足領域16から中足領域18へと延びる。一部の例では、板266、268、270のうちのいずれか1つまたは複数は、前足領域16の中間部分から中足領域18または踵領域20の中間部分へと延び得る。追加または代替で、板266、268、270のうちのいずれか1つまたは複数は、前述したように、前方端44からソール構造14kの後方端46まで延びる全体の長さの板であり得る。
【０２４４】
具体的な大きさ、場所、および特徴に拘わらず、板266、268、270のうちの1つまたは複数は、比較的剛性の材料から形成され得る。例えば、板266、268、270は、非発泡性のポリマ材料から、または代替で、炭素繊維などの繊維を含有する複合材料から、形成され得る。炭素繊維の板は、ポリマ材料と比較して比較的軽量で望ましい力の分散特性のため、最大限の性能を提供することが見出されている。しかしながら、ポリマ板は、ソール構造の他の実施では、適切な重量および力の分散特性を提供できる。板266、268、270を比較的剛性の材料から形成することは、後でより詳細に検討されているように、履物10kの物品が地上面を打ちつけるときに物品の履物10kの使用と関連する力を、ソール構造14k全体を通じて分散させることができる。
【０２４５】
図54〜図57Bをなおも参照すると、緩衝構成40kは、ミッドソール36kの隙間156kの内部に配置され、内側の緩衝材または緩衝構成64kと外側の緩衝材または緩衝構成66kとを含むように示されている。内側緩衝構成64kはソール構造14kの内側面22に近接して配置されるが、外側緩衝構成66kはソール構造14kの外側面24に近接して配置される。
【０２４６】
図55および図57Aに示しているように、内側緩衝構成64kは第1の流体充填室188kと第2の流体充填室190kとを含む。同様に、外側緩衝構成66kは第3の流体充填室192kと第4の流体充填室194kとを含む。第1の流体充填室188kおよび第3の流体充填室192kは第1の板266と第2の板268との間に概して配置され、一方、第2の流体充填室190kおよび第4の流体充填室194kは第2の板268と第3の板270との間に配置される。明確には、第1の流体充填室188kおよび第3の流体充填室192kは、それぞれの第1の側において第1の板266に付着させられ、それぞれの第2の側において第2の板268に付着させられる。同様に、第2の流体充填室190kおよび第4の流体充填室194kは、それぞれの第1の側において第2の板268に付着させられ、それぞれの第2の側において第3の板270に付着させられる。
【０２４７】
図54および図57Bを参照すると、第2の板268の中間部分276が緩衝構成40kを通じて延びている。より明確には、第2の板268の中間部分276は、内側緩衝構成64kの第1の流体充填室188kと第2の流体充填室190kとの間と、外側緩衝構成66kの第3の流体充填室192kと第4の流体充填室194kとの間とに配置される。別の言い方をすれば、第1の流体充填室188kおよび第3の流体充填室192kは、第2の板268の上方(つまり、第2の板268とアッパー12との間)に配置され、一方、第2の流体充填室190kおよび第4の流体充填室194kは第2の板268とアウトソール38kとの間に配置される。
【０２４８】
流体充填室188k、190k、192k、194kは、適切な接着剤を介して、第1の板266、第2の板268、および/または第3の板270にそれぞれ付着させられ得る。追加または代替で、流体充填室188k、190k、192k、194kは、流体充填室188k、190k、192k、194k、第1の板266、第2の板268、および/または第3の板270のうちの少なくとも1つの材料を融合させることで、板266、268、270のうちのいずれかの1つまたは複数に結合されてもよい。先に検討しているように、流体充填室188k、190k、192k、194kの各々の反対の端は、板266、268、270の各々の内部または表面に形成された対応するソケット287において受け入れられてもよく、それによって各々の端の位置を機械的に固定する。
【０２４９】
流体充填室188k、190k、192k、194kは第1の障壁要素76と第2の障壁要素78とを各々含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図57Aに示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は内部空所80を封止し、それによって流体充填室188k、190k、192k、194kの各々の容積を定める。
【０２５０】
流体充填室188k、190k、192k、194kの内部空所80はそこに引張要素84を受け入れることができる。各々の引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、流体充填室188k、190k、192k、194kが加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室188k、第2の流体充填室190k、第3の流体充填室192k、および第4の流体充填室194kの各々の所望の形をそれぞれ保持する。
【０２５１】
前述したように、内側緩衝構成64kおよび外側緩衝構成66kは、アッパー12とアウトソール38kとの間で概して受け入れられる流体充填室188k、190k、192k、194kの対を各々含む。一構成では、第1の流体充填室188kおよび第3の流体充填室192kは、第2の板268によって、第2の流体充填室190kおよび第4の流体充填室194kからそれぞれ流体的に隔離される。
【０２５２】
一部の構成では、内側緩衝構成64k(つまり、第1の流体充填室188kおよび第2の流体充填室190k)は、外側緩衝構成66k(つまり、第3の流体充填室192kおよび第4の流体充填室194k)から流体的に隔離される。内側緩衝構成64kが外側緩衝構成66kから離間されているとして記載および図示されているが、緩衝構成64k、66kは、代替で、互いと接触している一方でなおも流体的に隔離されていてもよい。
【０２５３】
内側緩衝構成64kおよび外側緩衝構成66kは、積み重ねられた流体充填室の対を含むとして記載および図示されているが、代替で他の緩衝要素を含む可能性もある。例えば、内側緩衝構成64kおよび外側緩衝構成66kは、流体充填室188k、190k、192k、194kのうちのいずれか1つまたは複数を置き換える発泡材ブロック(例えば、図4〜図6における符号92を参照)を各々含み得る。発泡材ブロックは、第1の障壁要素76および第2の障壁要素78によって定められた内部空所80の内部に受け入れられ得る。第1の障壁要素76および第2の障壁要素78によって定められた内部空所80の内部に発泡材ブロックを位置決めすることによって、障壁要素76、78は、所定の荷重に曝されるとき、発泡材ブロックの所定の量を越えての膨張を制限することができる。したがって、全体の形、延いては発泡材ブロックの性能は、発泡材ブロックを荷重の掛かる間に障壁要素76、78と相互作用させることで制御できる。発泡材ブロックは障壁要素76、78の内部空所80の内部に受け入れられるとして記載されているが、発泡材ブロックは、障壁要素76、78の存在しない緩衝構成40kの内部に代替で位置決めされてもよい。このような構成では、発泡材ブロックは、第1の板266、第2の板268、第3の板270のうちのいずれかの1つまたは複数、および/または、流体充填室188k、190k、192k、194kのうちの1つにそれぞれ直接的に付着させられる。内側緩衝構成64kおよび外側緩衝構成66kの具体的な構成(つまり、発泡材ブロック、流体充填室、またはそれらの組合せの使用)は、内側面22および外側面24において要求される緩衝の大きさによって決定付けられ得る。
【０２５４】
内側緩衝構成64kおよび外側緩衝構成66kの具体的な構成に拘わらず、内側緩衝構成64kおよび外側緩衝構成66kは、ソール構造14kの内側面22と外側面24との間で延びる方向に沿って互いと実質的に並べられてもよい。代替で、内側緩衝構成64kおよび外側緩衝構成66kは互いからずらされてもよい。
【０２５５】
前述したように、内側緩衝構成64kおよび外側緩衝構成66kは、ソール構造14kにおける離散した場所に配置される積み重ねられた緩衝要素の対を各々提供する。一構成では、内側緩衝構成64kおよび外側緩衝構成66kは、内側面22および外側面24において緩衝をそれぞれ提供するように協働する積み重ねられた流体充填室(つまり、要素188k、190k、192k、194k)の対を各々提供する。個別の流体充填室188k、190k、192k、194kは同じ容積を含んでもよく、さらに、同じ圧力にあってもよい。代替で、様々な流体充填室188k、190k、192k、194kの容積および圧力は、緩衝構成64k、66kの間で、および/または、各々の緩衝構成64j、66jの内部で、異なってもよい。例えば、第1の流体充填室188kは第2の流体充填室190kと同じ圧力を含んでもよく、または代替で、第1の流体充填室188kは第2の流体充填室190kと異なる圧力を含んでもよい。同様に、第3の流体充填室192kは第4の流体充填室194kと同じまたは異なる圧力を含んでもよく、第1の流体充填室188kおよび/または第2の流体充填室190kと異なる圧力を含んでもよい。例えば、第1の流体充填室188kは第2の流体充填室190kより高いかまたは低い圧力を含んでもよく、第3の流体充填室192kは第4の流体充填室194kより高いかまたは低い圧力を含んでもよい。流体充填室188k、190k、192k、194kは、15〜30psiの範囲内の圧力であり得、好ましくは、20〜25psiの範囲内の圧力であり得る。
【０２５６】
図54に示しているように、アウトソール38kはミッドソール36kおよび第3の板270に結合され、前方端44から踵領域20を通じて延びている。アウトソール38kは、第3の板270の切欠き288、290および/またはミッドソール36kの通路157kと相補的な輪郭を有し、アウトソール38kを貫いて形成された切欠き292、294を含み得る。アウトソール38kは、例えば、履物10kの物品に、トラクションおよび耐久性を提供する地上係合面54を提供するゴムなど、弾性材料から形成され得る。
【０２５７】
動作の間、地上係合面54が地上と接触するとき、力が第3の板270によって第1の区分152kおよび緩衝構成40kへと分散させられる。第3の板270を通じて緩衝構成40kによって受けた力は、第2の流体充填室190kおよび第4の流体充填室194kを通じて第2の板268へと伝達され、第2の板268を通じて第1の流体充填室188kおよび第3の流体充填室192kへと伝達され、第1の流体充填室188kおよび第3の流体充填室192kを通じて第1の板266へと伝達される。加えられた力は個別の流体充填室188k、190k、192k、194kを圧縮させ、それによって地上と接触するアウトソール38kに関連する力を吸収する。力は、第1の板266、第2の板268、および第3の板270を介してミッドソール36kへと伝達されるが、点状または局所的な荷重として使用者によって経験されることはない。前述したように、第1の板266、第2の板268、および第3の板270の1つまたは複数は、剛性の材料から形成される。したがって、内側緩衝構成64kおよび外側緩衝構成66kがソール構造14kに沿う離散した場所に位置付けられているが、内側緩衝構成64kおよび外側緩衝構成66kによって第1の板266および第2の板268に発揮された力は、加えられた力が個別の離散した場所において使用者の足に加えられないように、ミッドソール36kの長さにわたって散らされる。むしろ、内側緩衝構成64kおよび外側緩衝構成66kの場所において加えられた力は、板266、268、270の剛性のため、第1の板266および第2の板268の長さに沿って散らされ、このようにして、足が内部空所26の内部に配置されたインソール94と接触しているとき、点状の荷重が使用者の足によって経験されることはない。さらに、第3の板270を内側緩衝構成64kおよび外側緩衝構成66kの各々の遠位端に付着させ、第2の板268を内側緩衝構成64kの第1の流体充填室188kと第2の流体充填室190kとの間で延ばし、外側緩衝構成66kの第3の流体充填室192kと第4の流体充填室194kとの間で延ばすことで、追加的な安定性が、加えられた力を緩衝構成64k、66kと、第1の区分152kと、第2の区分154kとの間で分散することによって緩衝構成40kに提供される。
【０２５８】
図58〜図61Bを参照すると、履物10mの物品が提供されており、アッパー12と、アッパー12に付着させられたソール構造14mとを備えている。履物10mの物品に関して、履物10の物品と関連付けられる構成要素の構造および機能における実質的な類似性に鑑みて、同様の符号が、同様の構成要素を特定するために、以後において、および、図面において使用されており、一方、文字の拡張を含有する同様の符号が、変形されている構成要素を特定するために使用されている。
【０２５９】
引き続き図58〜61Bを参照すると、ソール構造14mは、ミッドソール36mと、アウトソール38mと、ミッドソール36mとアウトソール38mとの間に配置された緩衝材または緩衝構成40mと、ミッドソール36mと緩衝構成40mとの間に配置された板296とを含むように示されている。板296は、例えば、非発泡性のポリマ、または、炭素繊維などの繊維を含有する複合材料など、比較的剛性の材料から形成される。
【０２６０】
図58、図59、および図61Bを参照すると、ミッドソール36mは、連続的に形成された上方部分146mと、下方部分148mとを含み得る。上方部分146mは、履物10mの物品の前方端44から後方端46へと延びているとして示されている。一構成では、上方部分146mはアッパー12のシュトローベル48と相対し、ソール構造14ｍをアッパー12に結合する。ミッドソール36mの上方部分146mは、図61Bに示しているように、ミッドソール36mがアッパー12とシュトローベル48との接合部を覆うように、アッパー12の上面50へと少なくとも部分的に延びてもよい。
【０２６１】
ミッドソール36mの下方部分148mは、上方部分146mの前足領域16から下向きに延びる第1の区分152mと、上方部分146mの踵領域20から下向きに延びる第2の区分154mと、第1の区分152mと第2の区分154mとの間で延びるリブ230mとを含み得る。第1の区分152mの踵を向く側壁174mは、第1の区分152mと第2の区分154mとの間に隙間156mを定めるために、第2の区分154mの前足を向く側壁176mから離間されている。したがって、リブ230mは、第1の区分152mと第2の区分154mとの間の隙間156mで広がり、緩衝構成40mを横方向で分割する。後で検討しているように、側壁174m、176mの各々は緩衝構成40mから離間され得る。一部の例では、側壁174m、176mは、緩衝構成40mの外側輪郭と実質的に相補的な形である輪郭を有し得る。
【０２６２】
板296は、上方部分146mと、下方部分148mおよび緩衝構成40mの各々との間に配置される。より明確には、板296の第1の端が上方部分146mと第1の区分152mとの間に配置され、板296の反対の第2の端が上方部分146mと第2の区分154mとの間に配置され、中間部分が、一方の側における上方部分146mと、板296の地上を向く表面158mを定める反対側における緩衝構成40mおよびリブ230mとの間に配置される。代替で、板296は、ミッドソール36mの上方部分146mの内部に少なくとも部分的に封入されてもよい。さらに、板296は、ソール構造14mの内側面22および/またはソール構造14mの外側面24において視認可能であってもよい。板296はミッドソール36mの材料の内部に埋め込まれるとして記載および図示されているが、板296はアッパー12とミッドソール36mとの間に配置されてもよく、それによって板296はシュトローベル48および/またはアッパー12に直接的に付着させられる。
【０２６３】
図示しているように、板296は、全体の長さの板であり、履物10の物品に関して先に検討されているように、前方端44から後方端46まで実質的に連続的に延びている。一部の例では、板296は、中足領域16の中間部分から前足領域16または踵領域20の中間部分へと延びる、いわゆる「一部の長さの板」であり得る。したがって、板296は、中足領域18を通じて踵領域20へと完全に延びることなく、履物10mの物品の前足領域16から中足領域18へと延びてもよい。
【０２６４】
追加で、板296は、緩衝構成40mを受け入れるように構成された1つまたは複数のソケット307を備えてもよい。図59に示しているように、ソケット307は、それぞれの板296の地上を向く表面158mに形成され、緩衝構成40mと接合するように構成されたリブ、凸部、または凹部によって定められてもよい。したがって、ソケット307は、板296に対する緩衝構成40mの位置を固定するために、緩衝構成40mのそれぞれの端を受け入れる。
【０２６５】
板296は、曲げおよび安定性の特性を制御するために形成された1つまたは複数の切欠き298を含んでもよい。図示しているように、板296は、板296の踵領域20を貫いて形成された開口298を含む。一部の例では、板296は、所望の柔軟性および安定性を提供するために、切込みまたは他の切欠きを含んでもよい。
【０２６６】
板296の具体的な大きさおよび構成に拘わらず、板296は比較的剛性の材料から形成され得る。例えば、板296は、非発泡性のポリマ材料から、または代替で、炭素繊維などの繊維を含有する複合材料から、形成され得る。板296を比較的剛性の材料から形成することで、板296は、後でより詳細に記載しているように、履物10mの物品が地上面を打ちつけるときに物品の履物10mの使用に関連する力を分散することができる。
【０２６７】
図58〜図61Aを具体的に参照すると、緩衝構成40mは、内側の緩衝材または緩衝構成64mと外側の緩衝材または緩衝構成66mとを含むように示されている。内側緩衝構成64mはソール構造14mの内側面22に近接して配置されるが、外側緩衝構成66mはソール構造14mの外側面24に近接して配置される。
【０２６８】
図61Aに示しているように、内側緩衝構成64mは、板296とアウトソール38mとの間に概して配置された第1の流体充填室162mを含む。同様に、外側緩衝構成66mは、外側面24において板296とアウトソール38mとの間に配置された第2の流体充填室164mを含む。明確には、第1の流体充填室162mは、第1の側において板296の露出面158mに付着させられ、第2の側においてアウトソール38mに付着させられている。同様に、第2の流体充填室164mは、第1の側において板296の露出面158mに付着させられ、第2の側においてアウトソール38mに付着させられている。
【０２６９】
第1の流体充填室162mは、適切な接着剤を介して板296とアウトソール38mとにそれぞれ付着させられてもよい。追加または代替で、第1の流体充填室162mは、第1の流体充填室162mの材料とアウトソール38mの材料とを第1の流体充填室162mとアウトソール38mとの接合部において融合させることで、アウトソール38mに付着させられてもよい。先に検討しているように、流体充填室162m、164mの各々の第1の端は板296に形成された対応するソケット307において受け入れられてもよく、それによって流体充填室162m、164mの位置を機械的に固定する。一部の例では、アウトソール38mは、流体充填室162m、164mの第2の端を受け入れるためのソケット307も含み得る。
【０２７０】
第1の流体充填室162mおよび第2の流体充填室164mは第1の障壁要素76と第2の障壁要素78とを含み得る。第1の障壁要素76および第2の障壁要素78は熱可塑性ポリウレタン(TPU)のシートから形成され得る。明確には、第1の障壁要素76はTPU材料のシートから形成されてもよく、実質的に平面状の形を含み得る。第2の障壁要素78は、TPU材料のシートから同様に形成されてもよく、内部空所80を定めるために図28に示した構成へと形成されてもよい。第1の障壁要素76は、周囲の継目82を定めるために、第1の障壁要素76および第2の障壁要素78の周辺において熱および圧力を加えることで第2の障壁要素78に結合され得る。周囲の継目82は空所80を封止し、それによって第1の流体充填室162mの容積を定める。
【０２７１】
第1の流体充填室162mおよび第2の流体充填室164mの各々の内部空所80はそこに引張要素84を受け入れることができる。引張要素84は、上方引張シート88と下方引張シート90との間で延びる一連の引張ストランド86を含み得る。上方引張シート88は第1の障壁要素76に付着させられ得るが、下方引張シート90は第2の障壁要素78に付着させられ得る。この手法では、第1の流体充填室162mが加圧流体を受け入れるとき、引張要素84の引張ストランド86は引っ張られる。上方引張シート88が第1の障壁要素76に付着させられ、下方引張シート90が第2の障壁要素78に付着させられるため、引張ストランド86は、加圧流体が内部空所80へと注入されるとき、第1の流体充填室162mの所望の形を保持する。
【０２７２】
引き続き図61Aを参照すると、外側緩衝構成66mは第2の流体充填室164mを同様に含む。内側緩衝構成64mと同様に、第2の流体充填室164mは板296とアウトソール38mとの間に配置される。第2の流体充填室164mは第1の流体充填室162mと同一であり得る。したがって、第2の流体充填室164mは、第1の障壁要素76、第2の障壁要素78、内部空所80、周囲の継目82、および、内部空所80の内部に配置された引張要素84を含み得る。
【０２７３】
一構成では、内側緩衝構成64m(つまり、第1の流体充填室162m)は、外側緩衝構成66m(つまり、第2の流体充填室164m)から流体的に隔離される。このようにして、内側緩衝構成64mは外側緩衝構成66mから距離166で離間および分離されている(図29)。内側緩衝構成64mが外側緩衝構成66mから離間されているとして記載および図示されているが、緩衝構成64m、66mは、代替で、互いと接触している一方でなおも流体的に隔離されていてもよい。
【０２７４】
内側緩衝構成64mおよび外側緩衝構成66mは流体充填室162m、164mを含むとして記載および図示されているが、内側緩衝構成64mおよび/または外側緩衝構成66mは代替または追加の緩衝要素を代わりに含んでもよい。例えば、内側緩衝構成64mおよび/または外側緩衝構成66mは、流体充填室162m、164mの一方または両方を置き換える発泡材ブロック(図示せず)を各々含み得る。発泡材ブロックは、第1の障壁要素76および第2の障壁要素78によって定められた内部空所80の内部に受け入れられ得る。第1の障壁要素76および第2の障壁要素78によって定められた内部空所80の内部に発泡材ブロックを位置決めすることによって、障壁要素76、78は、所定の荷重に曝されるとき、発泡材ブロックの所定の量を越えての膨張を制限することができる。したがって、全体の形、延いては発泡材ブロックの性能は、発泡材ブロックを荷重の掛かる間に障壁要素76、78と相互作用させることで制御できる。
【０２７５】
内側緩衝構成64mおよび外側緩衝構成66mの具体的な構造に拘わらず、内側緩衝構成64mは、図61Aに示しているように、ソール構造14mの長手方向軸(L)に沿って延びる方向において、外側緩衝構成66mと並べられ得る。追加または代替で、図61Aに示しているように、両方の緩衝構成64m、66mが、ソール構造14mの前方端44から、および/または、ソール構造14mの後方端46から、おおよそ等しく離間されるように、内側緩衝構成64mは、内側面22から外側面24へと延びる方向において外側緩衝構成66mと並べられてもよい。代替で、内側緩衝構成64mは、長手方向軸(L)に沿って延びる方向において、外側緩衝構成66mからずらされてもよい。つまり、内側緩衝構成64mは、図14に示した例と同様に、外側緩衝構成66mより、ソール構造14mの前方端44の近くに、または、前方端44から遠くに配置され得る。
【０２７６】
先に検討しているように、ミッドソール36mの側壁174m、176mは、緩衝構成64m、66mから離間されている。間隔は、荷重に曝されるとき、緩衝構成64m、66mを外向きに膨張させる。つまり、緩衝構成64m、66mは、荷重に曝されるとき、緩衝構成64m、66mと側壁174m、176mとの間に配置される隙間へと延びるように許容されている。この隙間156mの幅は、緩衝構成64m、66mが荷重に曝されるときに膨張するように許容される度合いを制御するように設計されてもよい。例えば、隙間156mがより大きくなると、緩衝構成64m、66mは、あったとしても側壁174m、176mと接触する前に、より大きく膨張しなければならない。反対に、側壁174m、176mが緩衝構成64m、66mに近接して配置される場合、緩衝構成64m、66mがミッドソール36mの表面168に接触する前に緩衝構成64m、66mの最小の膨張が許容されることになり、それによって、ミッドソール36mに緩衝構成64m、66mが所定の大きさを超えて膨張するのを制限させることができる。
【０２７７】
前述したように、内側緩衝構成64mおよび外側緩衝構成66mは、ソール構造14mにおける離散した場所に配置された緩衝要素を各々提供する。一構成では、内側緩衝構成64mおよび外側緩衝構成66mは、内側面22および外側面24において緩衝をそれぞれ提供するように協働する流体充填室(例えば、要素162m、164m)を各々提供する。個別の離散した流体充填室162m、164m は同じ容積を含んでもよく、さらに、同じ圧力(つまり、20psi)にあってもよい。代替で、様々な流体充填室162m、164mの圧力は緩衝構成64m、66mの間で異なってもよい。例えば、第1の流体充填室162mは第2の流体充填室164mと同じ圧力を含んでもよく、または代替で、第1の流体充填室162mは第2の流体充填室164mと異なる圧力を含んでもよい。流体充填室162m、164mは、15〜30psiの範囲内の圧力であり得、好ましくは、20〜25psiの範囲内の圧力であり得る。
【０２７８】
図58および図61Bに示しているように、アウトソール38mはミッドソール36mと緩衝構成40mとに結合される。アウトソール38mは、例えば、履物10mの物品に、トラクションおよび耐久性を提供する地上係合面54を提供するゴムなど、弾性材料から形成され得る。前述したように、地上係合面54は、ソール構造14mの地上面との係合を高めるためにトラクション要素55を含み得る。
【０２７９】
動作の間、ソール構造14mが地上と接触するとき、力が内側緩衝構成64mおよび外側緩衝構成66mへと伝達される。つまり、力が第1の流体充填室162mおよび第2の流体充填室164mへと伝達される。加えられた力は個別の流体充填室162m、164mを圧縮させ、それによって地上と接触するアウトソール38mに関連する力を吸収する。力はミッドソールの板296およびミッドソール36mへと伝達されるが、点状または局所的な荷重として使用者によって経験されることはない。つまり、前述したように、板296は剛性材料から形成されている。したがって、内側緩衝構成64mおよび外側緩衝構成66mがソール構造14mに沿う離散した場所に位置付けられているが、内側緩衝構成64mおよび外側緩衝構成66mによって板296に発揮された力は、加えられた力が個別の離散した場所において使用者の足に加えられないように、板296の長さにわたって散らされる。むしろ、内側緩衝構成64mおよび外側緩衝構成66mの場所において加えられた力は、板296の剛性のため、板296の長さに沿って散らされ、このようにして、足が内部空所26の内部に配置されたインソール94と接触しているとき、点状の荷重が使用者の足によって経験されることはない。
【０２８０】
前述の履物10〜10mの物品の各々は、具体的な履物10〜10mの物品の使用の間、履物10〜10mの物品に使用者の足へのある度合いの緩衝および保護を提供するソール構造14〜14mをそれぞれ組み込んでいる。したがって、履物10〜10mの物品は、履物10、10a、10d、10e、10f、10g、10h、10i、10j、10k、10mの物品の場合におけるランニング、履物10bの物品の場合における陸上競技の種目、または、履物10cの物品の場合におけるバスケットボールの試合の間など、様々な運動の活動のために使用できる。
【０２８１】
以下の条項は、前述した履物の物品についての構成を提供している。
【０２８２】
条項1:アッパーを有する履物の物品のためのソール構造であって、地上係合面、および、地上係合面とは反対の側に形成される上面を有するアウトソールと、上方部分および下方部分を有するミッドソールであって、下方部分は、アウトソールに付着させられ、上方部分の前足領域から上方部分の踵領域に向かう方向において延びる第1の区分、および、上方部分の踵領域から上方部分の前足領域に向かう方向において延び、ミッドソールの長手方向軸に沿って第1の区分からある隙間で離間される第2の区分を含む、ミッドソールと、ミッドソールから隙間へと延びる少なくとも1つの板と、ミッドソールの隙間に配置され、板に結合される緩衝材とを備えるソール構造。
【０２８３】
条項2:板の第1の端がミッドソールの第1の区分に結合され、板の第2の端がミッドソールの第2の区分に結合され、板の中間部分が隙間を通じて第1の端から第2の端へと延び、板に結合される、条項1に記載のソール構造。
【０２８４】
条項3:板の第1の端はミッドソールの第2の区分の内部に埋め込まれ、板の第2の端はミッドソールの第1の区分の内部に埋め込まれる、条項2に記載のソール構造。
【０２８５】
条項4:板の中間部分は緩衝材とミッドソールの上方部分との間に配置される、条項2に記載のソール構造。
【０２８６】
条項5:緩衝材は、ソール構造の内側面に近接して配置され、板とアウトソールとの間に配置される第1の流体充填室を含む第1の緩衝材と、ソール構造の外側面に近接して配置され、板とアウトソールとの間に配置される第2の流体充填室を含む第2の緩衝材とを備え、第2の緩衝材は第1の緩衝材から流体的に隔離される、条項4に記載のソール構造。
【０２８７】
条項6:緩衝材は板の中間部分とミッドソールの上方部分との間に配置される、条項2に記載のソール構造。
【０２８８】
条項7:緩衝材は、ソール構造の内側面に近接して配置され、上方部分ミッドソールと板の中間部分との間に配置される第1の流体充填室を含む第1の緩衝材と、ソール構造の外側面に近接して配置され、ミッドソールの上方部分と板の中間部分との間に配置される第2の流体充填室を含む第2の緩衝材とを備え、第2の緩衝材は第1の緩衝材から流体的に隔離される、条項6に記載のソール構造。
【０２８９】
条項8:板の第1の端がミッドソールの上方部分とミッドソールの第1の区分との間に配置され、第1の板の第2の端がミッドソールの上方部分とミッドソールの第2の区分との間に配置される、条項2に記載のソール構造。
【０２９０】
条項9:板は、ミッドソールの上方部分と緩衝材との間に配置される第1の板と、ミッドソールの下方部分から延び、緩衝材とアウトソールとの間に配置される第2の板とを含む、条項1に記載のソール構造。
【０２９１】
条項10:第1の板および第2の板の少なくとも一方は炭素繊維から形成される、条項1に記載のソール構造。
【０２９２】
条項11:アッパーを有する履物の物品のためのソール構造であって、地上係合面、および、地上係合面とは反対の側に形成される上面を有するアウトソールと、上方部分および下方部分を有するミッドソールであって、下方部分は、アウトソールに付着させられ、上方部分の前足領域から上方部分の踵領域に向かう方向において延びる第1の区分、および、上方部分の踵領域から上方部分の前足領域に向かう方向において延び、ミッドソールの長手方向軸に沿って第1の区分からある隙間で離間される第2の区分を含む、ミッドソールと、ミッドソールの隙間に配置され、ソール構造の内側面に近接して配置される第1の緩衝材、および、ソール構造の外側面に近接して配置される第2の緩衝材を含む緩衝材であって、第2の緩衝材は第1の緩衝材から隔離される、緩衝材と、ミッドソールの第1の区分、ミッドソールの第2の区分、および緩衝材の各々に結合される第1の板とを備えるソール構造。
【０２９３】
条項12:緩衝材は、第1の板と第2の板との間に配置される第1の流体充填室、および、第2の板とアウトソールとの間に配置される第2の流体充填室を含む第1の緩衝材と、ソール構造の外側面に近接して配置され、第1の板と第2の板との間に配置される第3の流体充填室、および、第2の板とアウトソールとの間に配置される第4の流体充填室を含む第2の緩衝材とを備え、第2の緩衝材は第1の緩衝材から流体的に隔離される、条項11に記載のソール構造。
【０２９４】
条項13:第1の板から離間され、ミッドソールの第1の区分に結合される第1の端と、ミッドソールの第2の区分に結合される第2の端と、緩衝材に結合される中間部分とを有する第2の板をさらに備え、緩衝材が第1の板と第2の板との間に配置される、条項11に記載のソール構造。
【０２９５】
条項14:緩衝材は、第1の板と第2の板との間に配置される第1の流体充填室、および、第2の板とアウトソールとの間に配置される第2の流体充填室を含む第1の緩衝材と、第1の板と第2の板との間に配置される第3の流体充填室、および、第2の板とアウトソールとの間に配置される第4の流体充填室を含む第2の緩衝材とを備え、第2の緩衝材は第1の緩衝材から流体的に隔離される、条項13に記載のソール構造。
【０２９６】
条項15:緩衝材とアウトソール通間に配置される第3の板であって、緩衝材と第2の区分との間で、ミッドソールの第1の区分に結合される第1の端から途切れた端へと延びる第3の板をさらに備える、条項14に記載のソール構造。
【０２９７】
条項16:第2の板および第3の板の少なくとも一方は、第1の区分と緩衝材との間に形成される切欠きを含む、条項14に記載のソール構造。
【０２９８】
条項17:第2の板の第1の端は、タブの第1の対を定める第1の切込みを含み、第2の板の第2の端は、タブの第2の対を定める第2の切込みを含み、タブの第1の対は第1の区分に埋め込まれ、タブの第2の対は第2の区分に埋め込まれる、条項13に記載のソール構造。
【０２９９】
条項18:第1の流体充填室および第2の流体充填室の少なくとも一方がそれに配置された引張部材を含む、条項13に記載のソール構造。
【０３００】
条項19:第2の板は炭素繊維から形成される、条項13に記載のソール構造。
【０３０１】
条項20:第1の流体充填室は、ソール構造の内側面から外側面へと延びる方向において第2の流体充填室と並べられる、条項13に記載のソール構造。
【０３０２】
条項21:アッパーを有する履物の物品のためのソール構造であって、ソール構造は、地上係合面、および、地上係合面とは反対の側に形成される上面を有するアウトソールと、ソール構造の内側面に近接して配置され、アウトソールの上面に付着させられる第1の流体充填室、および、第1の流体充填室に付着させられ、第1の流体充填室とアッパーとの間に配置される第2の流体充填室を含む第1の緩衝材と、ソール構造の外側面に近接して配置され、アウトソールの上面に付着させられる第3の流体充填室、および、第3の流体充填室に付着させられ、第3の流体充填室とアッパーとの間に配置される第4の流体充填室を含む第2の緩衝材とを備え、第2の緩衝材は第1の緩衝材から流体的に隔離される、ソール構造。
【０３０３】
条項22:第1の流体充填室は第2の流体充填室から流体的に隔離され、第3の流体充填室は第4の流体充填室から流体的に隔離される、条項21に記載のソール構造。
【０３０４】
条項23:第1の緩衝材は第2の緩衝材から離間および分離される、条項22に記載のソール構造。
【０３０５】
条項24:第1の緩衝材は第2の緩衝材よりソール構造の前方端の近くに配置される、条項21に記載のソール構造。
【０３０６】
条項25:第2の緩衝材とソール構造の後方端との間に配置される第3の緩衝材をさらに備える、条項21に記載のソール構造。
【０３０７】
条項26:第3の緩衝材は、アウトソールの上面に付着させられる第5の流体充填室と、第5の流体充填室に付着させられ、第5の流体充填室とアッパーとの間に配置される第6の流体充填室とを含む、条項25に記載のソール構造。
【０３０８】
条項27:アウトソールは、上面を形成するアウトソール板部材と、地上係合面においてアウトソール板部材から延びる一連のトラクション要素とを含む、条項21に記載のソール構造。
【０３０９】
条項28:トラクション要素は弾性材料から形成される、条項27に記載のソール構造。
【０３１０】
条項29:トラクション要素は圧縮性材料から形成される、条項27に記載のソール構造。
【０３１１】
条項30:トラクション要素は剛性材料から形成される、条項27に記載のソール構造。
【０３１２】
条項31:アウトソール板部材は剛性材料から形成される、条項27に記載のソール構造。
【０３１３】
条項32:ソール構造の前方端から後方端に向けて延びる板部材をさらに備え、第1の緩衝材および第2の緩衝材は板部材とアウトソールの上面との間に配置される、条項21に記載のソール構造。
【０３１４】
条項33:第1の流体充填室、第2の流体充填室、第3の流体充填室、および第4の流体充填室の少なくとも1つは、それに配置される引張部材を含む、条項21から32のいずれか一項に記載のソール構造。
【０３１５】
条項34:第1の緩衝材は地上係合面において第1の膨出部を形成し、第2の緩衝材は地上係合面において第2の膨出部を形成する、条項21から33のいずれか一項に記載のソール構造。
【０３１６】
条項35:第1の膨出部は、ソール構造の長手方向軸と実質的に平行に延びる方向において第2の膨出部からずれる、条項34に記載のソール構造。
【０３１７】
条項36:第1の流体充填室は第2の流体充填室と並べられる、条項21から35のいずれか一項に記載のソール構造。
【０３１８】
条項37:第3の流体充填室は第4の流体充填室と並べられる、条項21から36のいずれか一項に記載のソール構造。
【０３１９】
条項38:アウトソールは第2の緩衝材からソール構造の前方端まで延びる、条項21から37のいずれか一項に記載のソール構造。
【０３２０】
条項39:アウトソールの上面とアッパーとの間に配置される緩衝要素をさらに備え、緩衝要素はソール構造の前方端と第1の緩衝材との間に配置される、条項38に記載のソール構造。
【０３２１】
条項40:緩衝要素は発泡材から形成される、条項39に記載のソール構造。
【０３２２】
条項41:緩衝要素はソール構造の前方端に向かう方向において先細りである、条項40に記載のソール構造。
【０３２３】
条項42:アッパーを有する履物の物品のためのソール構造であって、ソール構造は、地上係合面、および、地上係合面とは反対の側に形成される上面を有するアウトソールと、ソール構造の内側面に近接して配置され、アウトソールの上面に付着させられる第1の流体充填室、および、第1の流体充填室に付着させられ、第1の流体充填室とアッパーとの間に配置される第2の流体充填室を含む第1の緩衝材と、ソール構造の外側面に近接して配置され、アウトソールの上面に付着させられる第3の流体充填室、および、第3の流体充填室に付着させられ、第3の流体充填室とアッパーとの間に配置される第4の流体充填室を含む第2の緩衝材とを備え、第2の緩衝材は、ソール構造の長手方向軸と実質的に平行に延びる方向において、第1の緩衝材からずらされる、ソール構造。
【０３２４】
条項43:第1の流体充填室は第2の流体充填室から流体的に隔離され、第3の流体充填室は第4の流体充填室から流体的に隔離される、条項42に記載のソール構造。
【０３２５】
条項44:第1の緩衝材は第2の緩衝材から離間および分離される、条項43に記載のソール構造。
【０３２６】
条項45:第1の緩衝材は第2の緩衝材よりソール構造の前方端の近くに配置される、条項42に記載のソール構造。
【０３２７】
条項46:第2の緩衝材とソール構造の後方端との間に配置される第3の緩衝材をさらに備える、条項42に記載のソール構造。
【０３２８】
条項47:第3の緩衝材は、アウトソールの上面に付着させられる第5の流体充填室と、第5の流体充填室に付着させられ、第5の流体充填室とアッパーとの間に配置される第6の流体充填室とを含む、条項46に記載のソール構造。
【０３２９】
条項48:アウトソールは、上面を形成するアウトソール板部材と、地上係合面においてアウトソール板部材から延びる一連のトラクション要素とを含む、条項42に記載のソール構造。
【０３３０】
条項49:トラクション要素は弾性材料から形成される、条項48に記載のソール構造。
【０３３１】
条項50:トラクション要素は圧縮性材料から形成される、条項48に記載のソール構造。
【０３３２】
条項51:トラクション要素は剛性材料から形成される、条項48に記載のソール構造。
【０３３３】
条項52:アウトソール板部材は剛性材料から形成される、条項48に記載のソール構造。
【０３３４】
条項53:ソール構造の前方端から後方端に向けて延びる板部材をさらに備え、第1の緩衝材および第2の緩衝材は板部材とアウトソールの上面との間に配置される、条項42に記載のソール構造。
【０３３５】
条項54:第1の流体充填室、第2の流体充填室、第3の流体充填室、および第4の流体充填室の少なくとも1つは、それに配置される引張部材を含む、条項42から53のいずれか一項に記載のソール構造。
【０３３６】
条項55:第1の緩衝材は地上係合面において第1の膨出部を形成し、第2の緩衝材は地上係合面において第2の膨出部を形成する、条項42から54のいずれか一項に記載のソール構造。
【０３３７】
条項56:第1の流体充填室は第2の流体充填室と並べられる、条項42から55のいずれか一項に記載のソール構造。
【０３３８】
条項57:第3の流体充填室は第4の流体充填室と並べられる、条項42から56のいずれか一項に記載のソール構造。
【０３３９】
条項58:アウトソールは第2の緩衝材からソール構造の前方端まで延びる、条項42から57のいずれか一項に記載のソール構造。
【０３４０】
条項59:アウトソールの上面とアッパーとの間に配置される緩衝要素をさらに備え、緩衝要素はソール構造の前方端と第1の緩衝材との間に配置される、条項58に記載のソール構造。
【０３４１】
条項60:緩衝要素は発泡材から形成される、条項59に記載のソール構造。
【０３４２】
条項61:緩衝要素はソール構造の前方端に向かう方向において先細りである、条項60に記載のソール構造。
【０３４３】
条項62:アッパーを有する履物の物品のためのソール構造であって、アッパーに付着させられる板部材と、地上係合面、および、地上係合面とは反対の側に形成される上面を有するアウトソールと、ソール構造の内側面に近接して配置され、第1の流体充填室を含む第1の緩衝材であって、第1の流体充填室は第1の側においてアウトソールの上面に付着させられ、第1の側とは反対の第2の側において板部材に付着させられる、第1の緩衝材と、ソール構造の外側面に近接して配置され、第2の流体充填室を含む第2の緩衝材であって、第2の流体充填室は第1の側においてアウトソールの上面に付着させられ、第1の側とは反対の第2の側において板部材に付着させられる、第2の緩衝材と、アウトソールの上面に付着させられる第3の流体充填室、および、第3の流体充填室と板部材とに付着させられる第4の流体充填室を含む第3の緩衝材とを備えるソール構造。
【０３４４】
条項63:第3の緩衝材は、第1の緩衝材および第2の緩衝材の少なくとも一方より板部材から遠くに延びる、条項62に記載のソール構造。
【０３４５】
条項64:第3の緩衝材は内側面より外側面の近くに配置される、条項62に記載のソール構造。
【０３４６】
条項65:板部材は前方端と後方端とを含む、条項62に記載のソール構造。
【０３４７】
条項66:第3の緩衝材は第1の緩衝材および第2の緩衝材より後方端の近くに配置される、条項65に記載のソール構造。
【０３４８】
条項67:第1の緩衝材は第2の緩衝材より前方端の近くに配置される、条項65に記載のソール構造。
【０３４９】
条項68:アッパーを有する履物の物品のためのソール構造であって、ソール構造は、地上係合面、および、地上係合面とは反対の側に形成される上面を有するアウトソールであって、前方端と後方端との間で延びるアウトソールと、ソール構造の内側面に近接して配置され、アウトソールの上面に付着させられる第1の流体充填室、および、第1の流体充填室に付着させられ、第1の流体充填室とアッパーとの間に配置される第2の流体充填室を含む第1の緩衝材と、アウトソールの上面に付着させられる第3の流体充填室、および、第3の流体充填室に付着させられ、第3の流体充填室とアッパーとの間に配置される第4の流体充填室を含む第2の緩衝材とを備え、第2の緩衝材は第1の緩衝材とアウトソールの後方端との間に配置される、ソール構造。
【０３５０】
条項69:アウトソールは、アウトソールによって定められる名目上の平面から盛り上がる第1の膨出部および第2の膨出部を含む、条項68に記載のソール構造。
【０３５１】
条項70:第1の膨出部は第1の緩衝材と並べられ、第2の膨出部は第2の緩衝材と並べられる、条項69に記載のソール構造。
【０３５２】
条項71:第1の緩衝材は、アウトソールの長手方向軸に沿って延びる方向において第2の緩衝材と並べられる、条項68に記載のソール構造。
【０３５３】
条項72:アッパーを有する履物の物品のためのソール構造であって、アッパーと接触している上方部分、上方部分から延びる下方部分、および上方部分と下方部分との間に形成される通路を有するミッドソールと、ミッドソールの通路の内部に配置される板部材と、第1の側において板部材に付着させられる緩衝材とを備えるソール構造。
【０３５４】
条項73:緩衝材は、ソール構造の内側面に近接して配置され、板に付着させられる第1の流体充填室を含む第1の緩衝材と、ソール構造の外側面に近接して配置され、板に付着させられる第2の流体充填室を含む第2の緩衝材とを備える、条項72に記載のソール構造。
【０３５５】
条項74:第1の流体充填室は第2の流体充填室から流体的に隔離される、条項73に記載のソール構造。
【０３５６】
条項75:第1の緩衝材は第2の緩衝材から離間および分離される、条項73に記載のソール構造。
【０３５７】
条項76:ミッドソールに結合される第1の部分と、緩衝材に結合される第2の部分とを有するアウトソールをさらに備える、条項72に記載のソール構造。
【０３５８】
条項77:アウトソールの第1の部分はアウトソールの第2の部分から分離している、条項76に記載のソール構造。
【０３５９】
条項78:ミッドソールの下方部分は、通路と流体連通している凹部を含む、条項72に記載のソール構造。
【０３６０】
条項79:板は凹部において露出される、条項78に記載のソール構造。
【０３６１】
条項80:緩衝材は凹部の内部に配置される、条項79に記載のソール構造。
【０３６２】
条項81:板部材は前足領域の中間部分から踵領域の中間部分へと延びる、条項72に記載のソール構造。
【０３６３】
条項82:第1の流体充填室および第2の流体充填室の少なくとも一方がそれに配置された引張部材を含む、条項72から81のいずれか一項に記載のソール構造。
【０３６４】
条項83:第1の流体充填室は、ソール構造の内側面から外側面へと延びる方向において第2の流体充填室と並べられる、条項72から82のいずれか一項に記載のソール構造。
【０３６５】
条項84:アッパーを有する履物の物品のためのソール構造であって、地上係合面、および、地上係合面とは反対の側に形成される上面を有するアウトソールと、アウトソールに付着させられ、隙間を定める上方部分および下方部分を有するミッドソールであって、下方部分は、上方部分の前足領域から延びる第1の区分、および、上方部分の踵領域から延びる第2の区分を含む、ミッドソールと、ミッドソールの隙間に配置される緩衝材と、緩衝材とミッドソールの上方部分との間に配置される第1の板と、ミッドソールの第1の区分と緩衝材とに結合される第2の板とを備えるソール構造。
【０３６６】
条項85:緩衝材は、ソール構造の内側面に近接して配置され、第1の板と第2の板との間に配置される第1の流体充填室、および、第2の板とアウトソールとの間に配置される第2の流体充填室を含む第1の緩衝材と、ソール構造の外側面に近接して配置され、第1の板と第2の板との間に配置される第3の流体充填室、および、第2の板とアウトソールとの間に配置される第4の流体充填室を含む第2の緩衝材とを備え、第2の緩衝材は第1の緩衝材から流体的に隔離される、条項84に記載のソール構造。
【０３６７】
条項86:第2の板の第1の端はミッドソールの第1の区分に結合され、第2の板の第2の端はミッドソールの第2の区分に結合される、請求項84に記載のソール構造。
【０３６８】
条項87:第2の板の第1の端はミッドソールの第2の区分の内部に埋め込まれる、条項86に記載のソール構造。
【０３６９】
条項88:第2の板の第2の端はミッドソールの第1の区分の内部に埋め込まれる、条項87に記載のソール構造。
【０３７０】
条項89:第2の板の第2の端は第2の区分の前足に向かい合う側壁に結合される、条項87に記載のソール構造。
【０３７１】
条項90:第1の板の第1の端がミッドソールの上方部分とミッドソールの第1の区分との間に配置され、第1の板の第2の端がミッドソールの上方部分とミッドソールの第1の区分との間に配置される、条項84に記載のソール構造。
【０３７２】
条項91:第2の板は、ソール構造の最前方の点から中足指節の点まで一定の曲率半径を有する凹んだ中間部分を含む、条項84に記載のソール構造。
【０３７３】
条項92:緩衝材は、ソール構造の内側面に近接して配置され、第1の板に付着させられる第1の流体充填室、および、第1の流体充填室に付着させられ、第1の流体充填室と第2の板との間に配置される第2の流体充填室を含む第1の緩衝材と、ソール構造の外側面に近接して配置され、第1の板に付着させられる第3の流体充填室、および、第3の流体充填室に付着させられ、第3の流体充填室と第2の板との間に配置される第4の流体充填室を含む第2の緩衝材とを備え、第2の緩衝材は第1の緩衝材から流体的に隔離される、条項84に記載のソール構造。
【０３７４】
条項93:第2の板はミッドソールの第1の区分からミッドソールの第2の区分へと延びる、条項92に記載のソール構造。
【０３７５】
条項94:第2の板の第1の端は第1の区分の前方端に結合され、第2の板の第2の端はミッドソールの第2の区分の内部に埋め込まれる、条項93に記載のソール構造。
【０３７６】
条項95:第2の板の中間部分は上向きに湾曲される、条項92に記載のソール構造。
【０３７７】
条項96:第2の板の中間部分はダンパを含む、条項95に記載のソール構造。
【０３７８】
条項97:ダンパは緩衝材とミッドソールの第2の区分との中間に配置される、条項96に記載のソール構造。
【０３７９】
条項98:ダンパは、中間部分から第2の区分への捩じり力の伝達を最小限にするように構成される、条項96に記載のソール構造。
【０３８０】
条項99:ミッドソールは、第1の区分と第2の区分との間で延び、前記緩衝材を横方向で分割するリブを含む、条項84に記載のソール構造。
【０３８１】
条項100:流体充填室は15〜30psiの範囲内の圧力を含む、条項84から99のいずれか一項に記載のソール構造。
【０３８２】
条項101:流体充填室は20〜25psiの範囲内の圧力を含む、条項84から100のいずれか一項に記載のソール構造。
【０３８３】
条項102:流体充填室は20psiの圧力を含む、条項84から101のいずれか一項に記載のソール構造。
【０３８４】
条項103:流体充填室は25psiの圧力を含む、条項1から101のいずれか一項に記載のソール構造。
【０３８５】
条項104:アッパーを含む履物の物品のためのソール構造であって、アッパーに付着させられる第1のミッドソール部分と、第1のミッドソール部分に付着させられる第1の板部材と、第1のミッドソール部分とは反対の第1の板部材の側において第1の板部材に付着させられる第1の緩衝材と、第1の板部材とは反対の第1の緩衝材の側において第1の緩衝材に付着させられる第2の板部材と、第1の緩衝材とは反対の第2の板部材の側において第2の板部材に付着させられる第2の緩衝材と、第2の板部材とは反対の第2の緩衝材の側において第2の緩衝材に付着させられるアウトソールとを備えるソール構造。
【０３８６】
条項105:アッパーを含む履物の物品のためのソール構造であって、アッパーに付着させられる第1のミッドソール部分と、第1のミッドソール部分に付着させられる第1の板部材と、第1のミッドソール部分とは反対の第1の板部材の側において第1の板部材に付着させられる第1の緩衝材と、第1の板部材とは反対の第1の緩衝材の側において第1の緩衝材に付着させられる第2の板部材と、第1の緩衝材とは反対の第2の板部材の側において第2の板部材に付着させられる第2の緩衝材と、第2の板部材とは反対の第2の緩衝材の側において第2の緩衝材に付着させられる第3の板部材とを備えるソール構造。
【０３８７】
条項106:アッパーを含む履物の物品のためのソール構造であって、アッパーに付着させられる第1のミッドソール部分と、第1のミッドソール部分に付着させられる第1の板部材と、第1のミッドソール部分とは反対の第1の板部材の側において第1の板部材に付着させられる第1の緩衝材と、第1のミッドソール部分とは反対の第1の板部材の側に配置される第2のミッドソール部分と、第1の板部材とは反対の第2のミッドソール部分の側において第2のミッドソール部分に付着させられるアウトソールとを備えるソール構造。
【０３８８】
実施形態の前述の記載は、例示および説明の目的のために提供されている。徹底的となるように、または、本開示を限定するように意図されていない。具体的な実施形態の個別の要素または特徴は、概してその具体的な実施形態に限定されないが、明示的に図示または記載されていない場合でも、適用可能である場合、置き換え可能であり、選択された実施形態で使用できる。同じことが多くの方法で変化させられてもよい。このような変化は、本開示からの逸脱として解釈されることはなく、すべてのこのような変更は、本開示の範囲内に含まれるように意図されている。
【符号の説明】
【０３８９】
10、10a、10b、10c、10d、10e、10f、10g、10h、10i、10j、10k、10m    履物
12、12c    アッパー
14、14a、14b、14c、14d、14e、14f、14g、14h、14i、14j、14k、14m    ソール構造
16    前足領域
18    中足領域
20    踵領域
22    内側面
24    外側面
26、26c    内部空所
28、28c    足首開口部
30、30c    留め具
32    開口、小穴
34    舌部分
36、36a、36c、36d、36e、36f、36g、36h、36i、36j、36k、36m    ミッドソール
38、38a、38b、38c、38d、38e、38f、38g、38h、38i、38j、38k、38m    アウトソール
40、40b、40c、40d、40e、40f、40g、40h、40i、40j、40k、40m    緩衝材、緩衝構成
42、42d    板
44、44c    前方端
46、46c    後方端
48    シュトローベル
50    上面
52    空洞
54    地上係合面
56    上面
58    アウトソール板
60    表面
62    タブ
64、64d、64e、64f、64g、64i、64j、64k、64m    内側緩衝材、内側緩衝構成
66、66d、66e、66f、66g、66i、66j、66k、66m    外側緩衝材、外側緩衝構成
68    第1の流体充填室
70    第2の流体充填室
72    第3の流体充填室
74    第4の流体充填室
76    第1の障壁要素
78    第2の障壁要素
80    内部空所
82    継目
84    引張要素
86    引張ストランド
88    上方引張シート
90    下方引張シート
92    発泡材ブロック
94    インソール
96    実質的に連続する表面
98    内側凹部
100    外側凹部
102    側壁
104、104c    膨出部
106    内側脚部
108    外側脚部
110    前足部分
112    空洞
114    実質的に弓状の部分
116    前方端
118    後方端
120    トラクション要素
122    第1の流体充填室
124    第2の流体充填室
126    第3の流体充填室
128    第4の流体充填室
130    緩衝要素
132    凹部
134    前方の緩衝構成
136    後方の緩衝構成
138    第1の流体充填室
140    第2の流体充填室
142    第3の流体充填室
144    第4の流体充填室
146e、146f、146g、146i、146j、146k、146m    上方部分
148e、148f、148g、148i、148j、148k、148m    下方部分
150    通路
152、152e、152f、152g、152h、152i、152j、152k、152m    第1の区分
152j1、154j1    第1の発泡材料から形成された上方部分
152j2、154j2    第2の発泡材料から形成された下方部分
154、154e、154f、154g、154h、154i、154j、154k、154m    第2の区分
156、156e、156f、156g、156h、156i、156j、156k、156m    隙間
157j、157k    通路
158    露出面
158e、158f、158g、158j、158k、158m    地上を向く表面
160    外側周辺縁
162、162m    第1の流体充填室
164、164m    第2の流体充填室
166    距離
168    表面
170    第1の板
172    第2の板
174、174f、174g、174i、174j、174k    踵を向く側壁
176、176f、176g、176i、176j、176k    前足を向く側壁
178    上面
180    下面
182    第1の端
184    第2の端
186    中間部分
188e、188f、188g、188h、188i、188j、188k    第1の流体充填室
190e、190f、190g、190h、190i、190j、190k    第2の流体充填室
192e、192f、192g、192h、192i、192j、192k    第3の流体充填室
194e、194f、194g、194h、194i、194j、194k    第4の流体充填室
196    第1の板
198    第2の板
200    第1の端
202    第2の端
204    中間部分
205    凹部
206    第1の板
208    第2の板
210    第1の端
212    第2の端
214    中間部分
216    第2の板
218    第1の端
220    第2の端
222    中間部分
224    ダンパ
226    第1の板
228    第2の板
230、230m    リブ
232    第1の端
234    第2の端
236    第1の板
238    第2の板
240    第3の板
242    第1の端
244    第2の端
246    中間部分
248    第1の端
250    第2の端
252    切欠き、第1の切込み
254    切欠き、第2の切込み
256    タブ
257    ソケット
258    前足区分
260    踵区分
262、264    切欠き
266    第1の板
268    第2の板
270    第3の板
272    第1の端
274    第2の端
276    中間部分
278    第1の端
280    第2の端
282    切欠き、第1の切込み
284    切欠き、第2の切込み
286    タブ
287    ソケット
288    切欠き、第1の切込み
289    切欠き、開口
290    切欠き、第2の切込み
291    タブ
296    板
298    切欠き、開口
307    ソケット
H1    第1の高さ
H2    第2の高さ
L    長手方向軸
【図１】
0003224963.tif 000003
【図２】
0003224963.tif 000004
【図３】
0003224963.tif 000005
【図４】
0003224963.tif 000006
【図５】
0003224963.tif 000007
【図６】
0003224963.tif 000008
【図７】
0003224963.tif 000009
【図８】
0003224963.tif 000010
【図９】
0003224963.tif 000011
【図１０】
0003224963.tif 000012
【図１１】
0003224963.tif 000013
【図１２】
0003224963.tif 000014
【図１３】
0003224963.tif 000015
【図１４】
0003224963.tif 000016
【図１５】
0003224963.tif 000017
【図１６】
0003224963.tif 000018
【図１７】
0003224963.tif 000019
【図１８】
0003224963.tif 000020
【図１９】
0003224963.tif 000021
【図２０】
0003224963.tif 000022
【図２１】
0003224963.tif 000023
【図２２】
0003224963.tif 000024
【図２３】
0003224963.tif 000025
【図２４】
0003224963.tif 000026
【図２５】
0003224963.tif 000027
【図２６】
0003224963.tif 000028
【図２７】
0003224963.tif 000029
【図２８】
0003224963.tif 000030
【図２９】
0003224963.tif 000031
【図３０】
0003224963.tif 000032
【図３１】
0003224963.tif 000033
【図３２】
0003224963.tif 000034
【図３３】
0003224963.tif 000035
【図３４】
0003224963.tif 000036
【図３５】
0003224963.tif 000037
【図３６】
0003224963.tif 000038
【図３７】
0003224963.tif 000039
【図３８】
0003224963.tif 000040
【図３９】
0003224963.tif 000041
【図４０】
0003224963.tif 000042
【図４１】
0003224963.tif 000043
【図４２】
0003224963.tif 000044
【図４３】
0003224963.tif 000045
【図４４】
0003224963.tif 000046
【図４５】
0003224963.tif 000047
【図４６】
0003224963.tif 000048
【図４７】
0003224963.tif 000049
【図４８】
0003224963.tif 000050
【図４９】
0003224963.tif 000051
【図５０】
0003224963.tif 000052
【図５１】
0003224963.tif 000053
【図５２】
0003224963.tif 000054
【図５３Ａ】
0003224963.tif 000055
【図５３Ｂ】
0003224963.tif 000056
【図５４】
0003224963.tif 000057
【図５５】
0003224963.tif 000058
【図５６】
0003224963.tif 000059
【図５７Ａ】
0003224963.tif 000060
【図５７Ｂ】
0003224963.tif 000061
【図５８】
0003224963.tif 000062
【図５９】
0003224963.tif 000063
【図６０】
0003224963.tif 000064
【図６１Ａ】
0003224963.tif 000065
【図６１Ｂ】
0003224963.tif 000066